(57)【要約】【課題】従来の発電機は、燃料電池の水素給油式とガス補給式の為、天然ガスの枯渇と天然ガス料金と水素補給料金を、支払う為、実際は高価な財産の為、弱者貧困社会の人々では手の届かない財産で有り、燃料電池は、現在も、特許残り15年位の為、高価な買い物なのが事実で有る。【解決手段】特願2006ー140535号公報の軽水素技術と圧電素子磁石体内蔵ダイナモを更に、高出力化させた、軽水素トリチウム電子入り圧電素子磁石体内蔵シリコン熱発電シート技術によって、ダイナモ発電量を多くすると同時に軽水素入り圧電素子磁石体粒子の銅筒官コイル配線の高出力銅筒官コイル配線を使った高出力モーターとチタン酸軽水素入りバリウムシートパネルを内蔵した高出力マグネトロン技術によって、増幅発電可能にした高出力発電回路内蔵の新2連振子型機械式発電機の特願2010−005429の著作権原本。【選択図】図1
2012187001.tif 000002
【特許請求の範囲】
【請求項１】
新2連振子型機械式発電機は、2連振り子型機械式発電機の改良型に成り、機械式発電機の発電した電気を、もう一台の機械式発電機が、電気電子変換装置によって、増幅した電気によって振り子歯車回転作動発電を振り子装置の振り子部分に取り付けられて入る高出力曲棒状レールインバータ制御モーターと振り子両サイドに取り付けられて入る永久磁石と永久磁石の振り子最大範囲内の両サイドに振り子の永久磁石の電磁石反発用の電磁石を、振り子装置の利用サイドの振り子の振り子最大範囲に、電磁石反発装置を、両サイドに1か所ずつ設置する事によって、振り子の往復運動によって、振り子装置の振り子歯車を、電磁石接合歯車によって、連動歯車を作動させて、薄ダイナモの歯車を、連動させて薄ダイナモの歯車を回転させて、発電出来る装置で有り、大型ゼンマイ歯車回転作動発電と高出力発電回路の電気の軽水素トリチウム電子入り圧電素子の電気打撃発電の三種類の発電方法によって、増幅発電させて、再び最初の機械式発電機に、増幅電気を、送って2台の機械式発電機のダイナモ回転速度を、速める事によって、2連振り子型機械式発電機は、使用した電気より、多くの電気を、発電出来る装置のシステムの決め手の一つとして、圧電素子4電子磁気分割装置を、発電機のバッテリーの急速充電装置として使用する事として発電機の電気使用を、少なくする為に、圧電素子4電子磁気分割装置を、機械式発電機の配線に取り付ける事と水素ニッケルバッテリーの改良型の軽水素ニッケルバッテリーにする事によって、充電時間を短縮する事で、2連振り子型機械式発電機は、発電可能にした機械部品だけで、発電出来る2連振り子型機械式発電機に成り、新2連振り子型機械式発電機は、軽水素ニッケルバッテリーと圧電素子4電子磁気分割装置の軽水素ニッケルバッテリーの熱抵抗電気を、圧電素子4電子磁気分割装置の電気を、一度、異なる圧電素子磁気電気として、二つのプラス圧電素子4電子磁気分割装置とマイナス圧電素子4電子磁気分割装置の電気抵抗取り除いた電気を、機械式発電機の大型ゼンマイ全自動ゼンマイ巻き取りスイッチ反応によって、大型ゼンマイのゼンマイを、超小型高出力モーターによって、全自動巻き取り操作を行う事で、高出力ダイナモ歯車に繋がっている複数の連動歯車を回転させる事で、高出力ダイナモの発電を行い、同時に、振り子装置に取り付けられて入る高出力曲棒状レールインバータ制御モーターを、作動させて、振り子装置の両端の、高出力電磁石の反発によって、振り子装置を全自動作動する事を、可能にして、振り子歯車に取り付けられて入る電磁石接合スイッチ歯車の片方回転を、可能にして、高出力ダイナモ歯車に繋がっている連動歯車を、高速回転させる事を、可能にする事によって、高出力ダイナモ(通常ダイナモより発電量の多い新技術ダイナモ)に成り、従って、大型ゼンマイ歯車と連動歯車による高出力ダイナモの平均した連続回転運動エネルギーの補助連動歯車回転が、振り子装置歯車の連動歯車によって、高出力ダイナモ歯車を、一定の高出力ダイナモ速度回転を、可能にする補助発電エネルギーとして、高出力発電回路の、プラス高出力発電回路とマイナス高出力発電回路装置を、複数の高出力発電回路を、バッテリーの電気引き込み配線に取り付け��り、電気電子増幅変換装置配線の電気増幅配線に、高出力発電回路を、取り付けたり、2台の機械式発電機を、電気配線で、繋ぐ部分に高出力発電回路を、取り付ける事によって、新2連振り子型機械式発電機は、2連振り子機械式発電機より、高出力発電回路の増幅発電電気量と高出力モーターの使用積載によって、通常モーターより、電気消費が少なく成り、軽水素ニッケルバッテリーは、水素ニッケルバッテリー及びリチウムバッテリーより、急速充電が可能に成り、新2連振り子型機械式発電機の通常のマグネトロンを、高出力マグネトロンに変える事によって、電気消費を、少なくしている事と新2連振り子型機械式発電機の電気配線を、通常配線から、高出力銅筒官配線に変える事によって、2連振り子機械式発電機より、新2連振り子型機械式発電機の方が、少ない電気で、多くの電気を、高出力ダイナモ発電電気量と高出力発電回路の電気増幅発電電気量を、高出力ダイナモの端子寿命と軽水素ニッケルバッテリー劣化寿命が、来るまで、振り子装置の往復運動の電気エネルギーと大型ゼンマイ全自動巻き取り装置の作動運動エネルギーを、2台の機械式発電機の軽水素ニッケルバッテリーの電気を、増幅発電出来る高出力発電回路と電気使用量を、少なく出来る高出力モーターと圧電素子4電子磁気分割装置と高出力銅筒官電気配線を二台の機械式発電機それぞれに積載した高出力発電回路の発電装置と高出力ダイナモ発電装置の二つの発電システムを二台分の発電量を交互に増幅発電出来る装置を積載した新2連振子型機械式発電機。   
【請求項２】
新2連振子型機械式発電機の、機械式発電機本体の連動歯車全てを、連続作動させる為の電気エネルギー源の電気貯蓄装置の説明に成り、軽水素ニッケルバッテリーは、プラス極活ニッケルブロック物質に対して、ニッケル粒子入り液体マグネシウム溶液構造に対してニッケル複数針穴形状の筒にニッケル粒子と液体マグネシウム混合合成溶液内蔵の電解網ブロックに成り、マイナス極活ニッケルブロック物質には、ニッケル酸バリウム溶液を、ニッケル粒子の複数針穴筒板の中に内蔵した構造として、バッテリー液の仕切り膜には、真空空間と冷却物質の固形窒素によって、電気絶縁と電気熱上昇防止構造にする為の仕切り壁を設けた複数構造重ねのパネル仕切り板構造のバッテリーのプラス極とマイナス極を別々とした、バッテリーの熱処理技術を行ったバッテリー仕切り板構造に成り、軽水素トリチウム電子入り圧電素子磁石体粒子内蔵シリコン熱瞬間吸収発電パネルの圧電素子磁石体粒子内蔵シリコン熱瞬間吸収発電シートパネル型装置の熱瞬間吸収発電体構造が、マイナス電極構造の内壁構造に成り、軽水素注入弁構造に成り、プラス側は、フロンガス混合固形窒素材入りプラスチック溶液シート冷却パネル装置の軽水素トリチウム電子入り圧電素子磁石体内側パネル電気熱分離構造と軽水素注入弁装置構造とした、圧電素子磁石体の熱電気磁気誘導磁気分離装置を内蔵したプラス電極棒とマイナス電極棒を構造としたバッテリーの全自動循環補足発電と補足充電が出来る、プラス発電回路とマイナス発電回路の循環発電回路発電型構造の内蔵積載構造に成って入る円形バッテリーデザイン形状の組み立て解体型の軽水素ニッケルバッテリーを機械式発電機の急速充電バッテリー装置として、二台の機械式発電機それぞれに、高出力発電回路の発電装置と高出力ダイナモ発電装置の二つの発電システムを二台分の発電量を交互に増幅発電出来る装置を積載した内蔵積載した請求項1記載の新2連振子型発電機。
【請求項３】
新2連振子型機械式発電機に積載する発電機を作動させる時に使用する電気消費量を減らす為の圧電素子4電子磁気分割装置は、、電気中の熱抵抗電気取り除き装置は、電気配線に通る電気の電気中の熱抵抗電気を取り除く為の装置の、圧電素子4電子磁気分割装置によって、通常電気中の熱電気抵抗電気を取り除くにあたって、プラス電気は、プラス圧電素子磁石体のプラス磁気の一番弱い部分から圧電素子磁石体のプラス磁気の一番強い部分に通常プラス電気を通して、熱抵抗プラス電気を、圧電素子プラス磁気電気に、瞬時に変換して熱プラス磁気をリサイクル電気として、活用して、熱抵抗プラス磁気電気の取り除かれた熱抵抗プラス電気無のプラス電気を熱抵抗電気の無い電気として、使用する熱電気取り除きシステムで有り、通常電気中の熱電気抵抗電気を取り除くにあたって、マイナス電気は、マイナス圧電素子磁石体のマイナス磁気の一番弱い部分から圧電素子磁石体のマイナス磁気の一番強い部分に通常マイナス電気を通して、熱抵抗マイナス電気を、圧電素子マイナス磁気電気に、瞬時に変換して熱マイナス磁気をリサイクル電気として、活用して、熱抵抗マイナス磁気電気の取り除かれた熱抵抗マイナス電気無のマイナス電気を熱抵抗電気の無い電気として、使用する熱電気取り除きシステムで有り、圧電素子に電気を通して圧電素子磁気化した電気を、圧電素子磁石体の4分割化して、圧電素子の磁気の一番強い部分の電気を使用して、圧電素子磁石体の磁気の一番弱い部分に集まる熱抵抗電気を、リサイクル電気として冷却装置に電気を通して再冷却電気利用電気として、活用出来る通常電気中の熱抵抗電気を取り除く圧電素子4電子磁気分割装置を、二台の機械式発電機の電気配線回路部分に積載内蔵使用した高出力発電回路の発電装置と高出力ダイナモ発電装置の二つの発電システムを二台分の発電量を交互に増幅発電出来る装置を積載した請求項1記載と請求項2記載の新2連振子型機械式発電機。
【請求項４】
新2連振子型機械式発電機の、2台の機械式発電機それぞれに、積載内蔵する複数個の積載内蔵の高出力発電装置説明として、高出力発電回路の通常プラス電気の増幅発電出来る高出力プラス発電回路と通常のマイナス電気の増幅発電出来る高出力マイナス発電回路の二種類の高出力発電回路は、軽水素トリチウム電子入りの圧電素子磁石体と軽水素トリチウム電子入りの複数針穴形状のチタン酸バリウムシートパネルを交互に貼りあわせた高出力発電回路のそれぞれの磁気の強い部分にプラス電気取り込み配線を、高出力発電回路の磁気の強い部分に取り付け、マイナス電気取り込み配線を高出力発電回路の磁気の強い部分にマイナス電気取り込み配線を取り付け、軽水素トリチウム電子の圧電素子磁石体の増幅電気圧電素子打撃発電の増幅発電の電気取り込み配線を、それぞれの磁気の弱い部分のプラス発電回路の磁気の弱い部分から、増幅プラス電気を、複数針穴形状の、超薄型銅板配線からプラス増幅電気を得る事が出来て、軽水素トリチウム電子の圧電素子磁石体の増幅電気圧電素子打撃発電の増幅発電の電気取り込み配線を、磁気の弱い部分のマイナス発電回路の磁気の弱い部分から、増幅プラス電気を、複数針穴形状の、超薄型銅板配線からマイナス増幅電気を得る事が出来る高出力マイナス発電回路を積載し増幅発電した電気を、二つのそれぞれの機械式発電機の発電装置に交互に電気増幅して振子装置の往復運動を、振り子反発スピードの高速化作動の増幅電気装置として高出力ダイナモを連続高速回転作動発電出来る高出力発電回路を二台の機械式発電機其々に積載内蔵した高出力発電回路の発電装置と高出力ダイナモ発電装置の二つの発電システムを二台分の発電量を交互に増幅発電出来る装置を積載した請求項1記載と請求項2と請求項3記載の新2連振子型機械式発電機。
【請求項５】
新2連振子型機械式発電機に積載する電気を作る部分の説明として、高出力ダイナモ歯車の回転連動歯車のダイナモ歯車軸の回転発電の為の振子装置は、振り子装置の高速連続左右の振り子作動運動する事に対して必要とする電気を増幅する装置として、電気電子増幅変換装置の電子レンジ装置システムの応用技術の機械式発電機の連続作動させる為の電気を電子化して増幅する為の電子レンジ回路技術応用のマグネトロン改良型の高出力マグネトロン装置は軽水素トリチウム電子を内蔵した圧電素子磁石体シートパネルと軽水素トリチウム電子を更に多く内蔵したチタン酸バリウムシートを、交互に貼り合わせた高出力圧電素子磁石体使用積載の別名の高出力マグネトロン装置を内蔵した電気電子増幅変換装置の電気電子の増幅装置によって、高圧電子電気を作って、振子装置の往復振子軸運動の振り子装置に取り付けた永久磁石と振子装置の離れた場所の両左右に設けたインバータ制御高出力電磁石の、増幅電気供給用の為の電気配線の電気増幅装置の高出力マグネトロン装置と電気消費を少なくする為の、高出力銅筒官コイル配線の軽水素トリチウム電子入りの圧電素子磁石体粒子入りの銅筒官コイル配線と高出力人工合成永久磁石体の別名の高出力電磁石は、高出力電磁石板の軽水素トリチウム電子入りの圧電素子磁石体シートパネルと軽水素トリチウム電子入りの複数針穴形状のチタン酸バリウムシートパネルを交互に貼りあわせた高出力圧電素子磁石体パネルに複数小穴空きの超薄のステンレス磁石板を、高出力圧電素子磁石体に包む用に被せた構造の高出力人工合成永久磁石体に高出力銅筒官コイル配線を巻いた電磁石と電気電子増幅変換装置によって、振子装置を高速連続作動させる事の出来る電気電子増幅装置によって、振子軸歯車と複数連動増幅ミッション歯車を内蔵した高出力ダイナモ装置歯車を連続高速回転増幅発電出来る振り子装置の電気電子増幅装置の高出力マグネトロン装置を二台の機械式発電機それぞれの電気電子増幅装置部分に積載使用した高出力発電回路の発電装置と高出力ダイナモ発電装置の二つの発電システムを二台分の発電量を交互に増幅発電出来る装置を積載した請求項1記載と請求項2と請求項3記載と請求項4記載の新2連振子型機械式発電機。
【請求項６】
新2連振子型機械式発電機に積載する2台の機械式発電機の高出力ダイナモの電気配線と高出力DCブラシレスインバータ制御レールモーターの電気配線と大型ゼンマイの全自動モーター巻き取り大型ゼンマイ装置の電気配線と軽水素ニッケルバッテリーの電気配線と圧電素子4電子磁気分割装置の電気配線と電気電子増幅装置の電気配線と高出力発電回路の電気配線と盗難防止カメラの電気配線とデーター記録多層式圧電素子磁石体粒子カードの電気配線と液晶操作パネル盤の電気配線と湿度計の電気配線と温度計の電気配線と地震計の電気配線と磁波計測装置の電気配線と発電機データーの外部携帯電話の携帯波の送受信装置の電気配線と水感知センサーの電気配線と格納式持ち手の高出力電動モーター仕切り弁装置の電気配線に使用積載する、銅線の中央部を、刳り貫いた銅筒官に電気と同じスピードに成る軽水素トリチウム電子を、電子の発生物質の圧電素子磁石体粒子に軽水素トリチウム電子を、混合合成した軽水素トリチウム電子入りの圧電素子磁石粒子配線を、銅筒官に内蔵した高出力銅筒官コイル配線に、プラスチックゴムより軽くて、若干燃えづらい木材灰及び雑草灰及び竹灰及び生ゴミ灰などの、超軽量の燃えない物質を、フロンガスとプラスチックゴム溶液と混合合成した木材灰入りの電気配線の表皮を、高出力銅筒官コイル配線に被せた高出力銅筒官電気配線を、積載する事によって、電気と同じ物質の電子スピードの速さで、電気配線中の電気を通す事の出来る高出力銅筒官電気配線を二台の機械式発電機システム全てに、積載内蔵した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載の新2連振子型機械式発電機。
【請求項７】
新2連振子型機械式発電機積載の機械式発電機積載の発電源の高出力ダイナモ装置は、機械式発電機のダイナモ装置の発電量を、増やす為に、通常ダイナモの中心部を、刳り貫いた状態にした通常ダイナモの中心部分の場所に、ステンレスダイナモ軸支え鉄筋を入れた構造に対して、軽水素トリチウム電子入りの圧電素子磁石体の高出力圧電素子磁石体の軽水素トリチウム電子入り圧電素子磁石体シートと軽水素トリチウム電子入りのチタン酸バリウムシートを交互に貼りあわせて圧縮して固めた高出力圧電素子磁石体を内蔵して、固定して、超薄型ステンレス板カバーを、ダイナモの軽水素トリチウム入り圧電素子磁石体部分に被せてボルトナット止めした高出力ダイナモ装置は、通常ダイナモ発電と圧電素子磁石体の通常ダイナモ電気打撃発電と最新式ダイナモに、更に軽水素トリチウム電子入り圧電素子磁石体粒子内蔵シリコンプラスチック熱瞬間吸収発電シート装置を、高出力ダイナモの外側全体に被せた三種類の発電出来る発電システムを備えた高出力ダイナモを二つの機械式発電機のダイナモ発電装置部分に、それぞれの二台の機械式発電機に積載した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載と請求項6記載の新2連振子型機械式発電機。
【請求項８】
新2連振子型機械式発電機に積載内蔵する、熱を、瞬間吸収発電出来るシート形状のパネル装置は、軽水素トリチウム電子入り圧電素子磁石体粒子内蔵シリコン装置に成り、熱の瞬間吸収に中って圧電素子磁石体粒子の軽水素トリチウム電子入りシリコンシートの軽水素入りの圧電素子磁気粒子シリコン物質の熱磁気電子変換した磁気変換発電電気の取り込み配線のプラス配線とマイナス配線を取り付けた熱瞬間吸収発電シートに成り、太陽光吸収発電のシリコンパネルに、予め軽水素トリチウム電子を、混合合成する事によって、熱吸収シリコンの電子量を、増やす為のシリコンに軽水素を入れる新技術と一度熱吸収した軽水素トリチウム電子入りのシリコン電子を、効率良く熱電子から、電気変換する為の、圧電素子磁石体粒子を、軽水素トリチウム電子入りのシリコンに混合合成した熱瞬間吸収発電装置の軽水素トリチウム電子入り圧電素子磁石体粒子内蔵シリコンシートは、新2連振り子型機械式発電機の熱が発生する高出力ダイナモの外側部分と電気貯蔵装置の軽水素ニッケルバッテリーの外側部分と高出力発電回路の外側部分と圧電素子4電子磁気分割装置の外側部分と電気電子増幅装置の外側部分と高出力モーターカバーの外側部分に熱瞬間吸収発電シートとして、新2連振子型機械式発電機の熱の発生する場所全てに熱瞬間吸収発電シートを二台の機械式発電機其々に積載内蔵した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載と請求項6記載と請求項7記載の新2連振子型機械式発電機。
【請求項９】
新2連振子型機械式発電機の機械式発電機の振子装置を連続作動させる為の、振り子装置の振り子部分に取り付けられて入る高出力DCブラシレスインバータ制御レールモーターの永久磁石体部分は、複数枚の超薄板の複数穴空きステンレス磁石板と超薄板の軽水素トリチウム電子入りの圧電素子磁石体パネルを、交互に重ねた人工永久磁石板の一部に軽水素トリチウム電子入り圧電素子磁石体粒子内蔵シリコン熱瞬間吸収発電シートを貼り付けた構造と人工永久磁石に軽水素トリチウム電子入り圧電素子磁石体の高出力銅筒官配線を内蔵した銅筒官配線と、一部分に軽水素トリチウム電子入り圧電素子磁石体粒子内蔵シリコン熱発電シートを、電磁石の一部に貼り付け積載した最新技術の高出力DCブラシレスインバータ制御レールモーターを機械式発電機の振り子装置に積載して、振り子装置の両サイドの下端部分に、永久磁石を取り付けて、振り子装置の振り子の最大半径内に、振り子装置の両端の永久磁石の反発装置用の、高出力電磁石の軽水素トリチウム電子入りの圧電素子磁石体シートと軽水素トリチウム電子入りのチタン酸バリウムシートを、交互に貼りあわせた高出力圧電素子体に、複数針穴形状の薄ステンレス磁石板を、包む様に被せた永久合成磁石体に高出力銅筒官コイル配線の軽水素トリチウム電子入り圧電素子磁石体粒子内蔵の銅筒官コイル配線を、巻いた高出力電磁石に成り、インバータ装置を、振り子装置の両サイドの電磁石部分に積載内蔵する事で、振り子装置の左右の高速往復作動が可能に成り、振り子装置の振り子歯車軸と振り子歯車の高出力電磁石とインバータ制御装置によって、振り子装置の片方だけの作動時だけに、振り子歯車軸と振り子電磁石歯車が、接合して、片方の振り子作動時に振り子歯車が作動して、複数の連動歯車に歯車回転振り子作動エネルギーが、伝わって高出力ダイナモ歯車を回転させる事によって、薄型の高出力ダイナモの回転のダイナモ端子発電が可能に成り、ダイナモ端子が、減ってなく成ったので、バッテリーの劣化寿命が来るまで、振り子装置を、作動させる事が可能な範囲内に発電出来る機械式発電機の振り子作動システムを二台の機械式発電機其々に積載内蔵した高出力発電回路の発電装置と高出力ダイナモ発電装置の二つの発電システムを二台分の発電量を発電出来る装置を交互に増幅積載した請求項1記載と請求項2と請求項3記載と請求項4記載と請求項5記載と請求項6記載と請求項7記載と請求項8記載の新2連振子型機械式発電機。
【請求項１０】
新2連振子型機械式発電機に積載する、水が浸水して発生する発電機の水侵入の故障防止の為の漏電防止装置の、燃料電池の液体マグネシウムの水蒸気の瞬間吸収出来る連続水感知センサーは、水を、瞬間に蒸気化させる為に、軽水素トリチウム電子入りの発酵熱発電カードパネル装置は、乾燥竹微粒子と稲ワラ微粒子と麹粒子と乾燥木材粒子を、超薄型カードパネルの中に、少量の軽水素トリチウム酸素水と軽水素トリチウム電子を、内蔵した発酵熱発電カードパネルで有り、発酵熱発電カードパネル全体に、軽水素トリチウム電子入り圧電素子磁石体粒子内蔵シリコン熱瞬間吸収発電シートを発酵熱発電カードパネルに貼り付け、内蔵した無休憩発電型の発酵熱瞬間吸収発電カードパネルを新2連振り子型機械式発電機に内蔵する事によって、燃料電池の液体マグネシウムを圧電素子の複数針穴形状のパネル枡に液体マグネシウムを入れたパネル枠製の装置を機械式発電機に取り付ける水感知センサーに組み込み式タイプにする事で、水が浸入すると発酵熱発電カードパネルの熱によって、水蒸気がね発生する事によって、液体マグネシウムが反応して、液体マグネシウムを、保護している複数針穴形状の圧電素子磁石体の電気反応によって、電気信号を送って水の侵入の感知が出来る構造で有り、寿命が、来た場合発酵熱発電カードパネル交換だけで、新2連振り子型機械式発電機の水感知センサーを、連続使用出来る装置で有り、水感知して、漏電防止出来る水感知出来る液体マグネシウムの複数針穴形状の圧電素子磁石体枡パネルカバーの液体マグネシウムの発電圧電素子枡パネル装置を二台の機械式発電機其々に積載した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載と請求項6記載と請求項7記載と請求項8記載と請求項9記載の新2連振子型機械式発電機。 
【請求項１１】
新2連振子型機械式発電機の、メーター計器データーを無線波及び携帯波送受信によって無線機装置及び携帯電話のメーター計器データー確認する為の電波送受信装置の無線機送受信装置と携帯電話送受信装置構造で有り、構造に使用する高出力コイル及び高出力銅筒官電気配線は、新技術の軽水素トリチウム電子入りの圧電素子磁気粒子内蔵の銅筒官コイル配線に成り、高出力熱瞬間吸収発電コンデンサーは、ビニールと新技術の軽水素トリチウム電子とゴム液材と木材灰を混合合成した絶縁シートチップの回路絶縁体と軽水素トリチウム電子入り圧電素子シートと軽水素トリチウム電子入り圧電素子磁石体粒子内蔵シリコン熱瞬間吸収発電シートを交互に重ねた熱瞬間吸収発電コンデーサー装置に成り、新技術のガラス溶液と牧草灰及び雑草灰を混合合成して固めた回路絶縁体と軽水素トリチウム電子入り圧電素子磁石体シートと新技術のステンレス銅合金シートを交互に重ね合わせた新技術電波受信体等の新技術の軽水素トリチウム電子を使った複数の高出力技術積載の軽水素トリチウム電子入り圧電素子磁石体電気配線と銅筒官コイル配線を積載内蔵した高出力電波送受信装置を機械式発電機に積載した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載と請求項6記載と請求項7記載と請求項8記載と請求項9記載と請求項10記載の新2連振子型機械式発電機。
【請求項１２】
新2連振子型機械式発電機に積載する湿度計は、周囲の湿度と機械式発電機の金属疲労の目安確認の為の装置で有り、燃料電池の液体マグネシウムを空気中の瞬間水蒸気水分吸収体として、使用積載した液体マグネシウムに気化水素と気化酸素水分を瞬間に液体マグネシウムの瞬間の気化水蒸気の瞬間吸収発電現象を利用応用した装置で有り、グラスファイバー枡に圧電素子磁石体粒子パネル枡枠の複数針穴形状の枡に液体マグネシウムを入れた装置によって、液体マグネシウムを固定して、液体マグネシウムの水蒸気吸収発電率の電気量を圧電素子磁石体電極の磁気電気量の一分当たりの発電量の集計計算によって湿度量の測定出来る液体マグネシウム湿度計を機械式発電機に積載した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載と請求項6記載と請求項7記載と請求項8記載と請求項9記載と請求項10記載と請求項11記載の新2連振子型機械式発電機。
【請求項１３】
新2連振子型機械式発電機に積載内蔵する発電機の設置の、自然環境の地震震度状況を随時確認する為の、外気熱の瞬間吸収発電型の一般使用の地震計と外気熱瞬間吸収発電型の軽水素トリチウム電子入り圧電素子磁石体内蔵シリコンシートパネルの熱瞬間吸収発電パネルに発電電気取り込み配線を取り付けた熱瞬間吸収発電パネル内蔵の磁波計測計は、ゲルマニウムラジオ波の電波の一定の波を、複数のゲルマニウムラジオ波の受信装置に対して、電波の波の乱れを、キャッチ出来る音波の雑音乱入音をキャッチ受信出来る超小型マイクの音の変化を、磁気のデーター記録の磁気データー書き込みを、行ない、磁波ゲルマニウムラジオ受信波データーを、地震予知集計センターへ携帯波によって地震データーを送る事の出来る装置と通常の超小型地震計と超小型地震計の通常震度レベル表示装置によって、地震度の明記と地震震度集計センターに地震データーを送信出来る携帯波連絡送受信を機械式発電機に積載内蔵した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載と請求項6記載と請求項7記載と請求項8記載と請求項9記載と請求項10記載と請求項11記載と請求項12記載の新2連振子型機械式発電機。
【請求項１４】
新2連振子型機械式発電機に積載するメーター計器の軽水素トリチウム電子入りの液晶パネル装置の発電液晶画像パネルは、軽水素トリチウム電子入りのチタン酸バリウムシートと軽水素トリチウム電子入りの圧電素子磁石体シートパネルを交互に貼り合わせた高出力圧電素子磁石体パネルを使用積載した高出力発電回路装置で有り、高出力圧電素子磁石体シートのプラス発電回路のプラス磁気の一番強い部分に通常プラス電気取り込み配線を取り付け、高出力圧電素子のプラス磁気の一番弱い部分に、高出力圧電素子磁石体の電気打撃増幅発電電気のプラス増幅電気取り込み配線を、高出力圧電素子磁石体のプラス磁気の一番弱い部分に超小型の銅板配線のプラス増幅電気取り込み配線を取り付けた構造に成り、高出力圧電素子磁石体シートのマイナス発電回路のマイナス磁気の一番強い部分に通常マイナス電気取り込み配線を取り付け、高出力圧電素子のマイナス磁気の一番弱い部分に、高出力圧電素子磁石体の電気打撃増幅発電電気のマイナス増幅電気取り込み配線を、高出力圧電素子磁石体のマイナス磁気の一番弱い部分に超小型の銅板配線のマイナス増幅電気取り込み配線を取り付けた構造に成り、二種類の通常電気取り込み配線と増幅電気取り込み配線を取り付けたプラス電気増幅発電用の高出力プラス発電回路装置とマイナス電気増幅発電用の高出力マイナス発電回路装置と別に、軽水素トリチウム電子入りのシリコン圧電素子磁石体粒子外枠配線の熱瞬間吸収の発電偏光板装置と発電ガラス基板の軽水素トリチウム電子入りシリコン熱瞬間吸収発電シートをクリスタル発電ガラス内蔵二枚合わせガラスと軽水素トリチウム電子入りダイオードシートの熱瞬間吸収発電カラーフイルター装置と軽水素トリチウム電子入りシリコン圧電素子磁石体粒子外枠配線の熱瞬間吸収発電配向膜装置と軽水素トリチウム電子入り液晶のシリコン圧電素子磁石体粒子外枠配線の熱瞬間吸収発電液晶装置と高出力発電回路内蔵の軽水素トリチウム電子入りの高出力発光LEDダイオードライト装置の画像パネルの電気熱の瞬間吸収発電出来る軽水素トリチウム電子入りシリコンの圧電素子磁石体の熱を瞬間に電子磁気変換出来る装置を液晶画像パネルの各部分に内蔵積載した通常電気の高出力圧電素子電気打撃発電出来る高出力発電回路の二種類の発電システムによって増幅発電出来る発電液晶画像パネルの高出力発電回路装置積載の液晶パネルを機械式発電機に積載した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載と請求項6記載と請求項7記載と請求項8記載と請求項9記載と請求項10記載と請求項11記載と請求項12記載と請求項13記載の新2連振子型機械式発電機。
【請求項１５】
新2連振子型機械式発電機の、発電量のデーター確認の為の、発電機の発電量データーを、圧電素子磁気体を使用した多層重ね式の磁気記録システムの多層重ね式のカード装置で有り、携帯電話に発電量データーを、送受信したりする為の新2連振子型機械式発電機の発電機データーを、短い時間で、記録再生出来る多情報カードの多層絶縁シート重ね式の圧電素子磁石体ラインを、絶縁ラインを交互に並べた磁気認識カード体に新技術の木材灰入りのプラスチック絶縁体シートを、磁気シートカードに被せた多層式のカードで有り、別名のEMカードを、新2連振子型機械式発電機の操作パネル内に機械式発電機に積載内蔵した高出力発電回路の発電装置と高出力ダイナモ発電装置の二つの発電システムを二台分の発電量を交互に増幅発電出来る装置を積載した請求項1記載と請求項2と請求項3記載と請求項4記載と請求項5記載と請求項6記載と請求項7記載と請求項8記載と請求項9記載と請求項10記載と請求項11記載と請求項12記載と請求項13記載と請求項14の新2連振子型機械式発電機。
【請求項１６】
新2連振子型機械式発電機の上部の外部積載内蔵の、盗難及び防犯用カメラは、カメラのシステムの複数モーター切り換えパネルのボタン切り替え装置付の通常カメラと赤外線カメラと放射線熱感知カメラとレントゲンカメラの複数のカメラモーターパネルの切り替え型の多機能防犯カメラで有り、放射線熱感知カメラの放射線をシリコンに混合合成した放射線内蔵シリコンパネルに透明プラスチック放射線大気放出防止シートと放射線シート防護カバーのクリスタルガラス筒パネル内に放射線シートを内蔵した放射線パネルを積載内蔵した放射線熱感知カメラパネル装置のアルファー放射線カメラパネルとペーター放射線カメラパネルとガンマー放射線パネルの三種類の放射線飛散防止パネル積載の其々の多種カメラ作動用の複数のカメラパネル装置積載の装置に成り、新技術の軽水素トリチウム電子入りのダイオードCCD光センサーパネルは、CCDダイオードパネルのダイオード内の光電子読み込みスピードを、上げる為の新技術のダイオードに軽水素トリチウム電子を、内蔵する混合合成の軽水素トリチウム電子入りのダイオードCCD新技術に成り、光認識スピードを上げる装置の軽水素トリチウム電子入りのダイオードの新技術のCCD光認識パネル積載の多機能モーターカメラパネル切り替えのカメラと新技術の超小型クリスタルガラスレンズの魚眼レンズと凸レンズの合わせレンズの一つ削りレンズと新技術の軽水素トリチウム電子入りダイオードカラーフイルター光認識パネルをノーマルカメラのCCD構造としたノーマルカメラのカラー被写体のノーマル波変換装置と取り外し可能なCPUダイ装置と新技術の水素気化電子物質の軽水素と圧電素子磁石粒子と銅粉を、混合合成圧縮したコンデンサーとCPU回路を冷やす為の、新技術のフロンガス入り固形窒素粒子内蔵シリコン石灰冷却パネルとピン装置とCPUダブルクーラーとＡ/Ｎコンバータによって、取り込んだ映像信号をノーマル化する装置と、新技術のワイドのイメージのプロセッサーのレンズ半分上の魚眼レンズと残り半分の凸レンズのデーターを画像修整処理とソーラーパネル照度センサーによる色調整補正を行う事の出来るワイドのイメージのプロセッサーとチェックノーマルメモリのＣＮRAM装置によって、二つのレンズカメラ付きの発電機防犯カメラによって、盗難と損傷事故を防ぐ事の出来るライトダブルカメラ装置を機械式発電機に積載した高出力発電回路の発電装置と高出力ダイナモ発電装置の二つの発電システムを二台分の発電量を交互に増幅発電出来る装置を積載した請求項1記載と請求項2記載と請求項3記載と請求項4記載と請求項5記載と請求項6記載と請求項7記載と請求項8記載と請求項9記載と請求項10記載と請求項11記載と請求項12記載と請求項13記載と請求項14と請求項15記載の新2連振子機械式発電機。
【請求項１７】
新2連振子型機械式発電機の、発電機の作動時に発生する発電機の本体の振動を吸収する為の振動吸収ゴムは、ワイヤ網入り強化ゴムと複数穴空き鋼鉄板と軽水素トリチウム電子入り圧電素子磁石体粒子入り磁石ゴムと固形窒素粒子を混合した合成ゴムを交互に重ねた磁石吸着パネル型の振動吸収複数重ねゴムを、新2連振子型機械式発電機の本体構造の下側の4箇所にボルトとナット止めによって発電機本体を固定出来る振動防止装置を、新2連振子型機械式発電機の本体の機械式発電機に積載内蔵した高出力発電回路の発電装置と高出力ダイナモ発電装置の二つの発電システムを二台分の発電量を交互に増幅発電出来る装置を積載した請求項1記載と請求項2記載と請求項3記載と請求項4記載と請求項5記載と請求項6記載と請求項7記載と請求項8記載と請求項9記載と請求項10記載と請求項11記載と請求項12記載と請求項13記載と請求項14と請求項15記載と請求項16記載の新2連振子型機械式発電機。
【請求項１８】
新2連振子型機械式発電機の、発電機を移動させる時に使用する為の格納型の手持ち取って装置と格納型のドリルポルトナット装置の格納装置としての構造として、高出力銅筒官コイル配線と軽水素トリチウム電子入りの圧電素子磁石体シートパネルと複数針穴形状の圧電素子磁石体の構造物質のチタン酸バリウム溶液の軽水素トリチウム電子入りシートパネルを、交互に貼りあわせた高出力圧電素子磁石体パネルに複数小穴空きの超薄ステンレス磁石体シートパネルを高出力圧電素子磁石体パネルに包む様に被せて固定した高出力モーター積載の高出力電動モーター仕切り弁装置を防犯盗難防止の為の、発電機の手持ち装置の格納形式の高出力電動モーター仕切り弁を新2連振子型機械式発電機の格納型の手持ち取って装置の高出力電動モーター仕切り弁装置の発電機移動装置を機械式発電機に積載内蔵した高出力発電回路の発電装置と高出力ダイナモ発電装置の二つの発電システムを二台分の発電量を発高出力発電回路の発電装置と高出力ダイナモ発電装置の二つの発電システムを二台分の発電量を交互に増幅発電出来る装置を積載した電出来る装置を積載した請求項1記載と請求項2記載と請求項3記載と請求項4記載と請求項5記載と請求項6記載と請求項7記載と請求項8記載と請求項9記載と請求項10記載と請求項11記載と請求項12記載と請求項13記載と請求項14と請求項15記載と請求項16記載と請求項17記載の新2連振子型機械式発電機。
【請求項１９】
新2連振子型機械式発電機の、機械式発電機の遠距離の場所でも、随時に画像パネル受信用装置によって、発電機データーを確認出来るメーター計器のデーターの送受信する為のアンテナは、電波送受信用の金属の銅ステンレス合金金属と新技術の軽水素トリチウム電子入り圧電素子磁石体合成磁石体装置を内蔵した銅ステンレス合金筒金属アンテナを、機械式発電機に内蔵積載した高出力発電回路の発電装置と高出力ダイナモ発電装置の二つの発電システムを二台分の発電量を交互に増幅発電出来る装置を積載した請求項1記載と請求項2記載と請求項3記載と請求項4記載と請求項5記載と請求項6記載と請求項7記載と請求項8記載と請求項9記載と請求項10記載と請求項11記載と請求項12記載と請求項13記載と請求項14と請求項15記載と請求項16記載と請求項17記載と請求項18記載の新2連振子型発電機。
【請求項２０】
新2連振子型機械式発電機に積載内蔵する発電機の環境状況を随時確認する為の、水蒸気温度感知出来る温度計と水蒸気湿度感知出来る湿度計と外気熱瞬間吸収発電型の地震計と外気熱瞬間吸収発電型の磁波計測計と燃料電池発電機の水素酸素瞬間吸収発電装置の液体マグネシウムの水及び水蒸気感知センサーは別名の新技術のダブル燃料電池発電装置の軽水素トリチウム電子入り圧電素子磁石体粒子内蔵シリコン熱吸収発電パネル板と複数針穴の四角形状の圧電素子磁石体粒子パネル内に、他者の技術の水素酸素瞬間吸収物質の液体マグネシウム技術を内蔵した水蒸気瞬間吸収の熱磁気電気交換出来る軽水素トリチウム電子入り圧電素子磁石体粒子入りシリコン熱発電装置を、燃料電池の水と水蒸気感知センサーの一部構造とした熱瞬間吸収発電装置を内蔵使用した水または水蒸気を、感知出来る液体マグネシウム技術を内蔵した水蒸気瞬間吸収の熱磁気電気交換出来る軽水素トリチウム電子入り圧電素子磁石体粒子入りシリコン熱瞬間吸収発電装置を機械式発電機に積載内蔵した高出力発電回路の発電装置と高出力ダイナモ発電装置の二つの発電システムを二台分の発電量を交互に増幅発電出来る装置を積載した請求項1記載と請求項2記載と請求項3記載と請求項4記載と請求項5記載と請求項6記載と請求項7記載と請求項8記載と請求項9記載と請求項10記載と請求項11記載と請求項12記載と請求項13記載と請求項14と請求項15記載と請求項16記載と請求項17記載と請求項18記載と請求項19記載の新2連振子型機械式発電機。
【請求項２１】
新2連振子型機械式発電機の、発電機盗難と防犯防止の為の威嚇スピーカーは、新技術の高出力電磁石の軽水素トリチウム電子入り圧電素子磁石体シートパネルと複数穴空き鋼鉄磁石体シートパネルを、交互に重ねてポルトナット止めした人工永久磁石と銅筒官コイル配線の軽水素トリチウム電子入り圧電素子磁石体構造の電気配線を、銅筒官コイル配線の銅筒官形状の銅筒官内に軽水素トリチウム電子入り圧電素子磁石体粒子配線を内蔵した高出力電磁石を積載内蔵した威嚇防水グラスファイバー紙の高出力スピーカーを機械式発電機に積載した高出力発電回路の発電装置と高出力ダイナモ発電装置の二つの発電システムを二台分の発電量を交互に増幅発電出来る装置を積載した請求項1記載と請求項2記載と請求項3記載と請求項4記載と請求項5記載と請求項6記載と請求項7記載と請求項8記載と請求項9記載と請求項10記載と請求項11記載と請求項12記載と請求項13記載と請求項14と請求項15記載と請求項16記載と請求項17記載と請求項18記載と請求項19記載と請求項20記載の新2連振子型機械式発電機。
【請求項２２】
新2連振子型機械式発電機の、発電機の作動発電状況を確認する為の、メーター計器用の液晶装置は、液晶中央部分に、大気熱瞬間吸収発電型の軽水素トリチウム電子入り圧電素子磁石体粒子内蔵のシリコン化合物シートの軽水素トリチウム電子と圧電素子磁石体を、内蔵したシリコン製のシートの高出力ソーラーパネルを、液晶中心部分に設置した装置と、液晶装置装置のパネル装置の部分のダイオードパネルの偏光板と軽水素トリチウム電子入り圧電素子磁石体微粒子ライン積載のシリコンシート熱瞬間吸収発電の熱シリコンの圧電素子熱磁気瞬間変換の圧電素子磁石体ライン内蔵のクリスタル発電二枚合わせガラス基板と軽水素トリチウム電子入りシリコンダイオード熱瞬間吸収発電カラーフィルターシートと新技術の軽水素トリチウム電子入りの電気熱瞬間吸収発電出来る配向膜と新技術の軽水素トリチウム電子入りの圧電素子磁気サイドライン熱瞬間吸収発電液晶と新技術の軽水素トリチウム電子入りのシリコン熱瞬間吸収発電軽水素トリチウム電子入りシリコン網膜と偏光板と新技術の軽水素トリチウム電子入りのダイオード化合物内蔵の高出力LED発光ダイオードライト玉装置の光源を内蔵したフロンガス内蔵固形窒素ビニール冷却絶縁真空合わせシート内蔵の液晶画像パネルを機械式発電機に積載した高出力発電回路の発電装置と高出力ダイナモ発電装置の二つの発電システムを二台分の発電量を交互に増幅発電出来る装置を積載した請求項1記載と請求項2記載と請求項3記載と請求項4記載と請求項5記載と請求項6記載と請求項7記載と請求項8記載と請求項9記載と請求項10記載と請求項11記載と請求項12記載と請求項13記載と請求項14と請求項15記載と請求項16記載と請求項17記載と請求項18記載と請求項19記載と請求項20記載と請求項21記載の新2連振子型機械式発電機。
【請求項２３】
新2連振子型機械式発電機の、メーター計器用の液晶発電装置の内の高出力LEDバックライト発電装置は、通常の圧電素子磁石体に軽水素トリチウム電子をチタン酸バリウムと雲母で混合合成した軽水素トリチウム電子入り圧電素子磁石体薄パネルと軽水素トリチウム電子を入れたバリウムシートを交互に貼り合わせた軽水素トリチウム電子量の多い高出力圧電素子磁石体を使用したプラスとマイナスの二種類の高出力発電回路と高出力発光LEDライトのダイオードに軽水素トリチウム電子を入れる発光ダイオードのダイオードに軽水素トリチウム電子を混合合成する電子増幅新技術で有り、ダイオードに流れる電子量を多くする事によって、発光物質と電子の電子融合結合によって、少ない発光物質の発光から、電子量を多くした新技術の軽水素トリチウム電子入り発光LEDダイオード新技術によって、液晶テレビのバックライト使用が、光不足の財産の為、今までバックライト使用不可能だった財産を、発光増幅電子の軽水素トリチウム電子入りLEDダイオードライト玉の新技術にする事で、高出力LEDバックライト液晶画像パネル技術の光量増幅を少ない電気量によって可能にした高出力発電回路内蔵の高出力発光LEDを機械式発電機に積載した高出力発電回路の発電装置と高出力ダイナモ発電装置の二つの発電システムを二台分の発電量を交互に増幅発電出来る装置を積載した請求項1記載と請求項2記載と請求項3記載と請求項4記載と請求項5記載と請求項6記載と請求項7記載と請求項8記載と請求項9記載と請求項10記載と請求項11記載と請求項12記載と請求項13記載と請求項14と請求項15記載と請求項16記載と請求項17記載と請求項18記載と請求項19記載と請求項20記載と請求項21記載と請求項22の新2連振子型機械式発電機。
【発明の詳細な説明】
【技術分野】
【０００１】
本発明は、日本全国の貧困家庭の国の借金全額返済の税金返済手段と都道府県市町村区の全額借金返済手段としての電気使用記録カードを内蔵した無害無給油の高出力ダイナモの軽水素トリチウム電子入り圧電素子磁石体を、通常ダイナモの半割装置の中央部分を刳り貫いた場所に、軽水素トリチウム電子入りの圧電素子磁石体粒子を、混合合成した軽水素入りの圧電素子磁石体シートパネルと軽水素トリチウム電子入りのチタン酸バリウムシートを、交互に貼りあわせた別名の高出力圧電素子磁石体を、通常ダイナモに内蔵した高出力ダイナモの振り子連続歯車回転エネルギーと大型ゼンマイの全自動連続回転エネルギーによって、高出力ダイナモの連続回転の増幅ダイナモ発電エネルギーと高出力発電回路の軽水素トリチウム電子入りの圧電素子磁石体シートパネルと軽水素トリチウム電子入りのチタン酸バリウムシートパネルを、交互に貼りあわせた別名の高出力圧電素子磁石体パネルに対して、高出力発電回路は、高電圧のプラス電気を、高出力圧電素子磁石体のプラス磁気の強い部分に取り付けた高出力銅筒官電気配線から、プラス電気を通して、高出力圧電素子磁石体のプラス磁気の一番弱い部分に内蔵してある複数針穴形状の、銅板プラス増幅電気取り込み配線から、通常のプラス電気を、圧電素子磁石体の電気打撃発電方法による軽水素トリチウム電子の増量の圧電素子磁石体の電気打撃軽水素トリチウム電子の電子増幅発電効果による増幅発電効果と高出力ダイナモの増幅発電効果の二種類の発電システムの連続発電システムによる連続作動発電機の防犯カメラ積載内蔵型の新2連振子型発電機に関する構造と付属品に関する装置に関する説明。
更に、実願2010―005429が、未公開の為、特許提出する事とする。
そして、実願2010―005429の提出日の発明の優先権日説明と図面の領収書の日づけ事実確認と発明の優先権日それぞれの、著作権考案発明日の先技術優先権主張に成る。
【背景技術】
【０００２】
従来の、家庭用発電機は、ポータブル式のガソリン及び軽油式の発電機は、排気ガスの100パーセント完全無害処理出来ない装置までの、家庭用野外設置の発電機装置が、多くの企業で、似たり寄ったりの給油型の発電装置が複数存在する。
此の他、プロパンガス補給型のプロパンガス内の水素と大気酸素を、水素と酸素の瞬間吸収発電燃料電池物質の液体マグネシウム発電装置等を内蔵積載した本田技研工業自動車の発電装置が有り、またはトヨタ自動車製の固形水素使用した燃料電池発電装置が有る。
更に、腕時計の手振り型ダイナモ発電装置とハンドル回転ダイナモ発電方式の災害用ラジオライト装置等が有る。
【０００３】
以下、図17と図18により従来のダイナモ発電機について説明する。図において、120は、高出力ダイナモで有るが、日本国内では、軽水素トリチウム電子入り圧電素子を、ダイナモ軸と237のダイナモ軸固定ガード筋金属をダイナモ装置の中に入れた第2発電体の圧電素子のダイナモ端子発電の発生した電気打撃圧電素子発電装置自体が、他社に無い状態で有り、第3発電体の130、の軽水素トリチウム電子入りの圧電素子磁石体発電装置は、他社に無い第3の圧電素子磁石体のダイナモ発電電気打撃の増幅発電物質装置に成り、第4の発電体として、240、の熱瞬間吸収発電シートのダイナモ本体の130の軽水素トリチウム電子入り圧電素子磁石体の滑落防止装置の外側のカバーとの間に取り付けた第4の発電体装置で有る。
【先行技術文献】
【特許文献】
【０００４】
【特許文献１】特開2003ー328925号公報の真空装置と機械式発電機を使っただけの水発電機
【０００５】
【特許文献２】特開2004ー135480号公報の自動充電池
【０００６】
【特許文献３】特願2006ー140535号公報の2連振子型機械式発電機
【０００７】
【特許文献４】特願2009ー271665号公報の多機能携帯電話
【０００８】
【特許文献５】特願2010ー82号公報の国の900兆円越えの借金全額返済の為の世界最新の公共事業対策
【０００９】
【特許文献６】特願2004ー304992号公報の圧電素子3電子磁気分割装置の電気から熱抵抗電気を減らして電気を長持ちさせて、電気製品に無理をかけない電気装置の有り方
【００１０】
【特許文献７】実用新案登録第3145903号の省エネルギー水気化水発電機の水の気化物質の瞬間吸収物質
【発明の概要】
【発明が解決しようとする課題】
【００１１】
以上述べた従来の家庭用発電機では、図17の120の高出力ダイナモ技術より前の旧型ダイナモを連続無給油回転の連続作動させる為の、無給油発電装置が、日本国内に本発明の発明者以外に存在していない為、国の全額借金返済と都道府県市町村区の全額借金返済の為の活動に対して、新聞企業マスコミとテレビ企業マスコミ自体が、答えを出せない状態で有り、原子力廃棄物の出るプルサーマル原子力発電を使う事による原子力廃棄物を作る事を止め無ければ成らなかった事と、原子力発電所の稼働の全面ストップに対して、国の電力不足の対応と、化石燃料の枯渇が、目に見えて居る現状で有る為で有る。
【００１２】
更に、ソーラーパネル発電と家庭用燃料電池の発電装置は、高額の為、本発明の2連振子型機械式発電機を、特許料金無しの50万位に設定した料金にする変わり、無給油つまり発電物質の無追加で発電して得る電気を、幾ら使用しても一定額の借金返済の為の国税納入制度をしない限り、2010年まで、全世界の経済順位の1番から2番を企業テレビマスコミから言われる世界利益と世界資産トップの日本全企業が絶対に出来なかった日本の国の全額無料返済と日本の都道府県市町村区の全額無料返済の道筋を、弱者国民の安定した生活権実施で、国の全額借金返済と都道府県市町村区の全額借金返済のインターネット公開の知的所有財産の実用新案及び特許が及び著作権が解決しようとする課題で有る。
【００１３】
本発明は、このような従来の発電物質使用による資源の枯渇問題を解決しようとするもので有り、一度作った本発明の国の全額借金返済の為の新2連振子型機械式発電機のダイナモ端子交換の部品交換で、半永久使用続ける事によって、誰も出来なかった国の全額借金返済方法と原子力廃棄物の作らない国の正しい姿勢と全世界の原子力廃棄物を作らない国の見本の構築を目指す事と天然ガスの枯渇を止める事によって、未来の資源保管と資源枯渇の無い未来の安定した人間社会を実現する事を目的とするもので有る。
【課題を解決するための手段】
【００１４】
そして、本発明は、お金の掛る全世界の個人特許提出の前に、まだ、低価格と言えない実用新案登録によって全弱者国民が本来全世界に褒められる電気社会生活文化を国の内閣府と総務省などが、新聞マスコミとテレビマスコミの、デジタル放送時代に伴って、日本全国の弱者国民の現在の生活状況改善の為の全国弱者国民デジタルテレビ局ネットワーク時代を、作る事によって、日本の大手企業全体の海外特許提出に基ずく海外所得税の負担の軽減と日本企業の地方税負担軽減の第一歩を築く為に、通常ダイナモ発電では、出来なかった高出力発電技術の構造説明として、通常ダイナモの中央部分を刳り貫き代わりに、世界最新技術とも言いたい2002年8月に先技術発明の著作権日を確定出来る
北海道知事保管の著作権発明文章の郵便物受理書保管の軽水素トリチウム電子入り圧電素子磁石体は、当時水素イオン内蔵の圧電素子磁石体を進化させた世界におそらく例の無い高出力発電ダイナモ装置は、通常ダイナモの発電電気打撃によってダイナモ中心分の軽水素トリチウム電子入り圧電素子磁石体に、通常ダイナモ電気打撃圧力を掛けたり、与えたりする事によって、高圧電気に成る程の圧電素子の電気圧打撃発電は、強い電気圧打撃によって、圧電素子磁石体発電を起こす事が出来る第2の発電方法で有り、問題の軽水素トリチウム電子入り圧電素子磁石体は、水素入り圧電素子磁石体の電気打撃発電量より、軽水素トリチウム電子入り圧電素子磁石体の圧電素子磁石体の電気打撃発電が上なのは、軽水素は、2つの電子集合体で有り、水素と同じ質量だけの軽水素にした場合、水素の3つの電子と一つのプルトニウム原子より、軽水素の方が電子保有質量を、水素質量に合わせた場合、軽水素の全体的の電子量を上に出来る為、高出力ダイナモの圧電素子磁石体の通常ダイナモ電気打撃の軽水素トリチウム電子入りの圧電素子磁石体のダイナモ電気打撃発電は、圧電素子磁石体の電気打撃発電の増幅発電の軽水素トリチウム電子の発電物質効果の第3発電方法に成り、第4の発電方法とは、高出力ダイナモの軽水素トリチウム電子入り発電体装置とダイナモ増幅発電装置滑落防止カバーとの間に、第4の熱瞬間吸収発電シートを高出力ダイナモに積載内蔵する事で、通常ダイナモより、かなり上の増幅発電量が望める特許性の有る実用新案で有る。
高出力ダイナモの実際の使用用途説明。
第1の説明。
全世界の水力発電の通常ダイナモを、高出力ダイナモに換えるだけで、増幅発電量が望めて二酸化炭素排出防止効果を多く得る事が出来る。
第2の説明。
全世界の原子力発電所に内蔵積載して有る沸騰水タービン発電用の通常のダイナモを、高出力ダイナモに換えるだけで、増幅発電量が望めて二酸化炭素排出防止効果を多く得る事が出来る。
第3の説明。
現在、マスコミで騒がれている充電型リチウム電池を使用したリチウム電池車の日本企業が進めるバッテリー車と海外が、中国と共同開発するリチウム電池車の発電充電用ダイナモに積載すると、GPS地図を使った下り道路坂専用の高出力ダイナモ発電とリチウム充電池の充電を、多くのダイナモ発電電気量より、高出力ダイナモ等によって、追加増幅発電充電が出来る効果を得る事が出来る。
第4の説明。
トヨタのハイブリット車技術と特許庁と本田技研が主張するハイブリット車に次ぐ第3の沸騰水高出力ダイナモ発電の第3の高出力沸騰水ハイブリット車を弱者国民全体の自立を日本国の、国会が認めた場合、日本国弱者国民自立の為の沸騰水ピストン発電と高出力ダイナモを使ったハイブリット車の弱者国民自立の事業も夢で無くなる実現も近く成る。
第5の説明。
高出力ダイナモの構造は、通常ダイナモの中央部分を、刳り貫き、刳り貫いた場所に、高出力圧電素子磁石体の、軽水素トリチウム電子入りの圧電素子磁石体シートパネルと軽水素トリチウム電子入りチタン酸バリウムシートパネルを、交互に貼り合わせて、高圧縮させた軽水素トリチウム電子が、大量に入った圧電素子磁石体を、高出力圧電素子磁石体と命名して、高出力圧電素子磁石体を、通常ダイナモの中央部分を、刳り貫いた場所にキチンと隙間なく填まる状態で、薄型のステンレス板カバーとポルトナットで、固定して、通常ダイナモから、滑落しない構造にする事によって、通常ダイナモが、回転して、ダイナモ端子によって、発電が行われた場合、通常ダイナモの発電した電気は、高出力圧電素子磁石体を、通る際、大量の軽水素トリチウム電子に、圧電素子電気打撃の圧電効果によって、通常のダイナモの電気は、増幅された電気に成る、通常ダイナモに、軽水素トリチウム電子と圧電素子磁石体を、通常ダイナモに組み込んで、発電した場合の増幅発電現象に成る高出力ダイナモを積載内蔵した新2連振子型機械式発電機で有る。
【００１５】
また、第2の課題解決手段は、新2連振子型機械式発電機の高出力ダイナモを、連続高速回転させる為に、複数増幅ミッション歯車を使用積載した特許性の有る実用新案で有る。
新技術の、課題解決手段説明。
今までの、特開2003ー328925号公報の機械式発電機より、連動歯車の数を増やす改善策によって、ダイナモ歯車の回転スピードとダイナモ歯車の歯車抵抗を少なくして、振子装置及び、大型ゼンマイのゼンマイ歯車のダイナモ回転力を、更に小さなゼンマイ歯車エネルギーで、作動出来る用に連動歯車の数を増やして、振子歯車の往復電磁石インバータ制御の電磁石磁極切換えの、連続磁極切換え作動力の歯車抵抗を少なくしている課題解決手段で有る。
第1の説明。
此の場合、複数ミッション歯車は、歯車を超軽量化にする為に、歯車を複数の穴空き構造にした鉄製の歯車を使用する事に成る。
複数歯車は、振子装置の振子の左右に揺れる片方側の歯車エネルギーを、複数の歯車によって、増幅した歯車エネルギーを、薄型の高出力ダイナモの回転体に、歯車エネルギーを、伝えて発電する構造に成る。
此の場合、ダイナモ端子を、回転させる事で、軽量物質の回転体構造にする事で、ダイナモ発電構造の複数増幅ミッション歯車を、内蔵積載した新2連振子型機械式発電機。
【００１６】
そして、第3の課題解決手段は、新2連振子型機械式発電機の高出力ダイナモを連続回転作動させる為の複数ミッション歯車を連続作動させる為の、歯車付きの複数配列の電磁石吸引接着のインバータスイッチ作動の振り子軸を2連振子型機械式発電機の振子軸の振子の一方方向の振り子軸歯車の連続作動方式を、使った通常歯車では一方方向歯車連続の電磁石接合の装置の特許性の有る実用新案で有る。
その他の振り子装置の歯車連動技術として、イチョウ形状又は扇子形状歯車を、振子軸の軸複数重ね歯車とした振子軸が、右側から左側に振れる時点で、左側に到着する前に振子歯車が、外れてもう一つの電気振子スイッチによって、振子軸のイチョウ形状歯車が、右端まで電気スイッチ連続作動して、戻って振子装置が、右側に戻った時点で再び、イチョウ形状歯車を、電磁石接合によって振子軸歯車を連続作動させる他の解決手段。
その他の解決手段説明。
振子軸歯車と振子重り間の間に、振子が右側から左の中央部分に差し掛かる時に歯車鋼鉄Ｖ形状型の出は入りスイッチ作動の歯車回転作動ピンを、4箇所に設置して、4つの色々な歯車回転出来る装置を積載した歯車の回転方向を、全て同一方向にする振子歯車連続作動装置の複数連結三角錐形状振子歯車連続作動手段が有る。
新技術の、課題解決手段説明。
新技術の、振子歯車を、一方方向だけの、歯車回転にする技術は、電磁石インバータスイッチ作動付きの振子軸で有り、新技術では、電磁石の銅コイルを、銅筒官に軽水素トリチウム電子入り圧電素子磁石体の気化物質と圧電素子磁石体の気化物質と磁石固形物質の圧電素子磁石体の粉を、使った電気の通り易い圧電素子磁気粉と電気の通り易い電子の集合体気化物質の軽水素は、水素より、電気抵抗無く電気が、流れる物質の為、使用する事としている。
この技術の、軽水素は、特願2006ー140535号公報の軽水素入りの炭素シリコン技術の軽水素は、シリコンの炭素の熱の吸収し易い物質に、シリコン化合合成によって、シリコンの太陽光吸収度を、高める炭素技術で有り、シリコンは、従って熱集光率が上がる事に成り、軽水素を更に混合化合合成する事で、太陽光熱の炭素シリコン電子と軽水素電子の熱電子増幅を高める効果もたらした世界最新技術が、軽水素入りシリコンで有り、水素入りシリコンより、軽水素電子の質量の容量が水素電子より、軽水素電子の方が、水素電子より、軽水素電子の方が、多く入る為、水素より、軽水素トリチウム電子の方が、電子量が、最終的に多くなる為、水素より軽水素を使用する事に決めた理由に成る。
従って、振子軸の電磁石は、世界で初めての、電気配線に軽水素は、超電導配線技術にも、無い技術で有り、超電導配線自体は、電気抵抗を超電導物質で、取り除く技術に成るが、軽水素に電気を通しても、電気抵抗は取り除けられるのでは無く、電気の流れが電子のみの軽水素気化物質に、流れる為、電子の流れに沿って電気が、電子化すると同時に、圧電素子磁石体物質自体が、電子を発生させる事の出来る鉄磁石体と異成る物質で有り、圧電素子磁石体に通常電気を通した場合、通常電気は、圧電素子磁石体の磁界に沿って、通常電気が、整流化する為、通常電気が、超電導配線とは、異成る圧電素子磁石体電気配線構造によって、電気の整流化によって、軽水素トリチウム電子入りの圧電素子磁石体の電気の流れ方は、超電導配線とは異なる電気中の電気抵抗を取り除く技術と異なる通常電気を、圧電素子磁石体の磁界に通す事で、通常電気の磁気整流化によって、弱冠の電気抵抗の掛る超電導配線よりも、電気の流れを、軽水素トリチウム電子によって、電気の流れをスムーズムにした電気配線を、銅筒官配線に内蔵したコイル配線で有り、コイル配線として、使用しなければ、銅鉄の合金筒官配線及び銅アルミニウムの合金筒官配線及び錫鉛合金筒官配線など、他の配線が実用として、考えられるが、銅筒官コイル配線が、電気の通り易い物質の軽水素トリチウム電子入り圧電素子磁石体の電気配線としては、超電動配線とは異なる最高の電気配線技術に成る。
新技術の電磁石板の説明。
通常の電磁石は、鋼鉄板に、コイルを巻いただけの電磁石を電磁石と言い、通常の鉄より、鉄の密度の高い鋼鉄を使用した方が磁気力は上がる。
従って、他の発電機に使用積載されて来ていない電磁石板として、圧電素子磁石体の電磁石は、鋼鉄電磁石より、磁気力が弱く成るが、磁極切換えが、弱冠早く成る。
その為、鋼鉄磁石と圧電磁石の両方を備えた新技術の電磁石の永久磁石体として、新たに考えたのが、鋼鉄磁石を、複数穴空きの超薄板磁石体を数枚用意して、圧電素子磁石体に、軽水素トリチウム電子入りの、超薄板の軽水素トリチウム電子入りの、圧電素子磁石体を、数枚用意して、交互に重ね合わせた構造の人工複数物質の重ね合わせ永久磁石体は、鋼鉄板だけの、磁石体より、軽量に成り、軽水素トリチウム電子入り圧電素子磁石体粒子内蔵の銅筒官配線を、人工の複数穴空き超薄板の鋼鉄永久磁石体と軽水素トリチウム電子の圧電素子磁石体粒子内蔵の超薄板の圧電素子磁石体を交互に重ねた永久磁石に銅筒官コイル配線を、巻く事で、軽量の電磁石が、世界で初めて新技術の電磁石構造として、超軽量電磁石が出来る説明が一つで有る。
次に、銅筒官を、巻いた複数穴空きの超薄板鋼鉄磁石体と軽水素トリチウム電子入り圧電素子磁石体を、交互に重ねた人工の永久磁石に銅筒官コイル配線を巻いて電気を通した場合、銅筒官コイル配線の電気の流れが、スムーズムな事と、人工の複数重ねの永久磁石の圧電素子磁石体に、軽水素を内蔵した世界初の新技術によって、圧電素子磁石体の軽水素トリチウム電子の電子が、超薄板の圧電素子磁石体磁気と超複数穴空きの鋼鉄板磁石体の磁気と融合して、少ない電気量で鋼鉄電磁石の電磁石磁気力に成る、省電気消費型の、電磁石と成り、別名として、高出力電磁石に成り、モーターの電磁石に使用する事で、モーター電磁石コイル軽量構造に対して少ない電気消費で、高速回転出来る為、世界で一番早いモーター回転装置にも成る高出力電磁石構造説明と高出力電磁石を、内蔵積載した新2連振子型機械式発電機で有る。
【００１７】
そして、第4の課題解決手段は、新2連振子型機械式発電機の振り子装置の連続歯車回転作動の補助装置装置は、大型ワイヤ入りゼンマイ装置の全自動モーター巻き取り型のゼンマイ歯車は、長時間使用すると、ゼンマイ軸取り付け付近の切断金属劣化事故に成る為、超細ワイヤをゼンマイ板の内部に内蔵した新技術のゼンマイ板装置によって、ゼンマイ装置の交換を半永久化に近いゼンマイ板装置の摩耗劣化亀裂事故を防ぐ事を可能にした装置で有る。
此の他、ワイヤ入りゼンマイ装置を巻き取る場合、ゼンマイ装置の一部分を、電気接触スイッチゼンマイ装置の絶縁体の電気接触スイッチ式及びカラー色のカメラ色彩ダイオードのカラー色確認認識カメラ及び、ゼンマイ装置の電気磁気確認スイッチ装置とゼンマイ装置の形状を、透明ゼンマイ装置カバー取り付けによって、ゼンマイ金属板形状認識カメラスイッチ等によって、ゼンマイ装置の全自動巻き取りモーターの高出力モーターによって全自動ゼンマイモーター巻き取りを可能にしている他には絶対に無い技術で有る。
理由として、玩具には使用されて無いのが現状で有り、時計のゼンマイの自動巻き取り装置自体も無いのが現状で有り、ゼンマイ板の他のスプリング等の使用は有っても、ゼンマイ装置自体の使用用途は、数が限られて入る。
此の他、二つ以上のゼンマイ装置を使用しても、ゼンマイの巻き取り時間を、ずらしてゼンマイ全自動巻き取り高出力モーターを取り付けた場合、本発明の振り子の全自動往復作動等の連続した発電エネルギーを補助する発電装置は、軽水素入り圧電素子の高出力圧電素子の特許性の有る実用新案新技術で有る。
新技術の、大型ゼンマイ装置に超細ワイヤを、二本入れた構造説明。
古くから、使用されて来た柱時計のゼンマイ装置は、長く使用すると、金属劣化が進み、半永久全自動作動の2連振り子型機械式発電機の壊れる箇所は、ゼンマイ板の長時間連続使用のゼンマイ板切断事故に成る為、現在では、使用されないゼンマイ板の改良の新技術として、超細ワイヤを、ゼンマイ板全体に内蔵する事によって、ゼンマイ板の切れ防止とゼンマイ板のまき戻り反発度を高める事によって、半永久連続作動ダイナモ軸回転発電の理由の要件の改善の一つに成る。
他の応用技術説明。
水道の回転式水道コックに、超細入りワイヤを、入れたゼンマイ装置を、入れた水道コックを、放すと水道弁が閉まる新技術ゼンマイ板を使用した装置の応用及びレバー式水道蛇口にワイヤ入りゼンマイ板装置を、内蔵する事で、水道蛇口レバーを、放すと水が、止まるゼンマイ板切れ防止のワイヤを、内蔵した装置の水道装置、食料品関係の蛇口構造の応用技術にも成りえる。
この他、現在、余り見受けられないゼンマイ仕掛けの玩具のゼンマイ切れ防止装置として、使用用途が、幾らか考えられる。
この他、今では、製造されて無い、ゼンマイ仕掛けの時計に、超細ワイヤ入りのゼンマイ板使用が考えられる。
従って、新2連振子型機械式発電機に、積載される大型ゼンマイ装置は、振子装置の歯車回転作動を、連続補助回転させる為の大型ゼンマイの回転軸に、複数歯車の軸が取り付けられている構造に成る。
即ち、大型ゼンマイ装置は、半永久的に動き続ける為、ゼンマイの金属劣化が、速く成る為、ゼンマイに超細ワイヤを、二本入れる技術によって、ワイヤ切れを、防いだ技術を、新2連振子型機械式発電機に積載内蔵した装置で有る。
【００１８】
そして、第5の課題解決手段は、新2連振子型機械式発電機の歯車電気配線内蔵歯車軸は、電磁石歯車と二つ以上の電磁石歯車接合を、可能にした為、あらゆるミッションの電磁石接合ブレーキまでも、可能にした簡単で有る様で大切な発明装置で有り、他社に絶対に無い技術で有り、国の全額借金返済の技術の為、永遠に守られ続けなければ成らない特許性の有る実用新案新技術に成る。
新技術の歯車に電気配線を内蔵した説明。
歯車は、長時間使用すると、片べりする為、プラスチック歯車の使用を、避けたい為、プラスチック歯車等に、ステンレスの薄板を被せた、歯車摩耗対策は、超軽量で、丈夫なプラスチック歯車構造に成るが、半永久の連続作動としている為、歯車の摩耗劣化を、防ぐ為、歯車に、電気配線を内蔵させて、歯車の一部分を、電磁石と絶縁体を入れた世界初の新技術の電磁石インバータ磁極連続切換え型の電磁石歯車にする事で、歯車摩耗劣化を、更に防いだ新技術説明で有る。
電磁石歯車の用途説明。
電磁石歯車または、DCブラシレスインバータ制御歯車は、振子装置に取り付ける事で、片側振子装置作動の時だけ、電磁石接合して、電磁石歯車連続作動出来る装置で有り、2連振子型機械式発電機または、機械式発電機には、絶対欠かせない振子装置の片側作動の為の電磁石接合装置で有る。
従って、電磁石歯車の場合は、歯車の電磁石反発と吸引の切換えだけで、機械式発電機の歯車を、回転させる技術に成り、その為に、歯車の一部を、電磁石にして、複数穴空き歯車構造にもして有る新2連振子型機械式発電機の非常停止配線として、新2連振子型機械式発電機に積載した装置で有る。
【００１９】
そして、第6の課題解決手段は、新2連振子型機械式発電機の交換用充電池重り装置は、振子装置の電気緊急補給充電池装置で有り、新技術の軽水素ニッケル充電池に使用される構造に成って入る特許性の有る実用新案で有る。
新技術の、軽水素ニッケルの構造説明。
まず、最初に、水素ニッケルと異なる軽水素ニッケル充電池及びバッテリーは、水素のみの場合、水素中に含まれている重水素の内のプルトニウム水素は、熱抵抗物質に成り易く、プラス250度以上の核融合によって、有害な放射線物質を、弱冠放出するのは、広く知られている技術で有るが、充電池及びバッテリーを、地上の装置に、使用する事は、光熱を、発生する為、非常に難ししく、大型に成る為、充電池及びバッテリーには、不向きで有り、水素中の重水素プルトニウム自体が、電子と異なった物質の為、充電池物質及びバッテリー構造には、本来必要の無い物質に成る。
従って、軽水素ニッケル充電池と軽水素ニッケルバッテリーだけでも、特許性の有る実用新案で有るが、特許性を、明確にした軽水素ニッケル充電池及びバッテリーの新技術構造説明に入る。
通常の水素ニッケルのプラス極活物質には、オキシ水酸化ニッケルが、使用されているが、新技術の軽水素ニッケルでは、ニッケル酸バリウム溶液を使用してる点で有り、通常の水素ニッケルのマイナス極活物質には、水素吸蔵合金マグネシウム＋水素Ｈ2が使用されているのに対して、ニッケル粒子入り液体マグネシウム溶液の異なる液体融合金属を使用した水素ニッケルと異なった構造の水素吸蔵合金とは、別の液体マグネシウムのニッケル粉を、混合した液体マグネシウム化合溶液または、液体マグネシウム亜鉛粉化合溶液を、使用している点で有る。
更に、水素ニッケル充電池の電解液は、水酸化カリウムで有るが、軽水素ニッケル充電池の場合、軽水素が、使用されている。
更に、水素ニッケル充電池とは、異なる構造として、水素ニッケルでは、電解液に、水酸化カリウムを、使用しているが、軽水素ニッケルの場合は軽水素ニッケルのみ為、電解が、進まない理由として、充電時の熱オーバーの改善策として、充電池カバーの内枠の複数構造の内、充電時の熱電気を、磁気電気に、瞬間に変える為に、世界最新技術の圧電素子磁石体を、充電池の内枠または、バッテリーの内枠構造にした新技術によって、充電時の熱エネルギーオバー作用を避ける目的として、新技術の圧電素子磁石体内蔵の、充電池内枠カバー構造とバッテリー内枠カバー構造にしている点で有る。
更に、水素ニッケル充電池より、充電池時の熱電気発生率が、高い為、今まで一度も、充電池及びバッテリーには、冷却シート及び冷却パネルは、一度も使用去れなかった世界最新技術の、フロンガス混合固形窒素粒子入りのシリコンシートにプラチックカバーを被せたダブル冷却シート構造は、後々の使用済みの充電池とバッテリーのリサイクル冷却シートと使用する為、内側冷却シートと内側の圧電素子充電熱磁極切換え装置のダブルシートは、取り外し可能な構造に成って入るのも、世界最新技術と言える。
従って、軽水素ニッケル充電池とバッテリーの蓋の内側などは、軽水素トリチウム電子入り圧電素子磁石体磁気粒子内蔵の熱瞬間吸収発電出来る充電池蓋とバッテリー蓋構造に成って入る。
この他、外部カバーは、ステンレス製板のネジ蓋は、木材灰入りダイオードゴム化合Ｏリングによって、軽水素の外部流失を防いだ構造に成って入る。
従って、充電池のステンレス絶縁構造として、プラスチックシート接着絶縁または、ゴムシート接着絶縁または、樹脂加工物質シート絶縁構造に、成っており、ゴムシートとプラスチックシートのダブル絶縁シート構造は、他社に無い外部構造に成る。
この他、軽水素注入弁を、バッテリーと充電池に設ける事で、再利用充電池と再利用バッテリー構造を、可能にしたリサイクル100パーセント可能な構造にした軽水素ニッケル充電池の組み立て解体式の充電池構造説明で有る。
軽水素ニッケル充電池の極活物質の充電説明。
軽水素ニッケル充電池のプラス極活物質のニッケル酸バリウム溶液は、複数針穴式のニッケル筒金属装置の中に内蔵した構造に成り、軽水素ニッケル充電池のマイナス極活物質のニッケル粒子入り液体マグネシウム溶液を、内蔵する為の、複数針穴構造のニッケル金属筒構造にした為、液体の極活物質を、有効活用出来る構造にした特許性の濃い実用新案技術に成る。
上記に、掲げた軽水素ニッケル構造が、軽水素ニッケル充電池とバッテリー構造に成り、水素ニッケルの、プラス極活物質のオキシ水酸化ニッケルと異なるニッケル酸バリウム溶液に変わって入る点とマイナス極活物質に、ニッケル粒子入り液体マグネシウム化合物質溶液の新技術を使用している点と電解液に、水酸化カリウムと異なる軽水素を使用している点によって、水素ニッケル充電池とは、異なる軽水素ニッケル充電池構造とした充電池とバッテリー構造で有り、この他の、冷却シートと組立解体構造と電気抵抗物質の全く入って無い軽水素を使う新技術は、特許性の濃い実用新案説明に成る。
そして、振子装置に、取り付けられている曲り棒状のDCブラシレスモーターの高速作動の時、振子装置の充電池が、予備電源として活躍する新2連振子型機械式発電機の技術説明で有る。
【００２０】
そして、第7の課題解決手段は、新2連振子型機械式発電機の高出力DCブラシレスインバータ制御レールモーターは、複数穴空き超薄板の鋼鉄磁石体と超薄板の軽水素トリチウム電子入りの圧電素子磁石体を、交互に重ねてポルトナット止めした構造の他、複数穴空き四角形筒形状の永久鋼鉄薄板磁石体筒に超薄板の複数鋼鉄板永久磁石と超薄型の軽水素入り圧電素子磁石体を、交互に重ねた人工永久磁石を、四角形筒型の複数穴空きの、鋼鉄超薄板永久磁石内部に入れて超薄板の複数針穴永久磁石板カバーを被せた世界に絶対に無い、高出力人工永久磁石板で有り、電磁石のコイル配線は、世界最新技術の、銅筒官の内部に軽水素トリチウム電子入りの圧電素子磁石体の電気配線を内蔵した特許性の有る実用新案新技術装置で有り、振子装置及び大型ゼンマイのゼンマイ巻き戻に使用している電気消費を、更に少なくした新2連振子型機械式発電機に積載内蔵した装置で有る。
他の銅筒官技術説明。
銅筒官装置に、日本の慶応大学発明の超電導配線を入れた超電導銅筒官配線の慶応タイプと東芝電気の銅筒官に入れた超電導銅筒官セラミック配線東芝タイプなどが有り、銅粉と軽水素と圧電素子磁石体粒子と電気の通るプラスチックなど等の溶液を、混合合成してもコイル配線に成るが、超電導配線だけでは、コイル配線には成らない為、超電導配線モーターには、銅粉か銅筒官か銅平板を、数本必要とする網目方式が考えられる。
従って、高出力電磁石は、複数穴空き超薄板鋼鉄板と複数の軽水素トリチウム電子入りの圧電素子磁石体板を、交互に重ねた永久人工磁石に銅筒官の軽水素トリチウム電子入りの銅筒官配線を、永久人工磁石に巻く事で、高出力磁石に成り、少ない電気量で大きな電磁石力を得る事が出来るおそらく世界に絶対に無い装置で有る。
モーター形状説明。
日本の特許庁主張と本田技研主張の円形状に複数絶縁体と高出力人工永久磁石を、絶縁体と交互に重ねた永久磁石体モーター永久磁石軸リングとモーター永久磁石軸リングを囲むもう一つの円形複数高出力永久磁石体リングをはめ込む用に設置して、複数の永久磁石の一つ一つに、インバータ制御電磁石磁極全自動切換え装置を取り付けたモーター形状装置にした場合、複数電磁石のコイルが、邪魔になる為、シリコン膜またはチタン酸バリウム軽水素トリチウム電子シリコン発電膜を被せて超薄板の鋼鉄板を被せたモーターのコイルカバーを取り付けたモーター構造デザインも、他社に無い技術に成り、少ない電気量で回転作動出来る本田技研より、先DCブラシレスモーター電磁石配列デザインとモーター複数配列デザインが、墫野和夫のむ場合2001年5月に先技術発明著作権技術年月日証明に対して他社に絶対に無い高出力電磁石モーター積載の高出力DCブラシレスインバータ制御モーターによって、本田技研のハイブリット車を、一例に取ると更に電気消費が少なく成り、1リッターあたりの走行距離を延ばす事が、出切るが、日本の特許庁に先技術発明のDCブラシレスモーターの先技術著作権主張を墫野和夫が、何度も先技術発明の主張をしたが、受け入れてくれなくて無理だった。
従って、本発明の高出力電磁石を使用したDCブラシレスインバータ制御レールモーターは、他社に無い特許性の有る実用新案新技術で有る。
新技術の、高出力DCブラシレスインバータ制御レールモーターの説明。
高出力とは、少ない電気で、同じ形状の電磁石及びダイナモ発電出力及びモーター電気消費量及び燃料電池の全体発電量及び電気製品の超電導配線と異なる銅筒官軽水素トリチウム電子入り圧電素子磁石体の電気配線の様な、電気の通り易い物質で作り上げられた新技術の電気配線または、テレビなどの発電回路システムに高出力回路配線構造の説明用語として、使用する事が有る。
従って、通常のインバータ制御モーターは、新幹線が、古くから使われている複数のモーターのカーブの通常モーター速度制御装置に、使用されて来たのが、インバータ制御モーター自体のモーター積載特許権は、既に無くなっている特許切れ技術で有る。
更に、DCブラシレスモーターを、リニアーモーターと説明する東芝などでは、パソコン及び電気洗濯機に乗せている為、価格的に特許料金上乗せ料金体制を取ってる入るのも、現状の事実で有り、リニアーモーターカー自体が、日本の特許技術で無く、おそらく海外技術の特許切れ技術を、日本のリニアーモーターカーとして、構造の異なる簡単な超電導配線を、導入した新幹線より、簡単な構造が、リニアーモーターカー説明に成る。
従って、本田技研のハイブット特許モーターは、エンジン駆動装置に他国の他社の技術のリニアーモーターを積載したエンジン補助作動装置に成り、本田技研の最初のエンジン補助作動モーター装置は、実は特許に成ってないが、DCブラシレスモーター積載のハイブリットは、日本の特許に成っており、トヨタのハイブリットに関しても、特許提出が、今から30年前の作品を、国が、特別に認めて、特許にしている現状で有る。
従って、全世界の東芝のDCブラシレスモーターの特許料金上乗せ料金を、意味する説明は、海外のリニアーモーターの発明者か、本田技研に支払われている事に成り、テレビ報道の長者番づけの最高所得者として、テレビ報道が、されて当然な事実で有り、この他、日立のハイブリット軽油発電機は、過去の発電機より、数倍燃料消費が、少なく成っているが、特許使用料金の本当の利益者説明など、特許使用料金が、いくら掛っているかの説明が、無い現状でも有る。
本題の説明。
本題の、高出力DCブラシレスインバータ制御レールモーターは、東芝に無い高出力技術と本田技研に無い高出力技術は、特願2006ー140535号の図面に積載した高出力ダイナモ図面と高出力配線技術の改良型として、新技術の銅筒官に、軽水素トリチウム電子入り圧電素子磁石体粒子内蔵配線を構造とした銅筒官コイル配線に、世界最新技術の、複数穴空きの鋼鉄ステンレスの超薄型磁石体数枚と、軽水素トリチウム電子入りの圧電素子磁石体の超薄板磁石体を、交互に重ね合わせた人工の永久磁石体に超軽量の銅筒官コイル配線を、巻いた電磁石構造を簡単な用語として、高出力電磁石に成り、複数のインバータ制御装置によって、世界で一番少ない電気消費で、作動出来る電磁石と、高出力DCブラシレスインバータ制御レールモーターの回転軸側の、複数絶縁体と複数人工永久磁石は、超軽量化にする為に、複数の鋼鉄ステンレス複数穴空き板数枚と軽量化の実現の為に、軽水素トリチウム電子入り圧電素子磁石体の超薄板を交互に複数重ねる事によって、高出力DCブラシレスインバータ制御のレールモーターの人工の永久磁石の軽量化を計った為、歴然と、リニアーモーター形状のDCブラシレスモーター電気消費比較は、鋼鉄構造の永久磁石より、軽量の人工の超薄板の複数穴空きの鋼鉄ステンレス板と軽水素トリチウム電子入り圧電磁石体の超薄板を、交互に重ねて、ポルト止めした構造の人工の永久磁石の方が、他社より、完全にモーター軸側の総合重量が、軽く成る為、電気消費が、他社のDCブラシレスモーターより、電気消費が、少なく成り、更に、新技術の銅筒官コイル配線を、DCブラシレスモーターのインバータ制御する磁極切換え型の複数電磁石のコイルを電気の通り易い物質で作られた構造の銅筒官配線に変えている為、更にDCブラシレスモーターの全体の電気消費が、他社のDCブラシレスモーターよりも、電気消費を、少なくした世界初のDCブラシレスインバータ制御レールモーターの構造説明と作動説明で有る。
この他、特開2004ー304992号公報の、電気中の電気抵抗を取り除く装置を、積載した高出力DCブラシレスインバータ制御レールモーターの電気消費を、他社のDCブラシレスモーターの電気消費の違いを、明確に説明した高出力DCブラシレスレールモーターの新技術の新2連振子型機械式発電機に積載内蔵するモーター構造説明で有る。
【００２１】
そして、第8の課題解決手段は、新2連振子型機械式発電機の電気電子増幅装置は、高出力コイルの銅筒官の軽水素トリチウム電子入りの圧電素子磁石体粒子入りの電気配線を銅筒官配線に内蔵した新技術のコイル配線と発電型のコンデンサーは、軽水素トリチウム電子入り圧電素子磁石体粒子内蔵のシリコンシートをコンデンサーを囲む用に巻いた新技術と新技術の軽水素トリチウム電子入り新技術のプラスマグネトロン装置のプラスマグネトロン装置とマイナスマグネトロン装置の新技術の電子増幅型のマグネトロン装置のプラスマグネトロン装置とマイナスマグネトロン装置の新技術の電気電子増幅装置は、電子レンジの電気を、増幅電子に変える技術を、新技術の軽水素プラスマグネトロン装置と、マイナスマグネトロン装置に、よって省電気消費マグネトロン技術の圧電素子磁石体に軽水素トリチウム電子を入れて圧電素子磁石体の電子発生を、基本に考えた特許性の強い知的所有財産の実用新案で有る。
新技術の高出力コンデンサーと高出力マグネトロン装置の構造説明。
高出力コンデンサーは、別名熱発電コンデンサーと言い内部構造は、セラミック粒子入り軽水素内蔵オキシ水酸亜鉛溶液に、石灰油綿網シートでカバーされ、炭素カバーを掛け軽水素トリチウム電池入り圧電素子磁石体粒子内蔵電気熱発電シリコンシート層に再び石灰カバーを掛けた電気熱発電コンデンサーで、貯めたプラス電気エネルギーとマイナス電気エネルギーを、高出力プラスマグネトロン装置と高出力マイナスマグネトロン装置に、電気熱発電コンデーサーで、貯めた電気エネルギーを、プラスマグネトロン及びマイナスマグネトロンの異なるプラス電気配線とマイナス電気配線が取り付けられた高出力マグネトロンは、通常のマグネトロン板に、軽水素トリチウム電子入り圧電素子磁石体内蔵マグネトロン板に、軽水素トリチウム電子入りチタン酸バリウムシート薄膜と軽水素トリチウム電子入り圧電素子磁石マグネトロン板装置を、交互に重ねて、最後に鋼鉄磁石体電気配線を張り付けたプラスマグネトロン装置とマイナスマグネトロン装置は、軽水素トリチウム電子入りの圧電素子磁石体の新技術と軽水素トリチウム電子入りチタン酸バリウムシート薄膜を、交互に重ねた高出力プラスマグネトロン装置と高出力マイナスマグネトロン装置は、軽水素の電気圧打撃によって、少ない電気量で、同じ形状及び大きさのマグネトロン装置と比較して、少ない電気量で、高出力マグネトロンのプラス増幅電子電気と高出力マグネトロンのマイナス増幅電子電気を、得る事が出来る軽水素を圧電素子磁石体に内蔵した新技術のマグネトロン装置の構造説明と、省電気消費の可能な新技術のマグネトロン装置を、新技術の新2連振子型機械式発電機に内蔵積載する高出力マグネトロンの新技術説明に成る。
【００２２】
そして、第9の課題解決手段は、新2連振子型機械式発電機の発電回路のプラス発電回路とマイナス発電回路は、ここでも新技術の圧電素子自体に軽水素トリチウム電子の電子集合体を圧電素子に混合合成して内蔵する事で、圧電素子磁石体能力を高めて、プラス発電回路は、プラス軽水素トリチウム電子入りの圧電素子磁石体の中央部分のプラス磁気の一番弱い部分に、増幅電気取り込みの超小型銅板配線を取り付けて、軽水素トリチウム電子入りの圧電素子磁石体のプラス磁気の一番強い部分に、高圧プラス電気取り込み配線を取り付けて、高圧プラス電気を流す事によって、軽水素トリチウム電子入り圧電素子磁石体の軽水素トリチウム電子が、圧電素子磁石体のプラス磁気と融合した場所に強いプラス電気を、流す事で高圧電気の軽水素トリチウム電子の圧電素子磁石体の高圧電気打撃のプラス発電回路の増幅発電をプラス発電回路の軽水素トリチウム電子入りの圧電素子磁石体のプラス磁気の一番弱い部分に内蔵したプラス銅板配線から、プラス増幅電気を得る事が、出来る新技術で有り、マイナス増幅電気を、得る方法は軽水素トリチウム電子入りの圧電素子磁石体のマイナス圧電素子磁気体のマイナス磁気の一番弱い部分に超小型銅板配線を内蔵させて、マイナス磁気の一番強い圧電素子磁気部分に電気配線を取り付けて、高圧電気を、軽水素トリチウム電子入りの圧電素子磁石体のマイナス磁気の一番強い部分に流して、圧電素子磁気の磁気の一番弱いマイナス磁気に取り付けた超小型銅板配線から、軽水素トリチウム電子入り圧電素子磁石体の高圧電気の増幅電気を、軽水素トリチウム電子から得る事が出来る装置。
この他、水素入り圧電素子マグネトロンでも、弱冠の省電気消費に成ると考えるが、軽水素の場合は、全てがトリチウム電子集合体で有るが、水素の場合は、熱抵抗を意味するプルトニウム水素の分だけ、必要無い電気抵抗物質のプルトニウムに成る為、軽水素トリチウム電子入りが、ベストに成る。
新技術の発電回路説明。
新技術の発電回路は、プラス発電回路とマイナス発電回路を、必要とするのは、圧電素子磁石体の電子ライター発電石の鉄心を使って、圧電素子磁石体に磁気圧を、掛ける事によって、圧電素子磁石体から、電子が飛び出す現象を応用した発電方法で有り、必然と圧電素子磁石体の高出力化にする為に、軽水素トリチウム電子を、圧電素子磁石体の構造分子のチタン酸バリウム溶液に、軽水素を混合化合合成した物質に、雲母粒子などを、混合合成して、高圧縮固形物質化したのが、高出力圧電素子と言い、高出力圧電素子磁石体の中央ライン部分に、銅板増幅電子誘導体の電気配線が取り付けられ、高出力圧電素子磁石体の磁気の一番強い部分には、高圧電気取り込み配線の別説明のコンデンサー高圧電気取り込み装置または、高出力マグネトロン装置が、内蔵された電気電子増幅装置が、プラス発電回路とマイナス発電回路の先に取り付き強いプラス電気を、プラス発電回路の、軽水素トリチウム電子入りの圧電素子磁石体のプラス磁気に強い電気又は強いスクリュー電気を流す事で、圧電素子磁石体に予め内蔵されている軽水素の電気圧磁気電子変換発電効果によって、増幅発電を、プラス発電回路からは、プラス増幅発電電気を得る事が、出来てマイナス発電回路からは、マイナス増幅発電電気を得る事が、出来る新技術の発電回路のプラス発電回路構造説明で有り、マイナス発電回路は、高出力圧電素子磁石体のマイナス磁気の一番磁気の弱い部分に増幅マイナス電気銅板誘導体とマイナス増幅電気取り込み配線が必要に成り、高出力圧電素子磁石体のマイナス磁気の一番強い部分に、高圧マイナス電気取り込み配線が、取り付けられたプラス発電回路とマイナス発電回路の構造説明で有る。
従って、軽水素トリチウム電子入りの圧電素子磁石体を、使った電子ライターは、必然的に、高圧電子を発生する電子ライターの石に成り、水素を内蔵した圧電素子磁石体電子ライターの石は、軽水素より劣るが、増幅電子を、出す事が可能に成る水素入り圧電素子磁石体の鉄心磁気圧発電説明で有る。
更に、軽水素を、充分に含んだ圧電素子磁石体は、水素では、プルトニウム電気抵抗体が、入っている為、電気抵抗体物質の影響を受けるが、軽水素トリチウム電子入り圧電素子磁石体の場合は、電気抵抗の無い物質の軽水素トリチウム電子集合体の為、軽水素トリチウム電子内蔵の圧電素子磁石体に強い電気圧電気を通す事で、増幅電気電子を、プラス発電回路から、プラス増幅電子電気を得る事が出来て、マイナス発電回路から、マイナス増幅電子電気を得る事が出来る。
これを、圧電素子磁石体の軽水素の電気磁気打撃効果の増幅発電効果と言い、おそらく世界で、初めての発電回路装置を、新2連振子型機械式発電機に積載した高出力発電回路の新技術部品説明に成る。
【００２３】
そして、第10の課題解決手段は、新2連振子型機械式発電機の、回路電気配線は、銅筒官配線の軽水素トリチウム電子入り圧電素子磁石体入りの、電気の通り易い物質の電子の集合体の軽水素トリチウム電子入りの電子発生装置の圧電素子磁石体粒子を、軽水素と混合合成した電気配線を、銅筒官に内蔵した新技術の銅筒官配線を、積載内蔵した新2連振子型機械式発電機。
新技術の銅筒官配線の説明。
銅筒官電気配線は、銅線を中抜きの筒状の銅線にした銅筒官形状の銅線内に、新技術の特願2006ー140535号公報の、図面に書かれている圧電素子磁石体粒子を使った陽電子陰電子配線を、更に改良した新技術の、軽水素トリチウム電子入りの圧電素子磁石体粒子入り配線は、電気の通り易い圧電素子磁石体粒子物質と電気の電子集合体で、構成されている軽水素トリチウム電子は、電気抵抗物質を一切入って無い、超電導物質配線と異なる電気の通り易い軽水素と、鉄心打撃圧電によって、電子発生発電出来る圧電素子磁
石体粒子に軽水素トリチウム電子を混合化合合成した新技術の銅筒官配線で有る。
従って、電気の通り易い物質だけで、出来ている電気配線の為、電気の熱溜まりが通常配線より、少なくなる為、モーターコイル配線及び家電製品の電気配線及びコードに使用した場合、電気使用料金が、少なくする事の出来る電気の通り易い物質だけで作り上げた電気配線物質で有り、超電導配線は、電気中の電気抵抗を、取り除く考え方の電気配線に成るが、本発明の銅筒官配線は、電気抵抗の掛らない物質の軽水素トリチウム電子と、電気の流れを磁界線に整える事の出来る圧電素子磁石体粒子を、混合化合合成した世界初の、電気の通り易い物質だけで、作り上げた高出力銅筒官電気配線を、積載内蔵した新2連振子型機械式発電機の新技術部品説明。
【００２４】
そして、第11の課題解決手段は、新2連振子型機械式発電機の、盗難防止の為と、発電機の不正解体防止対策として、新2連振子型機械式発電機の新技術の高出力モーター構造の複数穴の超薄型鋼鉄コイルパネル板と軽水素トリチウム電子入りの圧電素子磁石体モーターコイルパネルを交互に重ねて、ポルトナット止めした複数穴空き鋼鉄コイル板と軽水素トリチウム電子入りの圧電素子磁石体を交互に重ねて固定した人工永久磁石コイル板に、銅筒官配線の軽水素トリチウム電子入りの圧電素子磁石体内蔵の銅筒官配線を、巻いた新技術のコイル板を積載した内コイル式の超小型高出力モーターを積載内蔵した高出力電動モーター仕切り弁装置を積載内蔵した装置の中に、新2連振子型機械式発電機のボルトナット及び取っ手装置及び2連振子型機械式発電機を、吊る金具を保護する為の高出力電動モーター仕切り弁装置で有り、電波送受信装置の携帯波送受信回路装置と繋ぐ事で、携帯波電話装置で、電動モーター仕切り弁装置を携帯電話ボタン作動出来る装置で有る。
高出力電動モーター仕切り弁装置の構造説明。
電動モーター仕切り弁は、特開2003ー328925号公報の通常手動仕切り弁軸に、モーター軸を取り付けた構造の装置で有ったが、電気消費を、少なくしたモーター構造装置が必要に成り、高出力モーターとして、銅筒官配線の銅筒官形状の銅筒官に、軽水素トリチウム電子入り圧電素子磁石体の混合化合合成した電気の通り易い物質だけで作り上げた銅筒官コイル配線と特殊コイル板構造装置として、コイル板の鉄板の中央部分を、刳り貫いたコイル板に、軽水素トリチウム電子入りの圧電素子磁石体粒子を代わりに内蔵したコイル板に、ステンレスカバーまたは複数穴空きステンレスカバーを、コイル板に被せた構造にしたコイル板の、軽水素トリチウム電子入りの圧電素子磁石体粒子滑落防止の為の、ステンレス薄板で有り、軽水素トリチウム電子入り圧電素子磁石体の滑落防止した薄ステンレス板装置をポルト止めしたコイル板に、銅筒官コイル配線を、巻く事と同時に電気を通す事によって、通常コイル板と異なる軽水素入りの、圧電素子磁石体の軽水素トリチウム電子を活発化させて圧電素子磁石体の磁気粒子の銅筒官配線に電気を通す事によって、電磁石コイル作動する電気エネルギーを少なくする事が出来ると同時に、モーター内コイルを軽くする事で、モーター電気消費を少なくした高出力モーターで有り、高出力モーター軸に手動仕切り弁軸を取り付けたのが高出力電動モーター仕切り弁装置を、積載内蔵した新2連振子型機械式発電機の新技術部品説明。
【００２５】
そして、第12の課題解決手段は、新2連振子型機械式発電機の軽水素ニッケルバッテリー及び充電池は、水素と異なる水素中の重水素ジュテリウムを取り除いた軽水素トリチウム電子入りバッテリーと充電池のプラス極活ニッケル物質に対して、ニッケル粒子入り液体マグネシウム溶液とフロンガス混合固形窒素材入りプラスチック溶液固形化冷却アタッチメント装置と軽水素トリチウム電子入り圧電素子磁石体内蔵シリコンパネル電気熱発電パネル装置とマイナス極活ニッケル粒子入り液体マグネシウム溶液とニッケル酸パリューム溶液と軽水素トリチウム電子入り圧電素子磁石体内蔵シリコン熱発電体アタッチメント装置とプラス極とマイナス極を分ける真空冷却物質仕切り複数物質重ねパネル仕切り板装置は、固形窒素セラミック絶縁体などを、積載内蔵したナット型電極棒とナット型円形バッテリー蓋と充電池蓋を構造とした水素ニッケル充電池と異なる軽水素ニッケルバッテリー及び充電池構造で有る。
バッテリー溶液のプラス極側のニッケル粒子入り液体マグネシウム溶液は、今まで使用した事が無い物質で有り、マイナス極側のニッケル酸バリウム溶液も、今まで使用した事の無いバッテリー溶液に成る。
円柱形状の解体組立可能な軽水素ニッケルバッテリー説明。
本発明の、軽水素ニッケル充電池及びバッテリーは、2006ー140535号公報の改良型の構造説明では、プラス極活物質にニッケル金属として、プラス電解質に、ニッケル粒子入り液体マグネシウム軽水素溶液として、マイナス極活物質に、ニッケル金属として、マイナス電解液に、ニッケル酸バリウム軽水素溶液としたバッテリーと充電池の材質説明で有る。
マイナス電解液とプラス電解液の仕切り板は、真空冷却物質仕切り複数物質重ね仕切り板構造は、仕切り板の超薄真空空間板の両側に、フロンガス入りの固形窒素シリコン化合物質のグラスファイバーカバー板で、仕切られたバッテリー及び充電池のプラス電解液とマイナス電解液の仕切り板新技術の構造説明で有る。
この他、充電池及びバッテリーの充電時に発生する熱を、瞬間に磁気電気化する為に、新技術バッテリーと新技術充電には、軽水素トリチウム電子入り圧電素子磁石体内蔵パネル電気熱分離発電パネル装置で有り、現在の充電池バッテリーに使われ来なかった新技術で有る。
従って、外側パネルは、ステンレス筒板カバー等によって、バッテリー保護及び充電池保護された構造に成る。
発電回路の積載貼り付け及び取り付けによって、軽水素ニッケルバッテリーの、充電電気エネルギーを使って、プラス発電回路にプラス電気を通して増幅プラス電気を得る事が出来て、マイナス発電回路にマイナス電気を通して増幅マイナス電気を、得る事が出来る。
発電回路の構造説明。
発電回路は、プラス発電回路とマイナス発電回路の二つが必要成り、プラス発電回路は、新技術の軽水素トリチウム電子入りの圧電素子磁石体のプラス磁石体部分を使用したプラス発電回路のプラス磁気の一番強い部分にプラス電気を通してプラス電気発電する技術とマイナス発電回路は、軽水素トリチウム電子入り圧電素子磁石体のマイナス磁石体部分のマイナス磁気の一番強い部分から、マイナス電気を通す事によって、マイナス増幅電気を得る技術は、マイナス圧電素子磁石体に軽水素トリチウム電子を内蔵する混合加工技術とプラス発電回路のプラス圧電素子磁石体に、軽水素トリチウム電子を、混合加工する技術によって、圧電素子磁石体の鉄心打撃電子発電能力を、パアーアップさせる技術によって、圧電素子磁石体の鉄心打撃発電力を、上げた技術は、熱抵抗電気の一切入って無い軽水素トリチウム電子を、圧電素子磁石体に入れる事で、強い熱抵抗の入っている通常電気打撃の軽水素トリチウム電子入りの圧電素子磁石体の電気打撃電気増幅発電を可能にした世界最新技術の発電回路を複数積載した組立解体可能な充電池及びバッテリー技術を、積載内蔵した新2連振子型機械式発電機の新技術部品説明。
【００２６】
そして、第13の課題解決手段は、新2連振子型機械式発電機の送受信アンテナは、新技術の軽水素トリチウム電子入りの圧電素子磁石体もしくは、圧電素子磁石体粒子を、アンテナ送受信金属に圧電素子磁石体粒子を、貼り付けまたは内蔵したアンテナ送受信金属を、新2連振子型機械式発電機の携帯波及び多中継型の無線波及び将来型の地下シールド無線波などに対応した新2連振子型機械式発電機に積載した新技術のアンテナ金属構造で有る。
軽水素トリチウム電子入り圧電素子磁石体粒子入りアンテナの構造説明。
通常アンテナは、銅アンテナにステンレスを、メッキ加工したのが、古い特許切れ技術で有り、内蔵アンテナの特許切れ以降、アンテナ材を、竹にビニールを巻いたデザインアンテナなど、プラスチックアンテナなどが、使用されているのが、現状の様で有り、従って、電波ノイズが、取れないのが現状の為、電波ノイズを取る為、本発明のアンテナ装置に、軽水素トリチウム電子入り圧電素子磁石体または磁石体粒子を、内蔵したアンテナ素材にする事で、電波ノイズを、軽水素トリチウム電子入りの圧電素子磁石体粒子の磁界線アンテナによって、乱れた電波を、軽水素トリチウム電子によって、圧電素子磁石体磁気効果を高めると同時に、乱れた電波は、圧電素子磁界線に通す事で、乱れた電波を、磁界線によって、整流電波にする事が出来る軽水素トリチウム電子入りの圧電素子磁石体粒子入りアンテナ効果に成り、軽水素トリチウム電子入り圧電素子磁石体とステンレス板を、交互に重ねた多重層アンテナ構造によって、乱れた電波の補正した整流電波を得る事が出来るアンテナを、積載内蔵した新2連振子型機械式発電機の新技術分品説明。
【００２７】
そして、第14の課題解決手段の威嚇スピーカーは、新技術の防水性の高いグラスファイバー制のスピーカー紙構造で有り、更に、新技術の高出力電磁石構造は、複数穴空き構造の、超薄型の鋼鉄磁石体を複数枚と軽水素トリチウム電子入りの圧電素子磁石体の超薄型の磁石体を交互に貼り合わせた人工磁石体に、銅筒官コイル配線の銅筒官に、軽水素トリチウム電子と圧電素子磁石体を混合合成した電気コイル配線を巻いた新技術の電磁石構造。
威嚇スピーカーの構造説明。
水中スピーカーの特許切れによって、異なる水中防水スピーカーは、スピーカー紙を、グラスファイバー紙にする事で、水濡れ防止対策とした点、更に、セラミック粉などを、グラスファイバー紙に、混合内蔵させる事で、音質を変えたりする工夫によって、今までに無い音質の領域と石のスピーカー及び、金属粉スピーカー及び、樹脂糸内蔵グラスファイバー紙及びプラスチックに金属網と金属粉を、内蔵させたスピーカー紙などの水に濡れても、損傷しないスピーカー構造にする事で、雨ざらしの劣化防止対策をした上で、新技術の銅筒官コイル配線技術と、新技術の電磁石板技術として、超薄複数穴空きステンレス板に、超薄の軽水素トリチウム電子入り圧電素子磁石体を、交互に重ねてポルト止めした構造の電磁石板に、新技術の銅筒官配線を巻いて、電気を通す事で、銅筒官コイル配線は、電気が通り易い物質のみの軽水素トリチウム電子の気化物質と圧電素子磁石体によって、電気抵抗の掛らない状態で、電気が流れ、不規則な電気抵抗の入った電気を圧電素子磁石体の磁界線に通す事で電気抵抗を、均一にして電気を流す為、電気抵抗に成りづらい電気に成る為、同じ電気でも、電気抵抗の余り掛らない電気と電気抵抗の掛る電気に成る事に成る。
従って、防水効果が、有って電気消費の少ないスピーカーは、新2連振子型機械式発電機の高出力電動仕切り弁の中に有るポルトナットを外した場合、威嚇スピーカーから防音が、出ると同時に、携帯電話の瞬時連絡が、出来る世界初の威嚇スピーカーを、積載内蔵した新2連振子型機械式発電機の新技術部品説明。
【００２８】
そして、第15の課題解決手段の新2連振子型機械式発電機の磁波計側計は、磁波の波を目視確認する為に、ゲルマニウムラジオ波を確認する為の、オシログラフ装置によって、ゲルマニウムラジオ波を、目視確認出来る用にした装置を、地下マグマの地波の放射現象を、ゲルマニウムラジオ波が磁波の強い波によって、ゲルニウムラジオ波を曲げる為、ゲルマニウムラジオ波オシログラフ装置によって、磁波の波形を計測出来るラジオ波を使った磁波計測装置。
磁波計測装置の構造説明。
磁波計測装置は、ヘリコプターなどに吊って計測するマグマ磁波の磁気計測装置が、存在するが、超小型式な物は無いばかりか、現在全世界では、このタイプだけだと考えられる。
従って、私達が、活断層付近または、火山の噴火時の数週間前の活断層近くまたは、大きい地震の何週間前のマグマ磁波の変化によって、自動車ラジオの雑音に気が付く現象を、幾度か体験した事と考えます。
その為、ラジオ波が、マグマ磁波の発生によって、ラジオ波が乱れる現象を、応用したラジオ波の波の乱れを計測出来るラジオ電波スコープまたは、弱電波スコープ装置によって、電波の上下の波を計側出来る液晶ラジオ電波スコープ装置の液晶画面の軽水素入り液晶パネルに、上下ライン電気配線スイッチと左右のライン電気配線スイッチによって、電波の乱れた位置を、計測出来る電波の上下の位置と左右の位置によって、電波の強弱の位置を、確認及び認識出来る装置によって、磁波が、電波に与える影響によって、磁波の発生の、強弱によって、近くで起こる地震などの、予知データーとして、活用する事を、目的とした地波計測装置を、2連振子型機械式発電機に積載する装置で有る。
将来的の地震予知観測インターネットデーターライン網は、全世界の自動車に超小型磁波計測装置を、計測して全世界のトラクターなどの農業機械に積載して、更に、全世界の、建設機械に積載すると同時に、全世界のロボットに小型の磁波計測装置を、積載内蔵し、全世界の腕時計型携帯電話に、超小型磁波計測装置を、積載して、地震の予知データーを、瞬時に集める電波送受信機能付きの超小型磁波計測装置によって、地震予知データーサービスの構築を、築いて行く道筋にする為の、ゲルマニウムラジオの微弱ラジオ波装置を、使用積載した地震磁波計を、積載内蔵した新2連振子型機械式発電機の新技術部品説明。
【００２９】
そして、第16の課題解決手段の新2連振子型機械式発電機の温度計連絡装置は、通常ガラス水銀温度計にカラーライトを照らして、水銀のカラー光遮断位置を、新技術の軽水素トリチウム電子入りダイオードカラー光感知装置及び軽水素トリチウム電子入り圧電素子磁石体内蔵シリコン光確認装置によって、水銀球のカラー光遮断位置を、軽水素トリチウム電子入りダイオート光確認装置のカメラのCCD光感知装置によって、温度を計測する他社とは異なる新技術の軽水素トリチウム電子入りのダイオード温度計測装置で有り、軽水素効果によって、軽水素トリチウム電子が、ダイオードパネル内で、活発に作動させる事によって、カラー光確認及び認識及び認知及び連絡が、速くする事の出来る新技術のカラーライトの新技術の軽水素トリチウム電子入りのダイオード説明で有る。
従って、カメラCCDの技術に対しても、新技術に成る。
温度計測装置の構造説明。
現在あるのが、体温計などに使用されているタイプが有るが、特許切れ財産は、全世界の企業は、特許切れの著作権財産権主張する為、特許切れの著作権使用料金契約を、しないで、無断で作ると不正競争の国際法にかかり、賠償金問題に成る。
その為、特許切れの温度センサーを、軽水素トリチウム電子入りのシリコン超小型熱感知熱発電パネルの熱発電量感知温度計の考え方も有るが、水銀温度計にカラーライト光を当てて、水銀計の示す温度を、カラー光が示して、カラー光の遮断位置確認認識によって、温度を計測して携帯電話へ温度データーを、温度送受信装置によって、全自動連絡出来る温度計装置と温度連絡装置の構造装置を、積載内蔵した新2連振子型機械式発電機の新技術部品説明。
【００３０】
そして、第17の課題解決手段の新2連振子型機械式発電機の地震計は、振子棒に弱電気スイッチの付いた鉄球又は、新技術の軽水素トリチウム電子入りの圧電素子粒子と電気の通るプラスチックと鉄分を、混合合成した振子球が使用され、地震の際、振子球が振れて振れる端に設けた鉄球電気接触スイッチ板によって、電気信号が、送られ振度の大きさを、全自動の地震震度計測計で、計測して、携帯波送受信装置及び無線波送受信装置で、連絡する事の出来る地震計連絡装置で有る。
地震計連絡装置の構造説明。地震計装置に、軽水素トリチウム電子入り圧電素子磁石体内蔵複数針穴式の鋼鉄球振子装置または、鉄球筋付き装置の左右の連続運動によって、磁石体鉄球の左右の磁気センサーの感知時間の鉄球と両サイドの磁気感知センサーの軽水素入り圧電素子磁石体内蔵の複数針穴式の磁石体に配線が取り付けられた装置は、電磁発電の増幅磁気電気を、感知して、地震の震度を、全自動の振り子波計測をして、送受信装置を、使って震度を全自動連絡出来る2連振子型機械式発電機の地震計装置を、積載内蔵した新2連振子型機械式発電機の新技術部品説明。
【００３１】
そして、第18の課題解決手段の新2連振子型機械式発電機の新技術の、新技術の大気熱吸収発電型のソーラーパネルは、軽水素トリチウム電子入り圧電素子磁石体内蔵シリコンソーラーパネルは、軽水素トリチウム電子入り炭素内蔵シリコンソーラーパネルは、現在の携帯電話のシャープ製と異なる点は、炭素のみで、無く軽水素トリチウム電子入り炭素シリコンは、ここでも、軽水素トリチウム電子が、炭素の太陽光吸収率を高め、軽水素トリチウム電子入りシリコン装置が、太陽光の炭素集光熱を、軽水素トリチウム電子によって、シリコン発電を活発かさせる効果までが、特願2006ー140535号公報の軽水素トリチウム電子入りの炭素内蔵シリコンソーラーパネルの改良型として、炭素集光熱の熱軽水素トリチウム電子シリコンの熱電子の電気変換率を、更に高める為に、炭素から、圧電素子に水素を入れる著作権先発明の2002年8月上旬の先発明技術の先著作権発明の北海道庁著作権原本の年月日証明にて、先技術発明の年月日証明の事実に基づいて、先技術行使の主張にて、ダイナモに、軽水素トリチウム電子入り圧電素子磁石体粒子を入れた高出力ダイナモ新技術と高出力モーターの内コイル板に、軽水素トリチウム電子入り圧電素子磁石体を、取り入れた高出力モーター技術とコイルに、銅筒官の軽水素リチウム電子と圧電素子磁石体電気配線を、銅筒官に内蔵した新技術で有り、本発明の軽水素トリチウム電子入り圧電素子磁石体粒子内蔵シリコンソーラーパネルは、圧電素子磁石体粒子の軽水素トリチウム電子入りシリコン電子熱の瞬間の圧電素子磁石体粒子の熱電子の瞬間磁気変換を、可能にした世界初の技術で有り、この新技術は、テレビのガラスの電気熱発電技術とビル街の、新技術の太陽光発電の軽水素トリチウム電子入り圧電素子磁石体粒子入りシリコンシートの宣伝看板発電事業等の、応用技術として期待されている2002年8月上旬の先技術発明の著作権証明の有る、世界の先著作権発明技術主張として通る世界最新の新技術で有る。
此の他、燃料電池の水感知センサーの液体マグネシウムの燃料電池の水素と酸素の瞬間吸収物質内蔵の複数穴空き圧電素子磁石体パネルにも、応用されている世界最新技術の、圧電素子磁石体粒子入りパネルを、他社のおそらく国際特許技術の燃料電池の瞬間水素と酸素の吸収物質の液体マグネシウムの熱電子の瞬間圧電素子磁石体の熱電子磁気瞬間の電気磁気変換技術として、今後の世界的規模の燃料電池の熱磁気電気瞬間変換技術として、活躍される絶対必要視される世界的新技術で有る。
ソーラーパネルの技術説明。
シリコン結晶を、使ったソーラーパネルは、現在までの技術だが、軽水素トリチウム電子入り、圧電素子磁石体は、太陽光熱及び外気熱を、シリコン吸収によって、軽水素トリチウム電子の熱吸収増幅電子発電現象に対して、熱シリコン内蔵の軽水素トリチウム電子の電子活動を、活発にさせる事と同時に、圧電素子磁石体磁気粒子が、軽水素シリコンの熱電子を、瞬間に磁気変換出来る装置説明で有る。
他のシリコン物質以外のソーラーパネル技術説明。
シリコン以外は、ビニール素材に、軽水素トリチウム電子と圧電素子磁石体粒子を内蔵した場合、可なりの発電量が、予測されるシリコンを使用しないソーラーパネルで有り、この他、綿網シートに軽水素トリチウム電子と圧電素子磁石体粒子とプラスチック溶液を、混合合成した軽水素圧で素子磁石体プラスチック溶液を、綿糸シートにしみ込ませて固めて、電気供給配線を取り付けたシリコン材使用無のソーラーパネルも、ビニールより、劣っても、現在の、ブルーシリコンソーラーパネルよりは、発電量が上に成る高出力ソーラーパネルを、積載内蔵した新2連振子型機械式発電機の補助発電装置の新技術部品説明。
【００３２】
そして、第19の課題解決手段の新2連振子型機械式発電機の新技術の、大気熱発電型ソーラーパネル内蔵型の液晶パネルは、世界特許の液晶テレビパネルの特許権切れに対応した液晶パネルの電気熱発電シート技術として、軽水素トリチウム電子入り圧電素子磁石体粒子内蔵のダイオード熱発電シート技術に対して、液晶テレビのガラス基板の新技術は、二枚合わせクリスタルガラスの間に新技術の軽水素トリチウム電子入りのシリコンのガラスの端に、圧電素子磁石体粒子と複数絶縁層を取り付けた熱磁気変換の為の圧電素子磁石体粒子粒子を軽水素トリチウム電子シリコン熱電子の磁気変換装置を、二枚合わせガラスの端に取り付けた圧電素子磁気体と複数絶縁体と電気配線を取り付けた液晶テレビのガラス基板装置で有る。
電気熱発電シートの説明。
テレビのガラス面を触ると、液晶テレビのバックライトの熱エネルギーによって、熱くなっているのが、確認出来る熱エネルギーを、電気エネルギーに瞬時に変える為に、液晶外部ガラス面の二枚合わせガラスの間に、軽水素トリチウム電子入りの圧電素子磁石体粒子入りシリコン網を、二枚合わせクリスタルガラスの間に、軽水素トリチウム電子入り圧電素子磁石体粒子入りシリコン超薄発電シート技術に成る。
従って、液晶テレビ画面のバックライト熱を、軽水素トリチウム電子入りシリコンが、熱吸収して、軽水素トリチウム電子によって、電子熱増幅が出来て、圧電素子磁石体粒子によって、軽水素トリチウム電子入りシリコン電子を、瞬間磁気変換させる事によって、ソーラーパネルの増幅発電を、可能にしたテレビのガラス熱発電技術を、積載内蔵した新2連振子型機械式発電機の計器パネルの新技術部品説明。
【００３３】
そして、第20の課題解決手段の新2連振子型機械式発電機の新技術の液晶パネルの偏光板にも、軽水素トリチウム電子入りシリコン膜と圧電素子磁石体と絶縁体と電気配線を取り付けた電気熱発電膜内蔵の偏光板の世界最新のテレビ偏光板の新技術で有る。
別に、発電網シートが有る。
偏光板発電糸シート装置の説明。
電気熱発電膜を、内蔵した偏光板は、軽水素トリチウム電子入りシリコン糸シートを、偏光板に内蔵する事で、偏光板の電気熱は、軽水素トリチウム電子入りシリコン糸を内蔵する事で、シリコン糸の熱吸収と軽水素トリチウム電子の熱吸収増幅電子活動によって、軽水素トリチウム電子入りシリコン糸は、軽水素トリチウム電子によって、増幅発電する事が出来ると同時に偏光板の光角度に合わせて軽水素トリチウム電子入りシリコン糸ラインを内蔵設置する事で、他社に無い発電画像装置のの偏光板装置を、積載内蔵した新2連振子型機械式発電機の計器パネルの新技術部品説明。
【００３４】
そして、第21の課題解決手段の新2連振子型機械式発電機の新技術の計器画像液晶パネルのカラーフイルターの熱吸収発電超薄シート膜として、軽水素トリチウム電子入りダイオードの圧電素子磁石体粒子と銅筒官電気配線を取り付けた新技術は、カラーフイルターに電気映像波信号を送る為の、電気配線を通常の銅配線から、銅筒官の軽水素トリチウム電子入りの圧電素子磁石体粒子内蔵の銅筒官配線を使用したカラーフイルターの電気配線を、通常の銅配線から、新技術の銅筒官配線に変える事で、映像波電気信号のスピードを、上げる事が出来て、省電気消費の電気配線に成る理由として、銅筒官電気配線自体が、電気熱瞬間吸収発電体を使った世界初の新技術の電気配線に成る。
カラーフイルターの電気熱発電の為のカラーフイルター電気熱瞬間吸収発電シートの軽水素トリチウム電子入りの圧電素子磁石体粒子一部内蔵のシリコンシートの銅筒官配線技術とカラーフイルターの青ダイオードに、軽水素トリチウム電子入りの新技術の軽水素トリチウム電子入り青色ダイオード技術と軽水素トリチウム電子入りの赤色ダイオードの新技術と黄色ダイオードに軽水素トリチウム電子を入れた新技術の軽水素トリチウム電子入りの黄色ダイオードの三原色のカラーフイルターの軽水素トリチウム電子入り三原色ダイオード新技術によって、映像波の再生色の鮮やかさとクッキリ度を増す理由として、映像波信号が、軽水素トリチウム電子入りの三原色ダイオードに映像波が、入った場合、軽水素トリチウム電子効果によって、三原色のカラーフイルターの色彩度が、軽水素トリチウム電子効果によって、ダイオードの色発生色彩色が増す事に成る世界最新技術で有る。
発電カラーフイルター装置の構造説明
カラーフイルターは、三原色軽水素トリチウム電子入りダイオードカラーフイルターシート装置の間に軽水素トリチウム電子入りシリコンカラーフイルター発電網装置に軽水素トリチウム電子入り圧電素子磁石体の熱電気磁極分別装置に電気配線を取り付けた新技術のカラーフイルター発電装置は、軽水素トリチウム電子入りシリコンによって、間増幅電子によって、熱電気電子増幅したシリコン熱電子電気を、カラーフイルターの端に取り付けられている軽水素トリチウム電子入り圧電素子磁石体電気配線を通じて、軽水素トリチウム電子入りシリコンシート熱電子を、軽水素トリチウム電子入り圧電素子磁石体によって、熱電子の磁極分別を、行える発電軽水素トリチウム電子入り、圧電素子磁石体の磁気磁極の磁界線効果によって、熱電子の瞬間磁気磁極分別を可能にした新技術のカラーフイルター電気熱発電軽水素トリチウム電子入り圧電素子電子磁気区別して、圧電素子磁石体の軽水素トリチウム電子電気変換技術を、積載内蔵した新2連振子型機械式発電機の計器パネルの新技術部品説明。
【００３５】
そして、第22の課題解決手段として、新2連振子型機械式発電機の新技術の配向膜に取り付ける新技術の電気熱瞬間吸収発電パネルは、軽水素トリチウム電子入り一部圧電素子磁石体粒子内蔵のシリコン膜と複数絶縁体と電気配線を取り付けた電気熱発電膜貼り付けの配向膜に対して別の発電網シートが有る。
配向膜発電シートの構造説明。
配向膜は、ダイオード配向膜はビニール糸と軽水素トリチウム電子入りシリコン発電糸を配向膜状に形成した装置を、積載内蔵した新2連振子型機械式発電機の計器パネルの新技術部品説明。
【００３６】
そして、第23の課題解決手段として、新2連振子型機械式発電機の新技術の液晶は、液晶の電気圧変換スピードを高める為に、新技術の軽水素トリチウム電子を液晶層に混合内蔵する新技術によって、液晶分子の電気変換率を高める為に、液晶分子に軽水素トリチウム電子を混合内蔵する事で、液晶電子分子層を人工的に作る事で、液晶テレビの電気反応スピードと少ない電気消費で、液晶分子コントロール出来る世界最新の軽水素トリチウム電子入りの液晶分子層の世界最新技術で有る。
画像パネル液晶の発電液晶パネル説明。
通常液晶は、液晶のみを使用した特許切れ技術で有り、今までの液晶は、電気圧を掛ける度に、無駄な熱エネルギーを放出するだけの構造だった。
その為、無駄な液晶電気熱エネルギーを、電気に変える為、軽水素トリチウム電子入り液晶物質に変える事で、従来の液晶より、少ない電気圧で、液晶作動が出来て、軽水素トリチウム電子入り液晶にすると同時に軽水素トリチウム電子入りシリコン糸シートを、液晶パネルに貼り付けた構造にして、液晶の両端に、陶器シート膜絶縁体に軽水素トリチウム電子入り圧電素子磁石体の電気熱の磁極磁気の電子電気変換装置によって、今まで電気熱放出だった液晶熱を、瞬間に電気熱磁極磁気電子電気変換する事を、可能にした新技術の軽水素トリチウム電子入りシリコン糸発電装置と軽水素トリチウム電子入り圧電素子磁石体装置の一体型装置の電気熱を、瞬間に磁極電子電気に換える事の出来る装置を、積載内蔵した新2連振子型機械式発電機の計器パネルの新技術部品説明。
【００３７】
そして、第24の課題解決手段として、新2連振子型機械式発電機の液晶テレビのバックライトのシャープの特許権切れ技術は、現在特許権は、切れているが、特許権利益年数を、残り、15年分程残しているが、特許切れの為、別の液晶技術は、特許権が無くなっている為、特許法上成立する為、別の特許として、書いて提出する事が出来る。
従って、印刷物の本等に、書かれているバックライトの画面全体の光源として、蛍光官を使用して来たが、蛍光官寿命が、10年の半分の5年位がバックライトの寿命に成り、ダイオードライト光源では、明るさが足りない為、複数発光ダイオードライト光にする必要に成り、更に高原が、足りなく成る場合、発光ダイオードのダイオードを構造の一部とした日本の青色ダイオードの世界特許権技術のダイオード物質に軽水素トリチウム電子を内蔵する事で、更に、少ない電気消費で、液晶テレビのバックライトシステムに使用する事で、現在の液晶テレビの蛍光官寿命が短い為、必然的に超薄型の液晶テレビが、超低下価格設定する理由の一つで有り、液晶テレビの典型的な欠点で有る為、欠点を解決する為に、少ないバックライトの光源に対して、明るい映像波信号の課題が残るので別に説明する。
従って、第24の課題解決手段として、液晶テレビのバックライト新技術として、発光ダイオードライトの複数ライト技術と軽水素トリチウム電子入りの発光青色ダイオードライトを使用したバックライトの二種類の発光ダイオードライトのバックライト技術に成る。
この技術は、2008年の特許書きの知的所有財産の発光ダイオードライトのテレビバックライト技術の墫野和夫の先技術を、既に特許庁総務部と経済産業省の知的所有財産課が、既に、確認済みの先技術財産を、実用新案登録の新技術発明物件としている。
液晶バックライト新技術のLEDライト説明。
従来の、バックライトは、通常蛍光官を使用する為、無駄な電気熱放出と蛍光官寿命が短い為、蛍光官切れが、短く成る心配が有った為、高価な液晶テレビでも、液晶テレビ寿命が、ブラウ官より場合によって、短く成る欠点が有った。
その為、発光LEDライトは、特許切れだが、特許権期間中に商品を、作らなかった特許権の海外財産の為、特許権切れでも、特許権使用料金を、支払う契約でなければ、販売出来ない海外特許権で有り、シャープの液晶テレビは、液晶技術は、海外技術だが、バックライト技術の液晶画像テレビパネルとして、特許権に成ってから、25年の特許権切れに成っており、将来的には、どんな液晶テレビでも、現在のブラウン管テレビの一万円と同じ価格に下がるのも、言うまでも無い、余り映りの良くない超小型液晶携帯テレビは、全世界に販売されていた為、特許権使用料金は、ほとんど請求出来ない状態で、現在の液晶テレビは、販売されている事に成り、海外技術のデジタル回路も、特許切れで、10年近く作てる為、特許権使用料金は、半額以下だと言える事と、余り高い部品と考え無くて良いと考えても良いのが、現在の技術では、ノーマル回路でも、デジタル回路以上の画像の映りが、鮮明に出来る充電池チップ回路と圧電素子電波ノイズ取り除きチップ回路装置を、取り付けただけで、デジタルを、超える美しい画像を楽しめる時代が、既に来ている事に、気が付くと思います。
従って、バックライトの欠点の蛍光官寿命を、長くする為、銅入りテングステン蛍光官ライトを超える特許切れでも、特許使用料金が、そっくり掛るLEDライトを使用する事を、バックライト技術に、積載する事を、決めたのだが、LEDライトの特許切れは、随分時間が、経過しているが、特許使用利用の値段の高さから、日本企業は、シャープでも、使用して来なかっただけで無く、LEDのバックライト使用特許の二つの特許が、重なる為、バックライトのLEDライト使用テレビは、高額に成る為、誰でも、作れる商品で無いのは、企業がLEDライトテレビの価格負けが必死だからで有る。
その為、LEDライトの比較的安い、日本の青色ダイオードLEDライト玉の使用などの考え方も有る。
従って、LEDライト玉の電気消費量を、更に少なくする技術の、新技術LEDライト玉の、事業参入を、行う事で、日本企業の海外株買い取りによるLEDライト玉の、特許無での、株利益取得の未公開示談によっての、資本主義による商品作り作成に、対抗しなければ成らないのも現状で有る。
最終的に、新技術の軽水素トリチウム電子を、LEDライトのダイオード物質に混合内蔵させる世界初の新技術によって、電気消費が、世界で一番少ない発光ダイオードLEDライト玉新技術によって、電気熱発電テレビとして、世界で一番電気消費の少ないテレビとして、日本企業とは、別に低価格のテレビを、海外の安い技術と共同で、新技術発電テレビを、作り販売して、日本国の全額借金返済と日本の都道府県市町村区の全額借金返済を、一日も早く済ませたいのが、今の考え方で有るLED発光ダイオードライト玉を、積載内蔵した新2連振子型機械式発電機の計器パネルの新技術部品説明。
【００３８】
そして、第25の課題解決手段として、新2連振子型機械式発電機の軽水素トリチウム電子入りニッケル充電池及びバッテリーの軽水素トリチウム電子を使った別の充電池技術とバッテリー技術に対して、国の全額900兆円越えの全額借金返済に係る軽水素トリチウム電子入りの応用技術公開説明を始める。
他の軽水素トリチウム電子を入れた応用充電池及びバッテリー新技術説明。
鉛蓄電池の場合、希硫酸に軽水素トリチウム電子を入れた軽水素希硫酸が考えられるが、マイナス零下で、希硫酸と軽水素を結合しても、充電時に、オーバー熱量が、発生すると軽水素希硫酸が、燃焼する場合もある為、フロン及び固形窒素内蔵のシリコンプラスチックカバー冷却シートが、必要になるバッテリーで有り、圧電素子4電子磁気分割装置の電気中の熱抵抗電気を取り除く装置の急速充電装置も、絶対に必要に成る。
この他の、バッテリー及び充電池として、新技術マンガン電池の説明。
マンガン電池の塩化亜鉛を、軽水素トリチウム電子入り塩化亜鉛にする事で、電池の電圧を高める効果の有る電池に成り、マンガン電池の場合、軽水素入り塩化亜鉛が、電池使用に時間対応する事によって、軽水素入り塩化亜鉛が、軽水素入り酸化亜鉛に変化する為、充電池には不向きで有り、改良の余地が有る。
新技術の軽水素トリチウム電子入りのアルカリ電池の説明。
水酸化カリウムに軽水素トリチウム電子を入れた軽水素水酸化カリウムのアルカリ電池の場合も、二酸化マンガンと亜鉛を使用しているが、亜鉛寿命は、軽水素入りで長く成るが、二酸化マンガンは、軽水素入りにしても、亜鉛寿命まで、長く成らないと言える。
新技術の軽水素トリチウム電子入りのリチウム電池の軽水素トリチウム電子入りの説明。
リチウム電池の場合、1980年の松下電池工業開発技術のフッ化黒鉛リチウム電池は、フッ化黒鉛は、炭素とフッ素化合物の軽量物質のプラス極活物質とマイナス極活物質のリチウム電池は、過去の特許切れ電池で有り、軽水素を入れたフッ化黒鉛リチウム電池は、電池質量が大きく成る。
この他、液体マグネシウムリチウム充電池は、リチウムの劣化寿命まで、充電池として使用出来る新技術の軽水素入り液体マグネシウムリチウム充電池に成り、急速充電は、おそらく世界最速だが、液体マグネシウムとリチウムを、冷やさなければ成らない為、フロン固形窒素内蔵シリコンプラスチックシート及びビニールシート及びゴムシート及び樹脂シートなど等の冷却シートも、絶対に必要に成り、フロンガス内蔵炭素プラスチックシートカバー技術の窒素ガス入りシートなど等の冷却装置のフロンの空気中放出防止対策技術は、2002年9月から10月に、先発明技術として、墫野和夫が先発明著作権技術として、北海道庁提出郵便物著作権発明技術年月日確認済に成って入る。
この他の、リチウム電池として、水素リチウム電池が有るが、軽水素トリチウムだけの水素技術より、劣るのは言うまでも無い。
更に、リチウム劣化を遅らせる技術として、フロンガス入りのリチウム電池及び窒素ガス入りのリチウム充電池も、考えられるが、いずれにしても、リチウム劣化を更に遅くさせた技術が、これら技術以外に新しく日本企業は、考えると言える。
二酸化マンガンリチウム電池に軽水素トリチウム電子を入れた説明。
二酸化マンガンリチウムに、水素を入れた水素二酸化マンガンリチウム電池は、プラス極活物質に二酸化マンガンを使用して、マイナス極活物質にリチウムを使用した電解液に有機溶媒として、水酸化カリウム他、水素他、新技術の軽水素に成る。
塩化チオニルリチウム電池に軽水素トリチウム電子を入れた説明。
塩化チオニルリチウム電池は、プラス極活物質に、塩化チオニルとマイナス極活物質にリチウムを使用した電解液に、非水無機電解液とした電池に軽水素トリチウム電子入りの塩化チオニルとリチウム電池等も考えられる。
水銀電池に軽水素トリチウム電子を入れた説明。
プラス極活物質の酸化水銀と黒鉛とマイナス極活物質に亜鉛を入れた電解液に、水酸化カリウムの水銀電池の水酸化カリウムに軽水素トリチウム電子を混合合成させた水酸化軽水素カリウム水銀電池は、電池電気質量が上がると考えられる。
空気亜鉛電池に軽水素トリチウム電子を入れた説明。
プラス極活物質に、空気中の酸素とマイナス極活物質に亜鉛の電解液に水酸化カリウムを構造とした特許切れ技術に対して、軽水素トリチウム電子は、酸素と水素結合の水に成る為、不適切に成る。
酸化銀電池に軽水素トリチウム電子を入れた電池説明。
プラス極活物質に酸化銀とマイナス極活物質に亜鉛と電解液に、ハイレートタイプ水酸化カリウムとローレートタイプの水酸化ナトリウムと成っているが、軽水素トリチウム電子を、電解液の追加混入とした新技術も考えられる。
海水電池に軽水素トリチウム電子を入れた電池説明。
プラス極活物質に塩化銀とマイナス極活物質にマグネシウムに電解液に海水とした海水電池に、電解液に軽水素トリチウム電子を入れた新技術にした場合海水電池の電池電気質量が上がる。
ニッケルカドニウム電池に軽水素トリチウム電子を入れた電池説明。
プラス極活物質のニッケルとマイナス極活物質にカドニウムと電解液に水酸化カリウムが、今までのニッケルカドニウム電池のニッカド電池に、軽水素トリチウム電子を入れる新技術にすると二次電池のニッカド電池の電池電気質量が上がる。
この場合も、水酸化カリウムの劣化後の廃棄物処理は、考えなければ成らない。
ニッケル水素充電池の水素の変わりに、軽水素を入れた場合の説明。
プラス極活物質に、オキシ水酸化ニッケルとマイナス極活物質に水素吸蔵合金のマグネシウム合金と水素に成り、電解液に水酸化カリウムが、ニッケル水素充電池で有るが、マイナス極活物質の水素吸蔵合金のマグネシウムに軽水素トリチウム電子に変えて、電解液を、水酸化カリウム軽水素とした新技術の軽水素入りのニッケル水素電池の説明で有る。
リチウムイオン充電池に軽水素トリチウム電子を入れた充電池説明。
プラス極活物質にコバルト酸リチウムとマイナス極活物質に、黒鉛とした電解液に有機溶液の水酸化カリウムと水酸化ナトリウムと希硫酸が、電解液の有機溶液に成り、新技術として、軽水素トリチウム電子入りの水酸化カリウムと軽水素トリチウム電子入りの水酸化ナトリウムと軽水素トリチウム電子入りの希硫酸が、考えられるが、いずれにしてもリチウムイオン充電池に、軽水素を入れると充電スピードが、上がり、充電池の充電池熱量が、増える為、冷却シート内蔵の充電池が理想的と考える。
この他の、二次電池に軽水素トリチウム電子を入れた説明。
ナトリウム硫黄電池は、約350度で作動だが、軽水素を入れると350度以下で作動出来る二次充電池に成る。
ナトリウム金属塩化物電池に軽水素を入れた場合の充電池説明。
ナトリウム金属塩化物電池に、軽水素を入れると250度以下で作動出来るリチウム硫化鉄電池に軽水素を入れた説明。
リチウム硫化鉄電池に、軽水素トリチウム電池を入れると450度以下で、作動する事が出来る充電池に成る。
ポリマー電池に軽水素トリチウム電子を入れた説明。
ポリマー充電池に、軽水素トリチウム電子を入れた場合、急速充電が可能に成る高出力充電池に成る。
ニッケル鉄電池に軽水素トリチウム電子を入れた説明。
ニッケル鉄電池の電解液に、軽水素トリチウム電子を使用した場合、充電スピードが、水素電解液より、上がり高出力に成る。
亜鉛空気電池に軽水素トリチウム電子を入れた場合の説明この場合は、亜鉛極に軽水素を入れて水酸化化カリウムなどを使用する充電池に成り、水素より高出力に成る。
鉄空気電池に軽水素トリチウム電子を入れた場合の説明。
鉄空気電池の鉄部分に軽水素トリチウム電子を入れて、塩化ナトリウム及び水酸化ナトリウム電解液技術で、対応した充電池説明に成り、軽水素入り塩化ナトリウム及び軽水素入り水酸化ナトリウム電解液を使用した新技術の二次充電池で有る。
アルミニウム空気電池に軽水素トリチウム電子を入れた場合の説明。
アルミニウムに軽水素トリチウム電子を入れたマイナス極活物質と酸素のプラス極活物質と電解液に軽水素入りの塩化ナトリウム及び軽水素入りの水酸化ナトリウムと軽水素無の硝酸溶液を使用した二次充電池説明で有る。
亜鉛臭素電池に軽水素を入れた二次電池説明。
臭素のアンモニア及びブタン及びメタンに、軽水素を入れた軽水素アンモニアプラス極活物質と軽水素ブタンプラス極活物質と軽水素メタン極活物質と軽水素入りの水酸化カリウムと軽水素入りの水酸化ナトリウムの新技術説明に成る。
亜鉛塩素二次充電池に軽水素を入れた場合の説明。
軽水素トリチウム電子を入れた塩素のプラス極活物質に、軽水素トリチウム電子入りの亜鉛マイナス極活物質に対して水酸化カリウム溶液と水酸化ナトリウム溶液の二次充電池説明で有る。
レドックスフロー電池に軽水素トリチウム電池を入れた場合の説明。
タンク内の電解液に、軽水素トリチウム電子入りの電解液を使用した流通型電力貯蔵用充電池が考えられる。
この他、軽水素トリチウム電子入り発酵パネル熱と軽水素酸素水を使った燃料電池パネルの複数穴空き圧電素子磁石体パネル内蔵の液体マグネシウムの燃料電池物質の一部に軽水素トリチウム電子入りの圧電素子磁石体粒子内蔵のシリコン発酵パネル熱瞬間吸収発電パネル等の技術は、循環電池内の軽水素気化物質と酸素気化物質の瞬間燃料電池液体マグネシウムの気化軽水素と気化酸素の瞬間吸収物質の燃料電池水素酸素瞬間吸収物質の発電は、軽水素酸素入りの発酵パネルの発酵熱と水素中の重水素を取り除いた軽水素酸素水を、使用する事によって、通常の水の気化温度より低い温度で、水蒸気に成る軽水素トリチウム電子と酸素の水を使用する事で、発酵材の発酵熱温度で、水蒸気に成った連続の水蒸気を、燃料電池パネルの複数針穴空きの圧電素子磁石体パネル内蔵の液体マグネシウム燃料電池パネルによって、発酵材が、劣化する3年程は、一度も充電補給しなくても、連続発電する為、本発明の新2連振子型の機械式発電機の循環発電型のバッテリー及び充電池を、積載内蔵した新2連振子型機械式発電機のバッテリーの新技術部品説明。
【００３９】
そして、第26の課題解決手段は、新2連振子型機械式発電機の液晶一体型のソーラーパネルの液晶映像波回路説明を始める。
通常の映像波の三原色の青色ダイオード映像回路チップと黄色ダイオード映像回路チップと赤色ダイオード映像回路チップに新技術の軽水素のみを入れた軽水素入りの青色ダイオード映像回路チップと軽水素入りの黄色ダイオード映像回路チップと軽水素入りの赤色ダイオード映像回路チップの三原色新技術と色彩色別の300色近くの軽水素トリチウム電子入り全ての色彩色のダイオード映像回路チップによって、色の構成に成っており、500色を超えると原色に成る為、デジタル回路の500色を、超える画素数は、通常は、500色を、超えた場合の組合せ画素数は、原色に成る為、通常は、デジタル画像の500色以上は、存在しないはずなのだが、企業では、画素配線を、5000画素と言って画素回路配線を増やす事で、テレビの画像の美しさを、説明しているが、実は、偽りで有り、逆に、カメラ画像を、正確にテレビ波として、送信しているデジタルテレビで無いノーマルテレビでも、テレビ画像が、美しく視覚で観賞出来る事に成り、カメラ画像が、鮮明に撮られて無ければ、デジタルテレビでも、ハイビジョンテレビでも、美しく鮮明に見る事が、出来ないばかりか、画素数を、多くするとあくまでも、新商品と考えがちで有り、買い手側は、騙され易い本当の意味のテレビ等の画像の鮮明差の本当の理由に成る。
更に、デジタル波は、数千色のデジタル回路の繋ぎだが、ノーマルの色彩の軽水素トリチウム電子入りの全ての色彩色のカラー画像の色彩認識及び調整及び認識及び修正及び彩色及び色彩全自動交換及び色彩デザイン認識彩色及びデーター色彩認識装置などの三原色のダイオードの新技術の軽水素トリチウム電子入りの三原色ダイオードの映像回路ダイオードチップ説明で有る。
三原色ダイオード映像チップ回路の説明。
通常の三原色ダイオードチップ回路は、光の高度を、青色色素入りダイオードと黄色色素入りダイオードと赤色色素入りダイオードの光の高度量で、カメラレンズのダイオードの映像信号を、電気信号に一度変えた後、液晶フイルターに通す技術が、通常技術で有り、色彩等の全自動修正技術には、画像電気ノイズ取り除き技術と画像電波ノイズ取り除き装置の他に、別技術として、画像補正修正技術チップ回路として、光をカメラのCCDカラーフイルターは、通常は、三原色カラーフイルターとして、青色色素ダイオードと黄色色素ダイオードと赤色色素ダイオードが、使用されているのが、通常のCCD技術で有り、デジタルCCD技術で有り、最新技術のデジタルCCDは、高出力CCDとして、軽水素トリチウム電子入りダイオート三原色CCDは、光の三原色感知の光三原色電子電気変換スピードが、従来のCCDデジタル技術より速く成り、軽水素トリチウム電子入りネオンガス入り三原色それぞれの色素のガリウムリンと軽水素トリチウム電子とダイオードの化合チップ回路と軽水素トリチウム電子とガリウムアルミニウムヒ素とダイオード化合の三原色ダイオード回路チップに映像波三原色の画像補正と修正を兼ねた三番目の画像ノイズ修正装置で有る。
青色も、軽水素トリチウム電子入りに成り、これらの映像波回路を、積載内蔵した新2連振子型機械式発電機の計器パネル映像回路の部品説明。
【００４０】
そして、第27の課題解決手段は、新2連振子型機械式発電機の液晶一体型のソーラーパネルの別の映像波回路と音声波回路説明を始める。
通常の映像波は、液晶に再生した場合、映像波ノイズの電波ノイズと映像波の電気ノイズに分ける事が出来る。
従って、映像波回路に圧電素子4電子磁気分割装置を取り付ける事で、電気中の電気抵抗熱電気を取り除いた装置をプラス映像波回路にプラス配線の圧電素子4電子磁気分割配線のプラス配線を取り付けた構造とマイナス映像波回路に、マイナス配線の圧電素子4電子磁気分割装置のマイナス配線を取り付ける事で、電気熱ノイズを予め、通常電気中の内に取り除く新しい、世界で初めての電気中の熱抵抗電気を取り除く電気を一度圧電素子のプラス磁気化とマイナス磁気化にしてから、熱抵抗電気の弱いプラス陽電子中間電子磁気とマイナス陰電子中間電子磁気を、2本の電気供給配線と2本のリサイクル熱抵抗電気再利用配線と2本の電気抵抗無の電気を得る事が出来る世界初の通常電気磁気変換しての熱抵抗電気取り除きリサイクル配線付きの電気熱抵抗電気無しの圧電素子磁石体の磁気の一番強い陽電子プラス電気と陰電子マイナス電気の熱抵抗電気の入って無い電気を得ると同時に使用する事で、液晶画像の熱電気ノイズを取り除く装置説明に成る。
映像波装置に取り入れる電気熱抵抗ノイズの除去方法。
通常考えられるのが、電気配線を、大量の液体ヘリュームと冷却装置で、電気を、冷やす技術が知られているが、装置が大きく成り過ぎて、装置に掛る費用が高い為、使用して来なかった技術に成り、大量の電気配線を扱う変電所など、以外の配線箇所の使用は、考えづらい技術なのは、経費の損失だからで有り、この他、日本の慶応大学の高価な超電導配線を、使用した場合、使用品の値段のつり上げに成る為、避けたいと同時に、電気配線の電気抵抗を、全て取り除ける超電導配線でも、無いのが現状説明で有る。
新技術対策説明。
従って、電気中の電気抵抗を取り除く装置として、圧電素子4電子磁気分割装置によって、電気中の熱抵抗電気を、プラス電気を、圧電素子磁石体のプラス磁気の一番弱い部分に通常電気を、流す事で、通常プラス電気を、圧電素子プラス磁気化に瞬間に行うと同時に、圧電素子プラス磁気化した電気を、圧電素子磁石体の強い磁気化電気と圧電素子磁石体の弱いプラス磁気化電気に、瞬時に区別して、専用の電気配線によって、圧電素子磁石体の強い磁気電気のみを、取り出す技術によって、安い費用で電気抵抗無のプラス電気を、得る事が出来ると同時に、マイナス通常電気に対しても、圧電素子磁石体のマイナス磁気の一番磁気力の弱い部分に通常マイナス電気を、通す事によって、電気抵抗の有るマイナス電気は、圧電素子磁石体のマイナス磁気の一番磁気の弱い部分に集まり、通常電気の熱抵抗電気の含まないマイナス電気は、圧電素子磁石体のマイナス磁気の一番強い部分に磁気の磁界極線に沿って、電気の磁気瞬間変化に伴う、電気電子の磁界線電子移動説明に成る。
従って、電気抵抗の無い電気を、得る事が出来て、その代り、電気抵抗熱電気は、リサイクル配線を、通じて冷やして使用し、熱抵抗電気を、熱発電装置として、軽水素トリチウム電子入り圧電素子磁石体内蔵のシリコン装置の発電装置の新技術装置を、使用する事で熱電気処理技術としている省電気消費を、可能にしたソーラーパネル一体型の画像パネルを、積載内蔵した新2連振子型機械式発電機の計器パネル一体型のソーラーパネルシステムの部品説明。
【００４１】
そして、第28の課題解決手段は、新2連振子型機械式発電機の液晶一体型のソーラーパネルの別の映像波回路の電波ノイズ修正装置の説明に入る。
通常の電波は、物体が無い限り映像波直進するのは事実で有り、地下マグマの磁場から発生する磁波は、映像波を不特定で、映像波の不特定散乱映像波に成る為、一度乱れた映像波を、正常の映像波に戻さなければ成らない為、映像波の電気ノイズは、変わらないが、プラス映像波を、圧電素子磁気のプラス圧電素子磁気に通す事とマイナス映像を、圧電素子磁気のマイナス磁気に通す事によって、乱れた映像波のプラス映像波は、圧電素子磁気のプラス磁気磁極磁界線に沿って流れる為、正常な圧電素子磁界線の映像波のプラス映像波の圧電素子磁石体チップ回路の全自動修正チップ乱れた映像波のマイナス映像波の圧電素子磁気のマイナス磁気磁極磁界線に沿って映像波が流れる為、正常なマイナス映像波の圧電素子磁石体チップ回路の全自動修正チップ構造説明で有るが、圧電素子4電子磁気分割装置の様に電気中の熱抵抗電気のみを取り除く事は出来ない。
新技術の圧電素子磁石体の電波ノイズ取り除き説明。
地下マグマ活断層の近くなど、地震の多い地帯のテレビは、通常アンテナにテレビを取り付けても、映像の歪みなどが、多く見られる現象が有り、乱れた電波を、元の電波にする技術として、圧電素子磁石体は、磁界線を圧電素子磁石体に持ち得ている為、乱れた電波の内のプラス電波の乱れた電波を、圧電素子磁石体のプラス磁石体部分に乱れたプラス電波を、通す事で、圧電素子磁石体のプラス磁界線に乱れたプラス電波を通す事によって、圧電素子磁石体のプラス磁界線に乱れた電波が、磁界線によって、正常な電波の波に成る理由として、磁界線流れる乱れた電波は、磁界線の磁界線磁気圧によって、全自動磁界線修正出来る為、乱れたマイナス電波も、圧電素子磁石体のマイナス磁石体に通す事で、乱れた電波の磁界線全自動修正を、可能にした電波ノイズ取り除き装置を、積載内蔵した新2連振子型機械式発電機の計器パネルの画像回路の部品説明。
【００４２】
そして、第29の課題解決手段は、新2連振子型機械式発電機のカメラの映像波回路の電気ノイズの取り除き装置の説明に入る。
通常の映像波は、カメラレンズの画像を、カメラCCD被写体ダイオード色彩色確認及び認識及び認知装置の間では、電気ノイズと言うより、三原色のCCDダイオードの色彩を的確に、正確に色彩の映像波変換出来ているかが問題に成り、新技術の軽水素トリチウム電子入りのCCD技術は、軽水素トリチウム電子集合体を、CCDダイオードならば、正確な映像波が出来ると言える。
更に、20年前のコピー機の赤外線ダイオード認識装置でも、カラーコピーならば、綺麗に成っていたが、20年前の液晶は、電波キャッチする受信装置も悪く、液晶の電波の乱れ以外に、映像色彩を、正確に表現出来ない理由として、放送局から送られた映像電波を、正確に三原色ダイオードでは、読み取れないでしまっていたのが現状でした。
その為、映像波ノイズを取り除く装置として充電池素子体を、映像波回路チップにした装置で有り、映像波のプラスを、充電池素子体チップのプラス電極へ、そして、充電池チップのプラス電極の中央部分にプラス映像波の修正波の引き込み映像波の充電池回路チップの修正プラス映像波の引き込み配線構造に成り、映像波のマイナス映像波は、映像波のマイナス充電池回路チップのマイナス電極を通って、充電池素子体のマイナス電極の中央部部に、マイナス修正波引き込み電気配線を取り付けたマイナス充電池素子体回路チップの映像波マイナスノイズの取り除き構造説明に成り、充電池素子体回路チップの内部は、充電池素子体プラス電気層と充電池素子体マイナス電気層から成り立ち、映像波のもう一つのノイズ取り除き装置説明に成る。
通常のカメラCCDと新技術のカメラCCDの違い説明。
通常のカメラCCDは、被写体レンズ画像を、ダイオード光度認識して、映像を電気信号に変える事の出来る装置で有り、通常CCDは、カラー色彩の光度確認が、遅かったのが、現状で有り、写し出されたカラー映像も、暗い感じが多かったのが、現状で有る。
新技術のカメラCCD装置に、軽水素トリチウム電子を、入れる世界初の新技術によって、カメラCCDがレンズ画像を、認識するスピードを、ダイオードスピードから、電子画像処理スピードにする事で、今までの暗い感じの画像から、明るさの有る色彩色が、綺麗なレンズ画像認識電波処理を、可能にした軽水素トリチウム電子入りの新技術CCD装置に成る。
この他、映像チップとして、軽水素トリチウム電子入りアルゴン固形窒素炭素チップと軽水素トリチウム電子入りネオン固形窒素炭素チップによって、映像の美しさを作る軽水素トリチウム電子入りの映像回路チップに成る。
此の場合、軽水素トリチウム電子とアルゴンガスとネオンガスを固定する役目として、炭素及び固形窒素を使用するが、この他、石膏粒子及びケイ素入り石膏粒子及びヨウ素入り石膏に、軽水素トリチウム電子入りアルゴンガスを、混合合成した画像回路チップ等の、軽水素トリチウム電子ガスとアルゴンガスとネオンガスの固定剤の考え方に成る
映像回路チップを、積載内蔵した新2連振子型機械式発電機の防犯盗難防止用のカメラの映像回路の電気ノイズの取り除き装置を、内蔵積載した新2連振子型機械式発電機の盗難防止の為のカメラ部品装置。
【００４３】
そして、第30の課題解決手段は、新2連振子型機械式発電機本体と、地震時の人の命を、守る為の、樹脂網入りセラミック粒子内蔵グラスファイバー板を、四角柱状に三角固定金具と、平板固定金具とＬ型パネル固定金具と地震対応型人防護パネルを、組み立てる事で、グラスファイバー板を、更に低価格で丈夫にする構造として、樹脂網とセラミック粒子を、内蔵したグラスファイバーパネルを、組み立てた四角柱形状の箱の中に、新2連振子型発電機本体と人の命を、木造地震崩壊に因る死亡事故を防ぐ為の、低価格地震対策装置によって、排気ガスが出無くて、化石燃料を使わない地震の木材住宅崩壊から、人の命を守る事と、災害時でも、電気供給出来る新2連振子型機械式発電機を積載内蔵した発電機と地震による木材崩壊からの、人の命と発電機を、守る厚手パネルの組み立て型装置を、一体型装置とした新2連振子型機械式発電機の発電機保護と人の命を、保護する一体型厚手パネル装置。
【００４４】
そして、第31の課題解決手段は、新2連振子型機械式発電機の液晶画像音声回路に使用される新技術シリコンは、軽水素トリチウム電子入りマグネシウムシリコン半導体に、新技術の冷却シートのフロンガス固形窒素炭素内蔵プラスチックカバー内蔵冷却シート貼り付けのシリコン半導体技術は、温度をあげん為の世界最新技術のフロンガスを空気中に放出させない為の、フロンガスを固形窒素と炭素合成物質に内蔵した冷却合成物質を、プラスチックシートで防護した再生可能な冷却シートで有り、もう一つの新技術として通常シリコンウンハーは、シリコンと液体マグネシウムを、混合合成した装置が、シリコンウンハーで有り、新技術として軽水素トリチウム電子をシリコン合成マグネシウムに軽水素トリチウム電子を内蔵する事でシリコンウンハーに書き込みを速くする為の新技術を備えたシリコンウンハー(ＦＥＤ)を、内蔵積載した新2連振子型機械式発電機に積載した新2連振子型機械式発電機の計器パネルデーターの蓄積回路に必要な部品装置。
【００４５】
そして、第32の課題解決手段は、新2連振子型機械式発電機の液晶画像回路に使用される新技術ハイスピードCPUブロックの構造は、木材灰入りプラスチック絶縁体にパッケージ回路配線を取り付け、ダイ複数ユニットでは、デコーダ解説部分とフェッチ読み込みと演算ユニットとレジスタ記憶装置の構造は、軽水素トリチウム電子入りシリコンマグネシウム基盤が使用されている構造に成り、CPU表面は、タンタル固体コンデンサーに、新技術の圧電素子4電子磁気分割装置を取り付けたCPUは、新技術の軽水素トリチウム電子入り圧電素子磁石体粒子内蔵シリコン熱発電シートが被せた新技術を二つ内蔵したハイスピードCPU装置は、完全防水加工したポルトナット止め方式及びスプリングはめ込み式で有り、新2連振子型機械式発電機の計器パネルのデーター蓄積回路に必要な部品装置。
【００４６】
そして、第33の課題解決手段は、新2連振子型機械式発電機の液晶画像回路に使用される新技術の省電気消費メモリ(RAM)ブロックは、軽水素トリチウム電子入りシリコンマグネシウム基盤の複数のメモリチップを、積載した構造で有り、二配列メモリ構造と三配列メモリ構造と四配列メモリ構造と五配列メモリ構造と六配列メモリ構造と七配列メモリ構造と八配列メモリ構造が有り、これを、纏めたメモリチップブロックユニット装置タイプが有り、圧電素子4電子磁気分割装置が、取り付けられ内蔵したメモリチップブロックユニット構造が有り、完全防水加工ブロックユニット構造に成っているポルトナット止め方式又はスプリングはめ込み式に成って入る新2連振子型機械式発電機の計器パネルの回路のメモリブロック部材装置説明で有る。
【００４７】
そして、第34の課題解決手段は、新2連振子型機械式発電機の液晶画像音声映像回路に使用される電気税カードには、EMカードブロックは、他情報カードデータ録音録画防止デザインカードに成っており、EMカードカバーには、木材灰内蔵プラスチック絶縁カバー構造に成っており、代替え絶縁体物質として、雑草灰及び竹灰及び笹灰を、プラスチックに入れた混合合成絶縁体を使用している点も、他社と異なったカード構造で有り、プラスチックは、再生プラスチックを使用している。
この他、樹脂合成プラスチックは、樹脂の料金が、高く付く為、敬遠する絶縁体構造に成る。
EMカードは、多色順列認識絵暗号が、EMカードの表面に取り付けられた構造に成っており、カードの先は、世界では、水平つまり四角形型が殆んどで有り、カードの先を複数凹凸構造にする事で、他社では、真似出来ないカード差し込み読み取り構造に成っており、多情報IC型軽水素トリチウム電子入りダイオードスイッチ回路によって、多機能圧電素子メモチェック複数IC構造に成っており、超薄型木材灰入りプラスチック絶縁体シート構造と軽水素トリチウム電子入り圧電素子磁石体粒子内蔵電気熱発電シリコンシートに成り、圧電素子磁石体粒子入りアルミニウム回路配線で有り、カードは、接着突起物によって、接着加工されたカードに成る。
別のタイプとして、ソーラーパネルとアンテナと超小型充電池とスイッチの付いたカードも有り、データーを送る場合、テレビ及びパソコン及び携帯電話に取り付けた状態で無くても、机の上などに置いとくだけで、データーを送受信録画録音出来る超小型のデーター蓄積の送受信カード装置に成り、大量のデーターが入る超大型のコンピューター及び、情報装置などとセット活用が見込まれる新技術カードブロック装置は、新2連振子型機械式発電機の、発電機データーを記録する為のEMカードブロックを積載内蔵した新2連振子型機械式発電機で有る。
【００４８】
そして、第35の課題解決手段は、新2連振子型機械式発電機の液晶回路に積載する多層構造ICは、石粉粒子入りガラスビニール絶縁体を外回りに使用した多配列IC装置を、軽水素トリチウム電子入り圧電素子磁石体粒子内蔵電気熱発電シリコンシートと超薄型木材灰入りプラスチック絶縁体を使用した多層配列ICブロックとし多配列IC絶縁ライン付き配線を構造とした多配列ICブロックの外側の石粉粒子入りガラスビニール絶縁体の内側に、新技術のフロンガス入り固形窒素内蔵牧草灰入りビニール回路冷却絶縁シートを構造とした多層構造ICで有る。
この装置は、テレビ回路に内蔵したり、ビデオ回路に内蔵したり、携帯電話回路に内蔵する装置で有り、多層配列カードなどは、ショッピングカードの買い物カードを、一つに纏めた他社に無い多配列カード(別名多機能カード)も有る。
とりわけ、最新式の携帯電話の多層構造IC は、ブロック型の複数の回路ブロックの携帯電話はめ込み式に成り、現在の形態電話または液晶回路の様に修理費が、高く付き過ぎて、誰でも、回路修理出来ない構造に、している為、小さな町の販売店では、修理出来ない現状にしている為、保障期間が、短く修理費が高い、昔ながらの電気製品の販売修理の安さを、メインとした電気製品販売業は、消え失しなわれつつ有る。
その為、新技術の液晶回路は、複数のブロック回路を組立る方法のシステムを採用している為、修理費が安く誰でも修理出来る利点が有り、大企業の電気修理任せにしなくて済む液晶回路を、複数の絶縁プロックにした複数の回路の多層構造ICで有る。従って、GPS回路ブロックの別売りを、液晶回路にはめ込むだけで、GPSのインターネット地図が見る事が出来たり、多機能のテレビ回路として、ラジオ回路ブロックの別売りとか短波ラジオ回路ブロックの別売り、または、衛生ラジオ回路の別売りまたは、衛生海外テレビ回路ブロックの別売りまたは、商工会議所商品宣伝回路ブロックの別売りまたは、衛星テレビの受信回路を、一つずつ回路ブロックにして、低価格の衛星放送を楽しんだり、無料の衛星テレビ回路ブロックを取り付ける事で、鑑賞出来なかった無料放送を楽しむ事が出来るので、今までは、衛星放送代金を払わなければ衛星波を、有効活用出来て、故障の場合の部品交換を、誰もが出来て、リサイクル活用し易くして、新しい回路ブロックのみを、交換出来る未来型の弱者貧困社会層を、保護する考えから生まれた新技術の液晶回路説明で有る。
従って、テレビカラー回路ブロック及びテレビ白黒回路ブロック及びテレビハイビジョン回路ブロック及びテレビデジタル波変換回路ブロック及びテレビノーマル波変換回路ブロックが有り、現在のノーマル放送テレビを、デジタル放送テレビに、回路ブロック交換式テレビの場合、ノーマルをデジタルに変える場合、1000円〜3000円の価格設定でも良く成る理由として、小さな画像パネル波を、大きなパネル波に変える場合、テレビ電波増幅装置ブロックを取り付ける事で、100型のパネル映像テレビを、携帯電話のテレビ回路の映像波と音声波を取り出して、映像波増幅ブロック装置と音声波増幅ブロック装置を取り付ける考え方に成る為、100型のテレビ回路は、携帯電話の回路基盤を、複数の回路ブロック化としてから、映像波増幅回路ブロックと音声波増幅回路ブロックに出来る為、テレビの値段は、液晶パネル価格とテレビ回路は、携帯電話の回路の値段まで、下げる事が出来て、はめ込み式の様々なテレビ情報のデーターを、カード型ブロックまたは、シーリンディアブロック形状(円柱ブロック及び六角柱ブロックデザイン)形状などが有る。
特に、液晶部分は、他社では、通常ガラスもしくは、プラスチック及びプラスチックガラス使用をしているのが、通常構造に成るが、液晶部分が、15000円程度の価格は、日本企業の特許切れ価格に成るが、発電液晶パネル全体保護には、少し高めのクリスタルガラスを使用した液晶パネル対応とバックライトに、光度量が少なくて無理とされて来た
LED発光ダイオードに新技術の軽水素トリチウム電子を、ダイオードに混合内蔵する技術が、日本の他社に無い為、暗いLEDライト玉を、電球状に複数のLED玉を並べて見ても、通常のLEDライト玉に、家庭電気までに成る為、さほど明るく成らないのが、過去から現在までの発光LEDライト玉技術に成り、軽水素トリチウム電子入り発光ダイオードライト玉は、軽水素トリチウム電子の量を、ダイオードに入れる量の調整によって、発光LEDライト玉の光度の種類を、小さく分ける事が出来て、発光LEDライト玉の光度の種類を増やす事を、可能にした装置を積載内蔵した新2連振子型機械式発電機で有る。
【００４９】
そして、第36の課題解決手段は、新2連振子型機械式発電機のLEDカラーライト発電回路は、軽水素トリチウム電子入りのLEDライト玉の通常電気使用を、更に、少なくする対策として、発電回路のプラス発電回路とマイナス発電回路の軽水素トリチウム電子入り圧電素子磁石体構造は、雲母粒子とチタン酸バリウムと軽水素を、混合合成したのが、軽水素トリチウム電子入りの圧電素子の発電回路で有った構造を、雲母粒子と軽水素バリウム溶液と軽水素を、混合合成した圧電素子磁石体薄パネルとチタン酸バリウムに軽水素トリチウム電子を多く入れた軽水素入りチタン酸バリウム薄シートパネルと軽水素トリチウム電子入りの雲母粒子入りチタン酸バリウム薄シートパネルを交互に貼り合わせた、軽水素トリチウム電子入りの新技術圧電素子磁石体を、発電回路のプラス発電回路とマイナス発電回路とした高出力発電回路を、軽水素トリチウム電子入りのLED発光ダイオード玉の配線一体型とした装置が、LEDカラーライト発電回路で有り、通常発電回路を、高出力発電回路に変える為の、更なる軽水素トリチウム電子入り圧電素子磁石体の発電回路のプラス発電回路とマイナス発電回路にする為に、圧電素子磁石体に内蔵する軽水素トリチウム電子量を増やす技術として、チタン酸バリウム液に軽水素トリチウム電子を、圧電素子個体の適量だけ、軽水素トリチウム電子量を、入れても発電量が、増えない理由として、チタン酸バリウム溶液に軽水素トリチウム電子を入れるのに、限界が有る為で有る為、チタン酸バリウムシートを作る為に、チタン酸の他のバリウム溶液を、濃いバリウム溶液を使って軽水素を入れてチタン酸を密封状態の中の無酸素室で、撹拌させて軽水素とバリウム粉を軽水素バリウム溶液に少しずつ追加して、固めの軽水素トリチウム電子入りのバリウムシートを作り、雲母入り軽水素トリチウム電子内蔵のチタン酸バリウム混合合成の圧電素子磁石体シートを作り、交互に貼り合わせて固める事で、軽水素トリチウム電子量の多く入った圧電素子磁石体が、出来る為、通常の軽水素トリチウム電子量より、多く入った軽水素トリチウム電子入り圧電素子磁石体の発電回路は、通常の発電回路より、発電量が多く成り、軽水素トリチウム電子入りダイオードの発光LEDダイオードライトと組み合わせたライトにする事で、世界初の電気消費が、少なくて光電子量の多い発光ダイオードライト玉が出来上がる事に成る。
従って、軽水素を圧電素子磁石体に多く入れると高出力圧電素子磁石体に成り、軽水素をシリコンに入れると高出力シリコンに成り、少ない光または外気温でも、シリコンの光と熱吸収率が良く成り、圧電素子磁石体粒子を、軽水素トリチウム電子に入れる事で、シリコン内の光熱電子を、シリコン内の圧電素子磁石体粒子によって、シリコン熱を瞬間に電子磁気にする事を可能にした軽水素トリチウム電子と圧電素子磁石体粒子とシリコンを、混合合成して、パネル状にするか、複数のシートを作って貼り合わせる事で、高出力シリコンソーラーパネルが出来る。
この技術を、燃料電池の水素と酸素の瞬間吸収物資の水素と酸素の化学反応では電気発生もするが、可なりの熱放出が行われて来た為、無駄な熱放出に成っていた技術を、複数針穴形状の圧電素子磁石体パネルを枡状の複数針穴形状の圧電素子磁石体に液体マグネシウムを内蔵させて、水素と酸素の、瞬間吸収発電すると同時に、水素と酸素の化学反応電気熱は、瞬間に磁気変換される為、電気の磁気の流れる道を液体マグネシウムに作る事で、水素と酸素の化学反応発電熱電気は、電気の磁気の流れに沿って、電気電子磁気誘導する為、液体マグネシウムのみの水素と酸素の化学反応発電電気量より、燃料電池液体マグネシウム発電量は多く成る。
従って、トヨタ自動車製の固形水素と言う水素酸素の瞬間吸収物質に対しても、複数針穴形状の圧電素子磁石体パネルの、貼り合わせ、または、圧電素子磁石体粒子とトヨタ製の固形水素粒子を混合合成したパネルを、トヨタ製の燃料電池の水素酸素瞬間吸収体の固形水素を内蔵する事で、本田技研の液体マグネシウムの水素酸素の瞬間吸収物質の瞬間磁気電子電気変化と磁気瞬間移動が可能に成り、多くの発電電気量を、得る事が出来る。
更に、余分な熱を電気に変える為、軽水素トリチウム電子入り圧電素子磁石体粒子内蔵シリコン熱磁気変換シートによって、燃料電池の無駄に発生する熱を、電気エネルギーに変える技術でも、圧電素子磁石体と高出力シリコンソーラーパネルシートが使用されるが、今まで無理とされて来た低い熱でも、発電可能に成り、体温熱だけでも、発電出来る時代に成り、軽水素を応用した技術は、あらゆる発電分野の増幅電気電子エネルギーを瞬時に作る事の出来る装置を積載内蔵した新2連振子型機械式発電機で有る。
【００５０】
そして、第37の課題解決手段は、新2連振子型機械式発電機の液晶回路に積載する新技術の電気熱発電コンデンサーは、セラミック粒子入り軽水素内蔵オキシ水酸課亜鉛溶液を石灰水入り綿糸網シートで包み絶縁樹脂シートを巻いて銅筒官コイルを巻いた上に軽水素入り炭素マグネシウムをビニールシートで接着接合した上に軽水素トリチウム電子入圧電素子磁石体粒子内蔵電気熱発電シートを複数重ねして、コンデンサー熱を再び瞬間に電気に変える事の出来る充電池構造を、コンデンサー芯に応用内蔵積載して、コイルを、電気の通り易い物質だけで作り上げた電気スピードの上がる軽水素トリチウム電子入り圧電素子磁石体粒子内蔵銅筒官コイル配線によって、スピード電気コンデンサーコイルを実現して、コンデンサーで発生する熱を、コンデンサーコイルの内側と外側に発生する放熱電気を再び電気変換に変える為、新技術の軽水素トリチウム電子入り圧電素子磁石体粒子内蔵シリコンシートの熱瞬間磁気電子変換出来るシリコンシート技術の確立によって、充電池に電気補充と軽水素トリチウム電子入り圧電素子磁石体粒子内蔵シリコン熱発電シートの複数重ねによって、無駄に放出されるむコンデンサー電気熱を瞬時にシリコン磁気電子電気に変える技術の確立によって、無駄の電気放熱を新技術の熱電気磁気電子変化出来る新技術の軽水素トリチウム電子入り圧電素子磁石体粒子内蔵シリコンシートによって、無駄にして来た放出熱電気を再び電気に瞬間に変える事によって、電気消費の多かったコンデンサーを、電気消費が少なく済むコンデンサー構造に変えた新技術の電気熱発電コンデンサーを積載内蔵した新2連振子型機械式発電機。
【００５１】
そして、第37の課題解決手段は、新2連振子型機械式発電機の高出力マグネトロン装置は、電気消費が多い為、電気消費が少なくて済む高出力マグネトロン構造は、軽水素トリチウム電子入り、チタン酸バリウム薄膜シートと軽水素トリチウム電子入り圧電素子磁石体シートパネルを、交互に貼り合わせる事によって、マグネット本体に、多くの軽水素トリチウム電子を取り込んだ圧電素子磁石体に強い電気を流す事によって、新技術マグネトロンは、少ない電気でも、多い電子を、軽水素トリチウム電子効果によって増幅電子発生出来る新技術のマグネトロン装置で有り、新技術電気熱発電コンデンサーと新技術銅筒官電気配線と新技術の発電回路によって、新2連振子型機械式発電機の電気電子増幅装置によって、少ない電気消費によって、電気を増幅出来る新技術マグネトロンを積載内蔵した新2連振子型機械式発電機で有る。
【００５２】
そして、第38の課題解決手段は、新2連振子機械式発電機は、一般家庭用に考えられた知的所有財産で有るが、超大型の新2連振子型機械式発電機に積載する3のデーター表示液晶パネルは、小型のデーター表示パネルを、使用しているが、新2連振子型機械式発電機の四方向液晶にした新2連振子型機械式発電機にする事で、宣伝画像を、省電気消費の発電液晶にする事と新2連振子機械式発電機によって、電気消費の少ない大型液晶技術と新2連振子型機械式発電機の二つの高出力ダイナモ新技術と高出力発電回路新技術と循環発電回路内蔵型の軽水素ニッケルバッテリー新技術によって、ダイナモ発電機の総合発電量を、他の化石燃料のダイナモ総合発電量を他の化石燃料ダイナモ発電機より、ダイナモ総合発電量を上げる技術すなわち高出力ダイナモは、通常ダイナモの発電量を上回る技術によって、化石燃料発電技術を超えた理由に圧電素子磁石体に軽水素トリチウム電子を多く入れる為、本来、圧電素子磁石体の構造物質のチタン酸バリウム溶液に軽水素トリチウム電子を、入れるだけの技術では、圧電素子全体に軽水素トリチウム電子を入れる量の技術が、ストップする為、新技術として、チタン酸バリウムを、シート状にした上で軽水素トリチウム電子入りのチタン酸バリウムシートを多く圧電素子磁石体に入れる技術として、もう一つ軽水素トリチウム電子入り、圧電素子磁石体薄シートパネルを作る新技術と軽水素トリチウム電子の多く入ったチタン酸バリウムシートを、交互に重ねる事で、圧電素子磁石体に内蔵する事で、圧電素子の圧電効果によって、発生する総合電子量を多くする事が出来る技術によって、発電回路の軽水素トリチウム電子入り発電回路の圧電素子磁石体に軽水素量を多くする為、チタン酸バリウムシートに軽水素トリチウム電子を多く入れる技術と軽水素トリチウム電子入り圧電素子磁石体シートパネルを交互に重ねた圧電素子磁石体を、高出力圧電素子と命名した上で、高出力圧電素子磁石体を使った高出力発電回路技術と高出力マグネトロン技術によって、新2連振子型機械式発電機が、化石燃料のダイナモ総合発電量を上回った事実は、日本企業及び日本の全ての大学は、気が付いていないのが、現状の新聞マスコミ社会とテレビマスコミ社会と印刷物マスコミ社会の現状だと言える。
【００５３】
そして、第39の課題解決手段は、新2連振子型機械式発電機の、バッテリーを、充電式から、発電バッテリーに変える為、乾燥竹微粒子と稲ワラ微粒子と木材チップ微粒子と麹微粒子と軽水素と軽水素酸素水を、混合合成した超薄小型の発酵パネルを、カード化したタイプの発酵パネルは、発酵が始まって、発酵時間及び発酵年数の長い物質の麹菌を発酵材の中に入れた軽水素トリチウム電子の発酵熱増幅発電と軽水素酸素水の水蒸気気化温度が、通常の水より、低い温度で水蒸気に成る為、連続水蒸気気化も、可能に成り、発酵熱を、熱瞬間吸収発電する軽水素トリチウム電子入り圧電素子磁石体粒子内蔵シリコンの熱瞬間吸収発電シートパネルを、発酵パネルに貼り付ける事で、発酵材の瞬間熱吸収発電出来る装置によって、高出力発電回路を取り付ける事で、充電しなくても、電気満タン新技術の発電池が有る。
更に、燃料電池の水素と酸素の瞬間吸収体の液体マグネシウム発電体に、発酵発電パネルカードを内蔵出来る構造と圧電素子磁石体の液体マグネシウムカバーにする事で、軽水素酸素水の水に変わる水の沸騰温度より、低い温度で沸騰する軽水素酸素水を使用した発酵熱循環発電型軽水素酸素水の燃料電池連続発電池によって、時代は、充電池から、発電池時代へ弱者貧困社会の自立社会によって、変わり行く為の、世界最新式技術の発酵熱循環発電池と発酵熱循環バッテリーを、積載内蔵した新2連振子型機械式発電機で有る。
【発明の効果】
【００５４】
上述したように本発明の不況時代の弱者自立型の地震対応の新2連振子型機械式発電機は、化石燃料のガソリン及び軽油及び灯油及び天然ガス及び水素の給油が、一切必要としない全自動連続無給油型の連続無休憩作動発電機で有り、地震予知と地震による木造建築物の崩壊から人の命を守ってくれる強化パネルの四角柱形状の部屋によって、低価格の木造建築物対応の地震崩壊対策防人災装置に、よって地震木造建築物崩壊から、人の命を守る事の出来る装置と発電装置によって、人の生活権を守る事の出来る発電装置と地震崩壊から人と発電機を、守る装置を提供出来る。
【００５５】
また、本発明の発電機は、高出力ダイナモ連続発電方式と軽水素トリチウム電子入り圧電素子磁石体粒子内蔵シリコンソーラーパネル発電方式とプラス発電回路とマイナス発電回路の新技術発電回路の発電装置の三種類の発電システムを、積載内蔵した、新2連振子型機械式発電機によって、原子力発電機の産出する原子力廃棄物の製造を、止める効果と化石燃料の消費と資源枯渇を、抑える効果を発揮するもので有る。
【産業上の利用可能性】
【００５６】
第1の産業上の利用可能性。
現在の、マスコミテレビで、騒がれつつあるリチウムバッテリー電気自動車が騒がれているが、リチウム資源材料の資源の量が無限で無い為、枯渇の恐れが有り、本発明の新2連振子型機械式発電機は、新2連振子型機械式発電機を、複数台積載する事で、燃料電池自動車の電気量に成るまで、新2連振子型機械式発電機の数を増やす事で、燃料電池は水素給油型で有るが、本発明の新2連振子型機械式発電機は、総合発電量に応じて新2連振子型機械式発電機の台数を増やす事で、あらゆる電気自動車の無充電型として、使用出来る為、世界中で電気税カード積載の新2連振子型機械式発電機積載の電気自動車が、世界中で製造して走る事が、出きれば、国の全額借金返済を、短い期間で払える見込みの希望が湧いて来る。
【００５７】
第2の産業上の利用可能性。
舟の技術として、リチウムバッテリー船が、テレビマスコミで公開に成っているが、長い走行時間は望めないが、本発明の新2連振子型機械式発電機積載の船ならば、無給油と無充電が可能に成る為、船の電源にする事で、フェリーの廃止にストップを掛ける事が出来る。
【００５８】
第3の産業上の利用可能性。
建設機械等の発電機として、利用する事で、化石燃料の使用を止める事が出来て、化石燃料資源の保護が、出来て未来永劫資源保護の生活が望める。
【００５９】
第4の産業上の利用可能性。
宇宙産業ロボットの資源採掘用ロボットの電源として、活躍が見込める。
【００６０】
第5の産業上の利用可能性。
医療機関等の緊急発電機として、使用と利用が見込める。
【００６１】
第6の産業上の利用可能性。
新2連振子型機械式発電機を、過疎地のディゼル機関の列車の発電機として、使用する事で、過疎地の列車廃止に、ストップを掛ける事が出来る。
【００６２】
第7の産業上の利用可能性。
新2連振子型機械式発電機積載の高出力ダイナモは、通常のダイナモより発電量が多い為、トヨタ自動車のハイブリット及び本田技研自動車工業のハイブリット車及び三菱自動車のバッテリー車及び日産自動車の電気自動車などに、世界最新技術の新技術ダイナモを、積載するとダイナモの発電量が上がり、走行距離が更に伸びる効果をもたらす。
この他、小松技研の燃料電池バックホーに、高出力ダイナモを、油圧モーターダイナモに積載すると、燃料電池発電の発電効率が更に伸びる。
更に、シニアーカー及び電気バイク及び自転車のダイナモを、新技術の高出力ダイナモに変える事で、発電量が上がり、シニアーカーと電気バイクの走行距離が今より更に伸びる。
セイコー時計の発電時計及び災害時使用の発電ライトラジオなどの、ダイナモを、現在のダイナモから、新技術の高出力ダイナモに変える事で、発電量が多い為、充電効率が、良くなる。
最大の発電量と言われる原子力発電所のダイナモと水力発電所のダイナモと火力発電所のダイナモを、通常ダイナモから、高出力ダイナモに変える事で、現在の発電量を、大幅アップする事が出来る。
その他、燃料電池トラクターの油圧ミッションモーターダイナモを、通常ダイナモから、高出力ダイナモに変える事で、燃料電池ダイナモ発電量を、上げる事に出来る。
【００６３】
第8の産業上の利用可能性。
新2連振子型機械式発電の高出力大型ゼンマイ巻き戻しモーターの高出力モーターを、トヨタ自動車の通常モーターから、高出力モーターに変えるだけで、今まで以上に走行距離が、モーターを、変えただけで可能に成る世界最新技術の高出力モーター新技術で有り、本田技研と特許庁主張のDCブラシレスモーターの電磁石と永久磁石部分を、高出力モーター技術に変える事だけで、ハイブリット総合走行距離が、遥かに伸びる世界最新技術の高出力モーター新技術で有る。
従って、電気トラクター及び電気建設機械及び電気船及び電気飛行機などの、モーターを高出力モーター及び高出力2連結以上モーターにする事で、走行距離が著しく伸びる
【００６４】
第9の産業上の利用可能性。
経済産業省で、推進しているリニアーモーターカーの電磁石部分を、高出力電磁石に変える事で、リニアーモーターカーのスピードが、更に速く成る。
【００６５】
第10の産業上の利用可能性。
経済産業省で、推進しているリニアーモーターカー本体の超電導配線は、材料費が高い事と資源が少ない事で、高価な財産の為、海外輸出には、限度が有るが、本発明の高出力モーターに内蔵積載して有る銅筒官配線の別名の高出力銅筒官配線を、リニアーモーターカーのあらゆる超電導配線部分に使用する事で、材料費の低価格の高出力電気配線を、提供出来る。
この他、経済産業省の推進する電気家電の電気配線を、高出力銅筒官配線に、変える事で、電気消費の少ない家電製品を、提供出来る。
更に、家庭室内電気配線など、現在の銅線を、高出力銅筒官配線に変える事で、電気抵抗熱放電を、少なくする事が可能に成り、無駄な発電所建設に、ストップを、掛ける事が出来る。
【００６６】
第11の産業上の利用可能性。
新2連振子型機械式発電機に積載使用している発電回路のプラス発電回路とマイナス発電回路を、経済産業省の推進している海外輸出電気製品全てに、電気打撃発電出来る世界最新技術の発電回路を、電気製品に取り付けるだけで、低消費電気製品が出来上がり、全世界の電気製品販売のトップ製品が、可能にする事が出来る世界最新技術の発電回路技術で有る。
この他、家庭電気配線のプレーカーの手前に、発電回路を、取り付けるだけで、今まで使用していた電気量を、少なくする事が出来る。
更に、原子力発電所及び水力発電所及び火力発電所及び小型発電機に、発電回路を、取り付けるだけで、今まで以上の発電量が、望む事が出来る。
その他の、東京ガスの燃料電池発電機に発電回路を、取り付けるだけで、今まで以上の発電量を、産出出来る世界最新技術の発電回路で有る。
テレビマスコミ報道のトヨタ自動車のハイブリット車と本田技研のハイブリット車に、発電回路を取り付けるだけで、今まで以上の走行距離をのばす事が可能にする事が、出来る発電回路新技術。
【００６７】
第12の産業上の利用可能性。
新2連振子型機械式発電機に積載使用している圧電素子4電子磁気分割装置を、経済産業省の推進している家電製品全てに積載内蔵する事で、通常電気中の電気熱抵抗を取り除く為、家電製品の電気消費を抑える事が出来る。
この他、経済産業省の推進するリニアーモーターカーに、圧電素子4電子磁気分割装置を、積載内蔵する事で、電気中の熱抵抗電気が、取り除かれる為、世界最速のリニアーモーターカーが可能に成る。
この他、一般家庭の室内電気配線のプレーカーの後に、圧電素子4電子磁気分割装置を取り付ける事で、一般家庭の電気消費を、更に少なくする事が出来る。
更に、発電所の送電前に、発電した生の電気を、大型圧電素子4電子磁気分割装置を、積載内蔵する事で、電気放熱ロスを、軽減する事が出来る為、co2削減が、大きく期待出来る世界最新技術で有り、超電導配線の用に長い電気配線を、必要としていない為、経費が安く済む世界最新技術で有る。
【００６８】
第13の産業上の利用可能性。
新2連振子型機械式発電機に内蔵積載している燃料電池の水感知センサーは、世界で推進している燃料電池発電装置及び東京ガスの水素酸素吸収体物質または、液体マグネシウムの水素酸素瞬間吸収体に、複数針穴形状の圧電素子磁石体パネルによって、取り囲む事によって、液体マグネシウム等の水素酸素の瞬間吸収発電の電気化学変化スピードを速くする為の、水素酸素電気化学変化の圧電素子磁気分別方式を、取り入れた技術によって、無駄な電気熱放出を、避ける事によって、世界各国で、推進している燃料電池発電装置の水素酸素瞬間吸収装置の発電電気の電極電気誘導スピードを速く出来る世界最新技術で有り、本田技研工業の燃料電池車及びトヨタ自動車の燃料電池車の燃料電池発電量を、現在の発電量より、更に発電量アップを、可能にする事が出来る。
従って、実用新案登録の省エネルギー水気化水発電機の実用新案登録第3145903号の気化水素と気化酸素の融合体を、瞬間吸収出来る他社特許の液体マグネシウムを、本発明の液体マグネシウムを、複数穴空き圧電素子磁石体パネル装置に内蔵した液体マグネシウム構造にする事で、水発電機及び省エネルギー水気化水発電機に積載内蔵する事で、世界の燃料電池発電機の総合発電量を、世界トップクラスまでに出来る為、燃料電池事業の世界トップの独占販売も、可能に成り得る水循環型の燃料電池発電機技術で有る。
【００６９】
第14の産業上の利用可能性。
新2連振子型機械式発電機に内蔵積載している振動吸収ゴムに、圧電素子磁石体を、混合合成する事で、磁気ゴムが出来て、磁気ゴムパネルと複数穴空き鋼鉄板を交互に合わせる事で、鋼鉄板のゴム接合を良くして、ゴムに圧電素子磁石体を、混合内蔵する事で、ゴムの強化を可能にした振動吸収装置で有り、テレビ報道されている免振装置より、ゴム強度を増す為、免振装置にも、適している振動吸収ゴム技術で有り、複数穴空き鋼鉄板の代わりに複数穴空き強化プラスチック板の代替え成らば、振動吸収ゴムに成り、複数穴空きの強化ゴムパネルを内蔵する事で、振動吸収ゴム技術と免振ゴムの世界最新技術の振技術免振磁石ゴム構造に成る。
ゴム免振技術の将来技術説明。
将来的には、圧電素子磁石体内蔵ゴムパネルと複数穴空き通常ゴムパネルと複数穴空き固形窒素入りゴムパネルと複数穴空き強化ゴムの複数穴空き部分に圧電素子磁石体入りゴムを内蔵して、交互に異なったゴム強度のパネルを、交互に重ねる世界最新技術によって、免振ゴム新技術の未来は、免振ゴムだけで、振動した場合、決まった振動吸収の出来るゴム振動形状記憶型ゴムの開発によって、将来のゴム免振技術としている。
従って、免振ゴムが、振動吸収装置ならば、海外先技術優先権とゴム免振技術が、海外ゴム振動装置の特許切れから、なし得た用途外ビル免振技術ならば、日本国内の実用新案または、日本国内のみの特許権しかならないが、本発明のゴム免振の構造自体を、変えた場合、新しい技術に成る為、海外の振動装置の新技術に成りえる新技術のゴム免振振動吸収装置に成る。
【００７０】
第15の産業上の利用可能性。
新2連振子型機械式発電機に内蔵積載して有る大気熱吸収発電型ソーラーパネルは、シリコンに軽水素トリチウム電子と圧電素子磁石体粒子を、混合合成する為、太陽光吸収率が、圧電素子磁石体粒子の物質の黒色効果によって、太陽光吸収率が上がり、外気熱吸収技術として、シリコンに軽水素トリチウム電子を、内蔵積載する事で熱吸収シリコンスピードが上がる為、外気熱吸収発電可能にした世界最新技術で有る。
従って、銅細電気供給配線を、複数段層内蔵方式によって、圧型のソーラーパネルの電気供給配線は、圧電素子磁石体の熱電子磁気瞬間変化によって、多くの太陽光エネルギーと外気熱エネルギーを瞬間電気エネルギーに変える事が出来る為、携帯電話のau製品のシャープ製のソーラーパネルより、遥かに発電量の多い世界最新技術によって、携帯電話業界のソーラーパネル技術で、世界トップレベルとして、auとドコモなどの、ソーラーパネル技術を、押しのけて世界トップレベルによって、世界の携帯電話のソーラーパネルの販売トップによって、日本国の全額借金返済も夢で無くなる。
ソーラーカー及び家庭用のソーラーパネル発電に関しても、世界トップ技術によって、世界のソーラーパネル販売のトップに成る事が出来る。
【００７１】
第16の産業上の利用可能性。
新2連振子型機械式発電機に内蔵積載して有る磁波計測計を、あらゆる動力車及び家電製品に積載する事で、磁波の世界中の瞬時のデーターを、超小型電波送受信装置によって、地震予知インターネット連絡システムを、可能にする事の出来る超小型磁波計測送受信装置によって、今まで不可能だった、地震予知の道筋が出来た事に成る。
【００７２】
第17の産業の利用可能性。
新2連振子型機械式発電機に内蔵積載して有る格納取って技術の電動仕切り弁積載の内蔵キーは、鍵自体を、電気スイッチ始動鍵の鍵の金属部分に、空洞電気スイッチ鍵構造にした特殊鍵を、用いる事で、鍵を別の合いカギを作って回しても、電動仕切り弁鍵穴保護装置が、作動しない構造に成っており、今後の家庭用の二重及び三重鍵穴保護装置によって、三重鍵穴保護には、合計3個〜6個の鍵が必要に成るが、電気自動車の鍵穴あらしの対策装置として、今後の需要が防犯対策の面で多く需要が見込まれる。
【００７３】
第18の産業上の利用可能性。
新2連振子型機械式発電機に、内蔵積載する防犯用カメラの熱感知放射線内蔵ダイオードパネルは、放射線を、空気中に放射させない世界最新技術を取り入れた防犯用カメラの為、世界中の自動車の人動物の全自動ダイオード認識カメラの熱感知ダイオードセンサー技術と熱感知の熱形状ダイオード感知センサー技術によって、あらゆる乗り物の、全自動ブレーキシステムの道筋を、夜の暗闇の全世界の放射線カメラ使用によっても、大気中に放射線を、出さない世界最新技術によって、現在、放射線廃棄物の処理問題の道筋を、開くきっかけに成る事を、願いつつ逸早い日本国の全額借金返済の道筋と放射線熱感知カメラの一般社会使用の日が、近く成る事を、祈りつつ新しい時代の幕開けと考える。
2010年5月29日pm19時19分少し時間が有るので、書き始めるが、テレビ放映で日本原子力機構が、放射線入りの土を、放射線量を、下げた土を、レンガにして販売していたが、本来、少ない放射線でも、余り良いと考え無いタイプの為、放射線を、出さないセラミックパネルの方が、世論的にも良いと考えるが、尚且つ、放射線入りの土を、放射線と土に分けナれない技術が、世界最高技術だとしたならば、日本の技術の無さと、海外の低レベルの考え方しか無い放射線に対しての技術の現状で有るが、再生プルトニウムは、放射線廃棄物を、再処理して作るが、水素プルトニウムは、放射能を、余り出さない事で広く知られている技術だが、放射線の、再処理しても、放射線廃棄物の量は、変わらない為、放射線廃棄物の再処理のプルサーマルにお金を、掛けない水素プルトニウムと炭素を、混合した放射線の少ないプルトニウム炭素化合物質の原子力の方が、今後、放射線廃棄物を、出さない物質として、今後考えて行くのが、正しいのだが、水素プルトニウムを使った原子力の方が、原子力廃棄物を、出さないのが、はっきりしているのだが、マスコミ自体が、水素プルトニウム原子力発電の存在さえ、余りはっきり国民に連絡しないばかりか、水素プルトニウム発電技術が、日本で、有る事を、広く国民に伝えて、原子力廃棄物の出るウランを、海外から、輸入してまで、原子力発電を、続ける日本の原子力廃棄物の出し続ける事に、咎めないその考え方が、今日は再び考えさせられたのは、海外から、輸入するウラン自体に、お金が、掛り過ぎるのは、電気代が、安く成らないだけでなく、現在、原子力廃棄物の処理代金代も、電気料金として、取られているのも、現状で有る。
【００７４】
第19の産業上の利用可能性。
新2連振子型機械式発電機に内蔵積載する液晶パネルは、発電液晶パネルの軽水素トリチウム電子入りシリコン熱発電技術と軽水素トリチウム電子入り圧電素子磁石体内蔵シリコンパネルを内蔵積載した液晶パネル技術によって、経済産業省の推進する省エネルギー家電製品の日本企業を退け、海外企業のトップに成って、全世界の発電液晶の世界最新技術のトップを進む事の出来る世界最新技術。
【００７５】
第20の産業上の利用可能性。
新2連振子型機械式発電機に、内蔵積載する威嚇スピーカーのグラスファイバースピーカー紙は、携帯電話の防水スピーカーマイクの材料と材質に滴してる為、au及びドコモ及びソフトバンク等とは、異なったスピーカーマイク紙技術によって、完全防水の携帯の道筋を作り上げる事で、日本携帯電話企業技術を、超える技術によって、世界トップ販売の道筋を作る事に成る。
【００７６】
第21の産業上の利用可能性。
新2連振子型機械式発電機の送受信アンテナのアンテナ物質として、軽水素トリチウム電子入り圧電素子磁石体粒子入りアンテナ新技術の携帯電話使用に因って、広まりつつ有るデジタル電波受信率を、良くする為、絶縁体石粒子内蔵プラスチック板に軽水素トリチウム電子入り圧電素子磁石体粒子のデジタル電波受信本体アンテナによって、デジタル電波の受信率を高める事によって、携帯電話の電波受信率を上げた携帯電話のインターネットシステム及びデジタルテレビアンテナシステムによって、インターネット社会の、絶対必要視される電波受信率を良くした携帯電話の世界販売によって、国の全額借金返済の道筋を着けたい。
この他、携帯電話のカバーを、充電池圧電素子アンテナ構造にした携帯電話の超薄型新技術の道筋を作る事が出来る。
【００７７】
第22の産業上の利用可能性。
新2連振子型機械式発電機に積載内蔵する高出力DCブラシレスインバータ制御レールモーターを、パソコンのDVD作動制御モーターに積載する事で、パソコンの電気消費を、かなり、少なくする事を可能にした世界最新技術で有る。
この他、更に電気消費を、少なくした高出力卍形状DCブラシレスインバータ制御モーターにすると、電磁石の数を、少なくした分と電磁石と永久合成磁石の設置角度を、斜角にした為、電気消費が、更に少なく成り、電気カミソリのモーター及び、電気バリカンのモーター及び電気ポットのモーター及び電気電子レンジのモーター及び電気クーラーのモーター及び電気扇風機のモーター及び電気換気栓のモーター及び電気ミキサーのモーター及び電気冷蔵庫のモーター及び電気ヒーターのモーター及び自動車のクーラーのモーター及び一方方向回転型の電気洗濯機及び電気掃除機のモーター及び電気掃除機のバイブレイションモーター及び電気ストーブのモーター及び携帯電話のモーター及びなどは、他社のDCブラシレスモーターとは、高出力電磁石技術と、電磁石と永久人工合成磁石の設置角度を、水平角度〜斜角度を、用いた為、一方方向には回転するが、反対方向には、余り力強く回らない欠点が有るが、電気消費の更に少なくする事を、高出力電磁石と人工合成永久磁石のインバータ制御角度を、水平角度から、斜角度にする事で、高出力電磁石で、永久人工合成磁石の回転移動の電気消費を、更に抑えた高出力卍形状DCブラシレスインバータ制御モーターによって、更なる電気消費を、少なくしたモーターで世界のモーター事業のトップ独占技術販売が、可能に成る。
この他、DCブラシレスインバータ制御モーター及び高出力DCブラシレスインバータ制御モーターの電磁石と永久磁石の設置角度を、斜角度に変える事で、DCブラシレスレールモーター自体の設置角度を、変える事で、電気消費を抑える事も、可能に成るモーターを使用積載した制御モーターでは、DVD及びＣＤ等のテレビ画像録画再生装置のモーター及び電気洗濯機の左右制御モーター電気掃除機のモーター等の、世界最新技術の高出力電磁石技術と卍形状の高出力電磁石設置斜角度と人工合成永久磁石角度によって、電気消費を、更に少なくしたモーターによって、全世界のモーター市場を、変える事が出来る高出力卍形状DCブラシレスインバータ制御モーターの産業上の活用用途説明で有る。
【００７８】
第23の産業上の利用可能性。
新2連振子型機械式発電機に積載内蔵する円柱解体組立型軽水素ニッケル循環発電バッテリーは、バッテリー自体の充電電気量で、循環電気の発電回路内蔵設置の為、新技術の軽水素トリチウム電子入り圧電素子磁石体粒子内蔵シリコンソーラーパネル等の同時内蔵設置ソーラーバッテリーカーは、他社の三菱自動車のテレビマスコミ発表では、余り走行距離が、見込めないが、本発明の、軽水素トリチウム電子入り圧電素子磁石体内蔵シリコンソーラーパネルの外気温と太陽光熱増幅ソーラーパネルと軽水素ニッケル循環発電バッテリーの急速充電バッテリーによって、10分以内の急速充電を、圧電素子4電子磁気分割装置の設置内蔵によって、更に世界最速のバッテリー充電を可能にした世界最新技術で有る。
従って、軽水素ニッケルバッテリーは、液体マグネシウムプラス溶液とニッケル酸バリュームマイナス溶液と軽水素トリチウム電子の電解気化液を、バッテリーの構造物質の為、リチウムより、資源量が多い為、将来のバッテリー材と充電池材に心配が無く、液体マグネシウムの再利用とニッケル酸バリウムの再利用が可能に成り、リチウムイオンは、再生不可能に成る為、資源の材料の埋蔵量だけに成り、リチウムイオン充電池とリチウムイオンバッテリーの再利用不可能な、現在の技術状況の為、資源埋蔵量と資源再利用の点では、軽水素ニッケルバッテリーと軽水素ニッケル充電池が他社より、優位に立つ事が出来る急速充電技術で有り、リチウムイオンは、リチウムと水素を使用した充電池の為、軽水素ニッケル充電池より、充電時間が長く成り、軽水素ニッケル充電池の急速充電時間に近づける技術が、リチウム軽水素技術に成り、特願2006ー140535号公報の軽水素ニッケルマグネシウムバッテリー技術の改良型に成り、問題視される事は、資源の枯渇と再利用バッテリー及び充電池可能な世界最新技術で有る。
更に、トヨタ自動車のハイブット車及び本田技研自動車工業のハイブリット車に、本発明の軽水素ニッケル循環バッテリーに変える事でトヨタ自動車のハイブリット車は、無給油ハイブリット車に成りえる世界最新技術の軽水素ニッケル循環発電バッテリー新技術で有り、トヨタ自動車の燃料電池車と本田技研自動車工業の燃料電池車に、新技術の軽水素トリチウム電子入り圧電素子磁石体粒子内蔵ソーラーパネル新技術と軽水素ニッケル循環発電バッテリーを、積載する事で、水素タンクの水素を、補充しなくて済むばかりか、超小型の水素製造遠心分離機装置を、燃料電池車に積載する事で、燃料電池自動車のスピードが、上がら無く成った場合、水を燃料電池車に、入れる事で、全自動で水素を製造して、水素タンクに供給して、高速運転出来る水素製造の水の供給型及び水再利用型の、燃料電池車も可能に成る。
【００７９】
第24の産業上の利用可能性。
新2連振子型機械式発電機に積載内蔵する軽水素トリチウム電子入り圧電素子磁石体歯車は、洗濯機等の金属歯車は、湿気などに因る金属の錆劣化を、避ける為、プラスチック歯車を、最近及び近年は、積載使用している様だが、強度の欠点問題点の解決の為、プラスチック歯車に、アルミニウム金属とステンレス金属の合金歯車空洞金板装置に、プラスチックで、固めた強度維持歯車構造と歯車の回転補助装置の圧電素子磁石体電磁石歯車内蔵装置によって、洗濯機及び洗濯乾燥機の歯車を、他社の主張するプラスチック製技術から、アルミニウム鉄合金の歯車空洞金型歯車にプラスチック強度を、追加した軽量金属空洞歯車を、使用積載した洗濯機のミッション歯車新技術及び超小型ミッション歯車内蔵型水中ポンプ装置及びミッション歯車内蔵型水車板内蔵高出力ダイナモ発電装置及び、超小型ミッション歯車内蔵型ファンモーターの超軽量アルミニウム鉄合金型プラスチックカバー歯車ミッション構造にする事で、強度と錆び防止の二つを、クリアーした合金金属のプラスチックカバー内蔵装置によって、ミッション歯車の強度を、更に高くした装置。
【００８０】
第25の産業上の利用可能性。
新2連振子型機械式発電機に積載内蔵する防犯用カメラの映像回路と液晶画面の映像回路に積載内蔵する充電池映像回路チップは、充電池素子とアルゴンを、超小型回路チップ素子型の装置にしたテレビ映像回路と防犯用カメラの映像回路は、携帯電話の映像回路に利用する事で、有機EL液晶ディスプレイは、電気消費が多い為、現在は余り見受けない商品で有り、その為、日本企業の全社は、ＮＨＫのハイビジョン技術を、デジタル使用に書き換えて対応したのが、ナショナル電気で有り、デジタルハイビジョンチップのテレビマスコミ公開が有名だが、特許切れのブラウン管テレビが、1万円台で買える商品の為、液晶テレビも、特許切れの為、正確な商品価値値段は、1万円に成り、充電池アルゴンチップと充電池ネオンチップを、ブラウン管テレビに内蔵積載に成る構造で有り、低下価格の特許切れノーマル液晶テレビ及び低価格の特許切れのデジタルテレビに、充電池アルゴン映像回路チップと充電池ネオン映像回路チップを、低下価格商品に、内蔵積載する事で、6倍〜10倍以上のテレビの特許切れ値段に対抗する事で、庶民全体の安定した資産安定型の低価格の特許切れブラウン管テレビと低価格の特許切れ液晶テレビを、弱者庶民に特許庁と経済産業省の主張する特許権実施期間切れ財産及び実用新案登録実施期間れ財産に対しては、誰でも、製造して販売出来る説明の上で、低価格の美しい画像で見る事の出来る低価格のブラウン管テレビの充電池アルゴンチップ内蔵テレビと低価格の特許切れ液晶テレビに、充電池アルゴンチップを、内蔵した低価格液晶テレビを貧困社会層に低価格で低価格で提供出来る。
この他、水素アルゴン炭素チップ及び水素ネオン炭素チップは、充電池アルゴンチップと充電池ネオンチップの代換え映像回路チップ商品で有り、新技術の軽水素アルゴン圧電素子磁石体回路チップと新技術の軽水素ネオン圧電素子磁石体回路チップによって、世界販売独占の日本企業を、押しのけて低価格のブラウン管テレビと低価格の液晶テレビを、貧困社会層に提供出来る。
従って、日本企業に無い発電回路積載テレビ技術と日本企業に無いテレビ回路熱発電軽水素トリチウム電子入り圧電素子磁石体粒子内蔵シリコン発電シート内蔵新技術テレビ技術とテレビマスコミで、宣伝で、騒いでいるLEDテレビのLEDライト技術は、本来通常のライト光より、かなり暗く成る為、商品価値が低い為、一度も特許権期間中に、一度も作られなかった海外の発光ダイオードライト玉技術に成り、その為、誰でも判りえる複数ライト玉構造が、必要に成り、それでも、通常ライト及び最新技術テングステン銅合金の、昔ならではのテングステン金属切れが、無くなった蛍光官を、液晶バックライトに使用したのが、日本企業だが、実際に、LEDライトを、テレビにそのまま使用しても、暗いバックライトテレビしか出来なかった為、2010年現在まで、一度も液晶のバックライトとして、発光LEDライト玉が、使用されて来なかった理由の一つで有った。
しかしながら、本発明の軽水素トリチウム電子入り発光ダイオードLEDライト玉技術の場合は、軽水素トリチウム電子を、発光ダイオードに混合内蔵積載する技術が、確立した現在ならば、ライトの玉使用のライト高度の明るさの商品価値の無い発光ダイオードライト玉は、従って、ライトの玉切れが無い事では、通常ライトを圧倒する技術で有り、発光ダイオードライト玉の電気消費も、通常ライト玉のテングステン金属技術の電気消費より、かなり少ない電気消費技術に成る。
従って、今までの発光ダイオード玉のライトの明るさを、上げる新技術の軽水素トリチウム電子入り発光ダイオードライト玉技術では、少ない電気消費でも、軽水素トリチウム電子効果によって、今まで不可能だった発光ダイオード玉のライト光の明るさを上げる事を、軽水素入りダイオードにする世界最新技術によって、貧困社会層のテレビと言う商品のバックライトの寿命を、通常蛍光管から、軽水素トリチウム電子入り発光ダイオードLEDライト玉技術に変える事で、液晶テレビの最大の欠点の一つのバックライト寿命を、延ばす事と発電回路を、内蔵した新技術テレビと軽水素トリチウム電子入りアルゴン圧電素子回路チップの新技術を、積載する事で、貧困社会層に、低価格の寿命の長い発電液晶テレビを、日本企業全社に対抗した新技術によって、日本国の全額借金返済を、全世界の新技術発電テレビ技術と発電液晶テレビ技術積載の携帯電話液晶画面の全世界独占販売権を、日本企業全社と交代して、弱者貧困社会層の安定した最低生活〜安定した通常生活の自立の為の、発電回路液晶テレビの産業上の利用可能性の説明に成る。
この他、デジタルカメラ及びパチンコ液晶及び建設機械液晶パネルなど等のあらゆる液晶パネルの寿命と電気消費を、更に少なくした技術によって、日本の全国の大学有識者と日本の全国の裁判官と日本の全国の国会議員と日本の全国の企業が、絶対出来なかった人権無視の弱者貧困社会層を、2010年まで、残し続けた日本の武士貴族社会の考えそのままの現在の、弱者貧困社会層を、平等な通常安定社会層を、初めて作り上げる事を可能にした世界最新技術の発電回路液晶テレビ技術の平等な産業の生活自立の利用可能性説明で有る多情報カード。)
【００８１】
第26の産業上の利用可能性。
本発明の新2連振子型機械式発電機のセット方式の地震対応防災防災人保護パネルは、テレビマスコミの世界中地震多発地帯の地震防災人の死亡防止装置として、低価格で製造可能な、樹脂網入りセラミック粒子内蔵グラスファイバーパネルは、樹脂網によって、グラスファイバーパネルの強度を増して、再生セラミック粒子として、再生材のガラス粉及び再生材の陶器セラミック材及び再生コンクリート粒子などを、グラスファイバーパネルに内蔵した強度を増した地震防災人対策の為の一部屋全体を、四角形柱のボルトナット組立パネルによって、地震に弱い一部屋と一部屋に住む人と新2連振子型機械式発電機の財産を、守る事で、地震崩壊後の木造建築及びレンガ作りの家を、生活したままの地震崩壊建築物の材料の再利用によって、お金の無い人の地震崩壊による再建築費を、因り少なくする事を可能にした地震崩壊の木造建築物の新しい再建の有りかたの考え方に成り、特願2010ー82号公報の竹笹合成木材技術の樹立によって、低価格木材の使用と地震崩壊によって、作り出される地震廃棄木造建築材を使用した地震崩壊後の再建後処理が、スムーズムに済む用に考えられた新2連振子型機械式発電機のセット方式の地震対応防災人保護パネル装置の低価格商品の価値観説明で有る。
この他、特願2010ー82号公報の国の900兆円越えの借金全額返済の為の世界最新の公共事業対策の中で説明した固形窒素入りグラスファイバーパネルの応用型新技術として、固形窒素外壁入り樹脂網セラミック粒子内蔵グラスファイバー新技術は、温暖地域のグラスファイバー太陽光熱劣化防止の地震の防災人保護パネルによって、弱者貧困社会層の自立社会自立の為に、発明された装置によって、地震崩壊後の後処理及び再建費用を安く済ませる事の出来る世界初の地震後の対策処理が簡単に済ませる事の出来る装置の利用説明。
【００８２】
第27の産業上の利用可能性。
本発明の新2連振子型機械式発電機は、通常ダイナモより、発電量が多く望める新技術の高出力ダイナモを、二つ積載して、新技術の発電回路と言うプラス発電回路とマイナス発電回路のバッテリーの軽水素トリチウム電子入りの圧電素子磁石体の電気打撃によって、発電出来る世界初の新技術と新技術の軽水素トリチウム電子入りの圧電素子磁石体粒子内蔵シリコンソーラーパネルのトリプル発電装置システムは、新2連振子型機械式発電機の数を、増やすだけで、無害無給油の発電機に成り、発電量は新2連振子型機械発電機の数を増やす簡単な技術だけで、無害無休発電機が手に入る時代が来ている事が事実で有り、水素タンクの水素補給型のトヨタ自動車方式及び本田技研自動車工業方式の燃料電池発電水素タンク水素補給技術と東京ガスの天然ガス補給型技術は、資源補給にお金が掛り過ぎて、天然ガスの資源枯渇後は、対策無の燃料電池発電機技術では、いつまで経っても利益の収益によって、国の全額借金返済が、困難で有るが、本発明の新2連振子型機械式発電機の高出力ダイナモと発電回路と軽水素トリチウム電子入り圧電素子磁石体粒子内蔵シリコンソーラーパネルのトリプル発電装置は、無給油と少ない太陽光熱でも、多くの熱シリコン軽水素トリチウム電子の圧電素子磁気瞬間発電出来る世界初のソーラーパネル技術によって、外気温発電も可能に成った世界初の新技術によって、お金の高い燃料電池発電技術に変わる世界最新トリプル発電新技術によって、電気自動車の無給油及び無充電方式の世界最新技術によって、現在、テレビマスコミ及び新聞マスコミで騒がれている東京ガスの燃料電池とソーラーパネルのダブル発電技術を超える高出力ダイナモ技術と高出力ソーラーパネル新技術によって、現在、最終的に燃料電池発電に頼るしか無い資源再利用型社会と同等の無給油資源循環型社会作り可能な新2連振子型機械式発電機を積載したトリプル発電システム積載の電気自動車及び電気建設機械及び電気商業機械及び電気農業機械及び電気漁業機械及び電気林業機械及び電気介護機械及び電気宇宙ロボット機械及び電気水中ロボット機械及び電気地中ロボット機械及び電気医療機械及び電気遊戯ロボット機械及び電気温水ロボット機械及び電気空中ロボット機械及び電気地下都市システムロボット機械などの無給油電源使用積載が望める。
【００８３】
第28の産業上の利用可能性
本発明の、新2連振子型機械式発電機に、積載する新映像回路三原色の新技術は、赤色ダイオードと黄色ダイオードと青色ダイオードに軽水素トリチウム電子を入れた赤色ダイオート映像回路新技術と軽水素トリチウム電子入りの黄色ダイオードと軽水素トリチウム電子入りの青色ダイオード装置によって、画像装置の色彩確認認知スピードが、速く成り、電気熱発電コンデーサーによって、コンデンサー電気熱を軽水素トリチウム電子入り圧電素子磁石体粒子内蔵電気熱発電シリコンシートを内蔵した電気熱発電コンデンサー装置と高出力マグネトロン装置の軽水素トリチウム電子入り圧電素子磁石体粒子マグネトロン装置と軽水素トリチウム電子入りチタン酸バリウム薄膜複数穴空きシートを交互に重ねて貼りつけた高出力マグネトロン装置とハイスピードCPUに、フロンガス固形窒素入り炭素石灰綿液体ビニール凝固パネルと軽水素トリチウム電子入りシリコンマグネシウム基盤と圧電素子4電子磁気分割装置とタンタル個体コンデンサーとピン端子とデコーダ解読とフェッチ読み込みと演算ユニットとレジスタ記憶装置とパッケージ回路配線と固定金具を入れたCPUセントラルプロセッシングユニット装置と省電気消費メモリの軽水素トリチウム電子入りシリコン基板と軽水素トリチウム電子入り圧電素子磁気粒子内蔵電気熱発電シリコンシートと圧電素子4電子磁気分割装置とメモリチップと部材固定用溶剤注入穴構造の省電気消費のメモリ(RAM)装置と多層構造ICの多配列ICと軽水素トリチウム電子入り圧電素子粒子混合銅アルミニウム合金配線と軽水素トリチウム電子入り圧電素子磁石体粒子内蔵電気熱発電シリコンシートと超薄型木材灰入りプラスチック絶縁体とフロンガス入り固形窒素内蔵牧草灰入りビニール回路冷却絶縁シートと石粒子入りガラス絶縁体と多配列IC絶縁ライン付き配線構造の多層構造ICとEMカード(多情報カード)の軽水素トリチウム電子入り圧電素子磁石体粒子内蔵電気熱発電シリコンシートと超薄型木材灰入りプラスチック絶縁体と圧電素子粒子入りアルミニウム回路配線と多機能圧電素子メモチェック複数ICと多情報IC型軽水素トリチウム電子入りダイオードスイッチ回路と他情報カードデータ録音録画防止カードデザインと絶縁体と上部接続端子と暗号認識記録部分と多色順認識絵暗号と接着用突起物収納場所とシリコンゴム防水装置を積載内蔵したEMカード(多情報カード)を積載内蔵した新2連振子型機械式発電機の液晶回路装置は、携帯電話の新しいテレビ回路とパソコンの新しいパソコン回路として活用出来る新技術回路装置。
【００８４】
第29の産業上の利用可能性。
本発明の、新2連振子型機械式発電機に積載内蔵する電気電子増幅装置に積載内蔵する新技術の高出力マグネトロン装置と高出力モーターと高出力電磁石と高出力銅筒官コイル配線と電気熱発電コンデンサーと発電回路を組み合わせる事によって、高出力省電気消費電子レンジが、低価格設定でも作れるだけ、軽水素トリチウム電子を使った高出力新技術の軽水素トリチウム電子の熱電子増幅効果によって、各システムの高出力技術電子増幅発電効果の電子レンジ部品によって、新技術電子レンジが出来る事に成るが、最初の機械式発電機に積載内蔵したのが、電子レンジの電気電子増幅装置で有り、銅筒官コイル配線の軽水素トリチウム電子入り圧電素子磁石体粒子内蔵の銅筒官配線が、出来て高出力ダイナモが出来て、高出力内コイル板モーターが出来て、高出力ソーラーパネルが出来た時点で、電気熱発電コンデーサーなどが、直ぐに出来る新技術条件が、揃った時点で、既に、新技術電子レンジは、既に完成していたと言えて、高出力マグネトロン新技術発明によって、いつでも、新技術電子レンジの部品が、そろっている為、いつでも新型電子レンジの特許提出または、実用新案提出によって、特許確定が、濃厚確定になって居る現状でも有る。
【００８５】
第30の産業上の利用可能性。
本発明の、新2連振子型機械式発電機に積載内蔵する新技術の卍形状DCブラシレスインバータ制御モーターの内側卍永久磁石の複数穴空きアルミニュームモーター軸に使われる樹脂合成プラスチック材の軽量材応用として、扇風機の羽根の軽量化素材とクーラーのファンの羽根と空気清浄機のファンの羽根と換気栓のファンの羽根とパソコンクーラーのファンの羽根と洗濯機のスクリュー羽根と自動車のファンの羽根と飛行機のクーラーのファン羽根と船のクーラーのファン羽根と加湿器のファンと電気ストーブのファンと模型飛行機のプロペラと電気掃除機のファン羽根とヘッドドライヤーのファンの羽根と超小型水中ポンプのスクリュー羽根と全自動食器洗い機のスクリューファンと洗濯乾燥機の送風ファン装置と電子レンジのファン羽根と冷蔵庫ファン羽根等に使用する事で、電気消費を抑える事が出来る。
従って、場合と場所に応じて、樹脂のみのファン羽根を使用する事で、電気消費を更に少なく出来る。
【００８６】
第31の産業上の利用可能性。
本発明の、新2連振子型機械式発電機に積載する温度計の光温熱遮断装置の複数空間合わせガラス反射板装置は、業務用のスーパーなどの冷蔵庫の光温度遮断装置として、使用する事で、光温度の影響による生鮮生モノの温熱解凍を防ぐ装置の応用が期待出来て、冷蔵庫の電気消費を抑える効果が期待出来る。
【図面の簡単な説明】
【００８７】
【図１】本発明の新2連振子型機械式発電機の正面図
【図２】本発電機の解体盗難防止装置の説明図
【図３】本発明の発電回路内蔵ソーラーパネル説明図
【図４】本発明の発電液晶パネル全体構造説明図
【図５】本発明の卍形状DCブラシレスインバータ制御仕切り弁格納型取っ手説明図
【図６】本発明の防水スピーカー説明図
【図７】本発明の電磁波(マグマ磁波)キャッチ計測データー送受信装置の説明図
【図８】本発明の温度計説明図
【図９】本発明の発電回路説明図
【図１０】本発明の超小型高出力ソーラーパネル内蔵発電液晶パネル説明図
【図１１】本発明の新2連振子型機械式発電機のアンテナ構造説明図
【図１２】本発明の防犯用カメラの構造説明図
【図１３】本発明の防犯用カメラの画像処理構造説明図
【図１４】本発明の燃料電池の水感知センサーの構造説明図
【図１５】本発明の振動吸収ゴムの構造説明図
【図１６】本発明の地震波計データー送受信装置の構造説明図
【図１７】本発明の実施形態を示す新2連振子型機械式発電機の構造説明図
【図１８】本発明の高出力ダイナモの構造説明図
【図１９】本発明の新2連振子型機械式発電機の全自動巻き取り型のワイヤ入り大型ゼンマイ装置の構造説明図
【図２０】本発明の高出力銅筒官配線の構造説明図
【図２１】本発明の電磁誘導発電歯車の構造説明図
【図２２】本発明の新2連振子型機械式発電機の振り子装置の構造説明図
【図２３】本発明の円柱型解体組立型の軽水素ニッケルバッテリーの構造説明図
【図２４】本発明の圧電素子4電子磁気分割装置の構造説明図
【図２５】本発明の循環発電バッテリーの構造説明図
【図２６】本発明の軽水素トリウム電子入りマグネシウムシリコン冷却シート貼り付け半導体構造説明図
【図２７】本発明の発酵熱水蒸気連続燃料電池発電パネル構造説明図
【図２８】本発明のソーラーパネル付き発酵熱発電燃料電池パネル構造説明図
【図２９】本発明の新2連振子型機械式発電機のデーター記録用のEM多情報カードの構造説明図
【図３０】本発明の液晶回路に積載する多層構造ICの構造説明図
【図３１】本発明の液晶回路に積載するハイスピードCPUの構造説明図
【図３２】本発明の液晶回路に積載する省電気消費メモリRAMの構造説明図
【図３３】本発明の液晶回路に積載するLED発電回路チップ構造説明図
【図３４】本発明の液晶回路に積載する映像波ノイズ修正回路チップの構造説明図
【図３５】本発明の液晶回路に積載する映像波ノイズ高速修正回路チップの構造説明図
【図３６】本発明の液晶回路に積載する映像波ノイズ取り除き補正充電池回路チップ構造説明図
【図３７】本発明の実施形態を示す地震対応型の防災人保護パネル構造本体全体構造説明図
【図３８】本発明の実施形態を示す地震対応型の防災人保護パネルの組み立て部品構造説明図
【図３９】本発明の液晶回路に積載する新映像波三大軽水素トリチウム電子入りダイオードの構造説明図
【図４０】本発明の液晶回路に積載する電気熱発電コンデンサーの構造説明図
【図４１】本発明の新2連振子型機械式発電機に積載内蔵する高出力マグネトロン装置の構造説明図
【発明を実施するための形態】
【００８８】
以下本発明の実施形態を、図1〜図41に基づいて説明する。
【００８９】
図1に於いては、1は新2連振子型機械式発電機で有り、2は高出力ソーラーパネルの軽水素トリチウム電子入り圧電素子内蔵シリコンソーラーパネルで有り、3はデーター表示液晶パネルで有り、4は、大気熱吸収発電型ソーラーパネルで有り、5は燃料電池水感知センサーで有り、6は防犯用カメラで有り、7は威嚇スピーカーで有り、8はデーター送信用温度計で有り、9は湿度計で有り、10は地震計で有り、11は磁波計測計で有り、12は格納型取って電動モーター仕切り弁で有り、13は送受信装置で有り、14は格納型ドリルポルト止め装置で有り、15は第1機械式発電機で有り、16は第2機械式発電機よって、全自動無害無給油の無休憩連続ダブル高出力ダイナモ発電を可能にした装置が設置されて、全自動作動する構造に成って入る。
【００９０】
図2に於いては、14の格納型ドリルポルトナット止め装置は、18の高出力卍形状DCブラシレスインバータ制御モーターで有り、19のインバータ制御装置によって、作動出来て17の圧電素子磁気4分割装置によって電気消費を抑え、20の高出力電動モーター仕切り弁を作動させ、21のドリル＆ボルトＷ止めナットを保護している構造に成る。
【００９１】
図3に於いて、世界最新型の24の発電回路内蔵と17の圧電素子4電子磁気分割装置内蔵と23の軽水素トリチウム電子入り圧電素子磁石体粒子内蔵シリコンソーラーパネルを積載した新2連振子型機械式発電機の補助発電装置の高出力ソーラーパネルシステム構造説明で有る。
【００９２】
図4に於いて、3のデーター液晶発電パネルは、25の圧電素子映像波全自動修正回路チップと、26の圧電素子映像波全自動修正チップマイナス回路と326の圧電素子映像波全自動修正チッププラス回路と、27の軽水素ニッケル充電池映像波チッププラス回路と、28の軽水素ニッケル充電池映像波チップマイナス回路と、29の軽水素トリチウム電子入り超透明シリコン発電シート内蔵2枚合わせクリスタル発電ガラスと、30の軽水素トリチウム電子入りダイオード発電カラーフィルターシート装置と、31の発電網シート内蔵編光板装置と、32の発電網シート内蔵配向膜と、33の軽水素トリチウム電子入り発光ダイオードLED発電複数バックライト装置と、34の圧電素子磁石体粒子内蔵電気熱磁気変換シリコン熱発電パネルと軽水素トリチウム電子入り液晶パネルを、発電液晶パネルにそれぞれ組み込んだ液晶パネル装置。
【００９３】
図5に於いて、12の格納取っ手構造は、18の卍形状DCブラシレスインバータ制御モーターを、構造とした20の高出力電動モーター仕切り弁装置で有り、除菌装置と冬季に使用するスイッチ切換え方式の、35のテングステン内蔵ニクロム電熱線入り取っ手装置を内蔵した新2連振子型機械式発電機で有る。
【００９４】
図6に於いて、防水スピーカーの構造実施説明として、37の防水スピーカーの石粒子入りグラスファイバー紙を使用した38の人工永久磁石に39の複数穴空き鋼鉄板磁石と40の軽水素トリチウム電子入り圧電素子磁石体パネルに、41の高出力銅筒官配線の軽水素トリチウム電子入り圧電素子磁石体粒子内蔵銅筒官コイル配線を巻いて、34の圧電素子磁石体粒子内蔵電気熱磁気変換シリコン熱発電パネルによって、電磁石防水として石膏粉入りビニール絶縁体シートを被せて入る装置で有る。
【００９５】
図7に於いて、新2連振子型機械式発電機の電磁波計測装置は、電波の電磁波障害によって起こる電波の乱れ計測を応用した装置で有り、43のゲルマニウムラジオ波の応用装置の弱ラジオ波の正波長計測装置は、複数の電波キャッチ体と複数の電波絶縁体の、45のゲルマニウムラジオ回路の42の電磁波キャッチ送受信装置とラジオ波の電波の波を計測出来るゲルマニウムラジオ波のオシロスコープを内蔵積載した装置によって、電波の乱れを計測して、地震予知波データーを送受信出来る装置。
【００９６】
図8に於いて、新2連振子型機械式発電機に積載する温度電波連絡装置は、46の軽水素トリチウム電子入り発光ダイオードLEDライト玉装置は、50の複数空間合わせガラス反射板装置と48のカラー色光ライン絶縁体装置と47のカラー光ラインキャッチ軽水素トリチウム電子入りダイオード装置によって、温度計の水銀位置を計測して、温度連絡出来る装置説明に成る。
【００９７】
図9に於いて、新2連振子型機械式発電機に積載する複数の発電回路は、電気電子増幅装置を使用する事によって、60の通常マイナス電気は、マイナス発電回路の52の軽水素トリチウム電子入り銅筒官回路コイルと、複数穴空き銅筒官コイルと、56の圧電素子磁石体マイナス部分から成るマイナス発電回路は、電気電子増幅装置のマイナス電気の計水素トリチウム電子入りの圧電素子磁石体打撃によって、軽水素トリチウム電子の電気圧電素子打撃発電を可能にしている装置で有り、59のプラス電気は、電気増幅装置のプラス増幅電気を、53の複数穴空き銅筒官コイルと、51の軽水素トリチウム電子入り銅筒官プラス発電回路コイルと、55の軽水素トリチウム電子入り圧電素子磁石体プラス部分に増幅電気が通る事で、軽水素トリチウム電子効果によって、プラス電気増幅発電出来る新技術の増幅電気打撃発電装置で有る。
【００９８】
図10に於いて、新2連振子型機械式発電機に積載する4のソーラー発電電気熱発電液晶画像パネルは、液晶の中央部分に、23の軽水素トリチウム電子入り圧電素子内蔵シリコンソーラーパネルを構造とした31の軽水素トリチウム電子入り超透明シリコン発電シート内蔵二枚合わせクリスタル発電ガラスは、32の軽水素トリチウム電子入りダイオード発電シートと34の軽水素トリチウム電子入り圧電素子磁石体粒子内蔵電気熱磁気変換発電ダイオード発電パネルを重ねた液晶軽水素入りLEDバックライト技術に成る。
【００９９】
図11に於いて、新2連振子型機械式発電機に積載するアンテナは、61の圧電素子磁石体粒子内蔵金属アンテナと64の電波受信金属として、65の圧電素子磁石体と63の配線入り絶縁体構造と、電波受信アンテナコイルとして、62の銅円柱に鉄板を被せて、軽水素トリチウム電子入り圧電素子磁石体を更に被せた62の電波受信棒に、41の銅筒官コイル配線を巻いた62の電波受信棒によって、高出力電波送受信を可能にしている新技術電波送受信アンテナ装置で有る。
【０１００】
図12に於いて、新2連振子型機械式発電に積載する69の放射線内蔵シリコンクリスタルガラスパネルは、通常の熱感知の微量放射線放出カメラの微量放射線放出場所に取り付けた構造に対して、70の新技術の軽水素トリチウム電子入りカメラ光画像CCD光ダイオード色認識区別の光データー作成装置は、68のクリスタルガラス入り66の大レンズと67の凸レンズ構造で有り、光データーは、71の多層圧電素子磁石体カードは、72の圧電素子磁石体磁気粒子を内蔵した71の多層圧電素子磁石体磁気粒子カードは、73のデーター入出力部分として凹凸階段式読み込み録画録音再生部分で有る。
【０１０１】
図13に於いて、新2連振子型機械式発電機に積載する防犯用カメラの携帯電話波及び無線波のカメラ映像システムとして、74のカメラの被写体の光を75のカメラレンズによって、76のカメラ被写体認識のCCD装置によって、77のカメラ被写体の軽水素トリチウム電子入りダイオードCCD装置によって、78のカメラ被写体ダイオード色CCDダイオード色電波変換装置によって、79の新技術のカメラ被写体ゴースト取り除き圧電素子チップ装置と80のカメラ被写体ダイオードカラー色調整充電池素子チップを内蔵して、81の圧電素子アルミニウム合成回路配線の(デジタル回路及びノーマル回路)に、82の発電パネル液晶カメラ用を内蔵する事で、83の他社に無い美しいカメラ画像を可能にした装置で有る。
【０１０２】
図14に於いて、新2連振子型機械式発電機に積載する新技術の発電パネル(発電池)は、84の複数針穴空き軽水素トリチウム電子入り圧電素子磁石体粒子混合液体マグネシウム合成発電パネルの内部に、87の液体マグネシウム又は、88の硝酸プラスチックセラミック及び複数構造の軽水素入り硝酸粒子に鉛カバー掛けた複数層の軽水素入り硝酸粒子入り液体マグネシウムは、水を得る液体マグネシウム発電熱を持続させる燃料電池パネルで有り、この他、新技術の軽水素トリチウム電子入り発酵木材チップ粒子入り発電パネルを、水素及び酸素瞬間吸収物質の液体マグネシウムの内部に内蔵する事によって、水中でも発電可能に成る液体マグネシウムの燃料電池の水瞬間の蒸気温度発電の液体マグネシウム内蔵の発電パネルの86の燃料電池水及び水蒸気感知センサーで有る。
【０１０３】
図15に於いて、新2連振子型機械式発電機に積載する振動吸収電磁石反発ゴム装置は、90の振動吸収電磁石反発ゴム内蔵装置は、91の振動吸収圧電素子磁石体粒子合成ゴム装置と、92の銅筒官コイルを巻いた93の複数穴空き鋼鉄板装置と94の軽水素トリチウム電子入り圧電素子磁石体粒子入り強化ゴムの(別名磁石ゴム)と95のワイヤ網入り強化ゴムと96の軽水素トリチウム電子入り圧電素子磁石体粒子入り強化磁石ゴムと97の複数穴空き鋼鉄板を、交互に重ね合わせた新2連振子型機械式発電機の振動吸収複数重ね磁石ゴムに成る。
【０１０４】
図16に於いて、新2連振子型機械式発電機に積載する電波送受信型地震計装置は、98のプラスチック粒子入り木材粒子入り石の粉粒子合成板に99の地震球の電気連絡金属パネルは、100の地震計の絶縁カバーを取り付けた101の振り子球電気接触スイッチは、102の振り子球は、103の地震振子装置の102の振子球の104の電気スイッチと105の地震波計測装置と別名の振れスピード計測装置データーを、106の地震波送受信装置によって、地震データーを、送る装置で有る。
【０１０５】
図17に於いて、新2連振子型機械式発電機は、117の第一バッテリーの軽水素ニッケルバッテリーと118の第二バッテリーの軽水素ニッケルバッテリーと119の第三バッテリーの軽水素ニッケルバッテリーの電源と2の高出力ソーラーパネル発電の電気エネルギーと107の第一機械式発電機は、108の第二機械式発電機の電気エネルギーを使って、107の第一機械式発電機を一度連続無給油の無休憩連続作動させる為に、123の振り子装置を作動させる為に、122の高出力DCブラシレスインバータ制御モーターを作動させると同時に、17の圧電素子4分割装置によって、無駄にする熱電気を取り除いて、123の振り子装置を、連続電磁石反発作動させる為の、124の左側高出力電磁石と125の右側高出力電磁石に、115の高出力電気電子増幅第一装置によって、電気増幅した電気を送り、123の振り子装置を、最大振子往復運動によって、120の高出力ダイナモを連続連動歯車によって、120の高出力ダイナモを、高速回転させる事が出来て、ワイヤ入り大型ゼンマイ歯車を、109の第一発電回路と110の第二発電回路の増幅電気によって、連続作動させて連動歯車を通じて、120の高出力ダイナモを連続回転作動させる事の出来る装置で有る。
更に、120の高出力ダイナモの高速回転で得た増幅高出力ダイナモ電気を、116の高出力電気電子増幅第二装置によって、電気増幅したプラス電気とマイナス電気を111の第三発電回路のプラス発電回路とマイナス発電回路にそれぞれの増幅電気を流して増幅電気を得て、更に、112の第四発電回路に増幅発電電気を通して、更に増幅発電した電気を113の第五発電回路に電気を通して、更に増幅発電した電気を得て、114の第六発電回路に増幅発電電気を通して、最初に発電した120の高出力ダイナモの総合発電電気量より上回る総合発電電気量を、111と112と113と114の発電回路のプラス発電回路とマイナス発電回路に120の高出力ダイナモ電気の116の高出力電気電子増幅したプラス電気とマイナス電気を、発電回路のプラス発電回路とマイナス発電回路に通す事で、増幅総合発電電気量を得る事が出来て、再び、17の圧電素子4分割装置によって、熱電気を取り除いて、108の第に機械式発電機を、更に高速高出力発電させて出来た電気を、17の圧電素子4分割装置によって、熱電気を取り除いて、117と118と119の軽水素ニッケル循環発電バッテリーに、補助急速発電回路発電充電を行う事で、多くの高出力発電総合電気量を、107の第一機械式発電機と108の第二機械式発電機の交互の高出力増幅発電システムによって、多くの増幅電気を、半永久に得る事の出来る無休憩連続作動出来る高出力発電出来る新2連振子型機械式発電機システムで有る。
【０１０６】
図18に於いて、新2連振子型機械式発電機に積載する120の高出力ダイナモは、127の歯車ギアを126のダイナモ軸に取り付けた構造で有り、131の通常ダイナモ本体の中央部分を刳り貫いた場所に、237のダイナモ軸固定ガード筋金属を内蔵させて、130の軽水素トリチウム電子入り圧電素子磁石体を変わりピッタリはめ込んで327の新技術の熱瞬間吸収発電シート(別名軽水素トリチウム電子入り圧電素子磁石体粒子内蔵シリコン発電シート)を被せて、239のダイナモ増幅発電装置滑落防止カバー(別名ダイナモ固定置)を取り付け、128のダイナモ端子と129のダイナモカバーを取り付けた120の高出力ダイナモ装置で有る。
【０１０７】
図19に於いて、新2連振子型機械式発電機に積載する全自動巻き取り型ワイヤ入り大型ゼンマイ装置は、新2連振子型機械式発電機の120の高出力ダイナモを、補助回転作動させる為の装置で有り、135の超細ワイヤを、136のワイヤ入り切れ防止ゼンマイ板装置を、133のワイヤ入り大型ゼンマイ軸装置に取り付けて、134のワイヤ入り大型ゼンマイストッパーとゼンマイ接触スイッチ連絡装置構造の大型ゼンマイ板装置は、18の高出力卍形状DCブラシレスインバータ制御モーターに、電気消費を抑える為の装置の、17の圧電素子4電子磁気分割装置によって、電気消費を抑える装置を積載内蔵する事で、132の全自動巻き取り型ワイヤ入り大型ゼンマイ装置を積載内蔵した装置で有る。
【０１０８】
図20に於いて、新2連振子型機械式発電機に積載する41の高出力銅筒官配線は、軽水素トリチウム電子入り圧電素子磁石体粒子内蔵電気配線で有り、138の複数穴空き銅筒官タイプの超軽量電気配線等が有る。
【０１０９】
図21に於いて、新2連振子型機械式発電機に積載する139の軽水素トリチウム電子入り圧電素子磁石体磁気粒子パネル合成電磁誘導発電歯車装置は、142の歯車電気配線内蔵歯車軸構造に成って下り、143の軽水素トリチウム電子入り圧電素子磁石体構造で有り、141の軽水素トリチウム電子入り圧電素子磁石体歯車打撃発電装置は、140の電磁誘導発電歯車構造に成っている。
【０１１０】
図22に於いて、新2連振子型機械式発電機に積載する123の振り子装置は、148の振り子軸に144の電磁石吸引接着スイッチ作動振子軸によって方方向歯車連続回転作動出来る歯車電磁石スイッチ連絡方式の歯車で有り、145の交換用充電池振子重り装置構造に成っており、146の左合成永久磁石と147の右合成永久磁石が、123の振り子装置に内蔵積載に成っている構造で有り、124の振り子装置左側高出力電磁石反発装置と125の振り子装置右側高出力電磁石反発装置が取りつける事によって、左右往復の高速振子作動の省電気消費の連続作動が出来る装置で有る。
【０１１１】
図23に於いて、新2連振子型機械式発電機に積載する円柱解体組立型の軽水素ニッケルバッテリーは、150のナット式の電極棒と151のナットネジ止め方式(組立解体方式)を使用した162の絶縁仕切りかべを設けた装置に、152のニッケル酸バリウムプラス軽水素電解液と154の液体マグネシウムマイナス軽水素電解液は、157の圧電素子磁石体内蔵複数穴空きニッケル極活物質に成り、内部構造は、158のシリコン溶液軽水素侵入防止プラス構造と159のニッケル酸パリウムシリコンシート構造に160のニッケル金属カバーが取り付けられている構造に成る。
更に、164のマイナス磁極は、横付け磁極棒構造に成り、163のプラス磁極は、横付け磁極棒構造に成る153の熱吸収発電体の(別名軽水素トリチウム電子入り圧電素子磁石体粒子内蔵シリコン発電体構造に成った電気配線内蔵構造の発電体構造の軽水素ニッケルバッテリー構造に対して、17の圧電素子4電子磁気分割装置を取り付けた最新式の急速充電バッテリーに成る。
【０１１２】
図24に於いて、新2連振子型機械式発電機に積載する17の圧電素子4電子磁気分割装置は、プラス圧電素子4電子磁気分割装置とマイナス圧電素子4電子磁気分割装置の二つを使用積載した装置で有り、圧電素子磁石体のプラス磁気部分を、169の陽電子磁気体のプラス磁気の一番強い部分と171の陽電子中間磁気体のプラス磁気の弱い部分に区別したプラス圧電素子4電子磁気分割装置と圧電素子磁石体のマイナス磁気部分を、170の陰電子磁気体のマイナス磁気の一番強い部分と172の陰電子中間磁気体のマイナス磁気の一番弱い部分に区別したマイナス圧電素子4電子磁気分割装置に分ける事によって、167の通常プラス電気は、171のプラス陽電子中間磁気体に電気配線を介して、167の通常プラス電気を通す事で、167の通常プラス電気は、圧電素子磁石体の瞬間にプラス磁気化すると同時に、磁気の強いプラス磁気電気と磁気の弱いプラス磁気電気に瞬間に区別され、熱抵抗の多い、プラス磁気電気は、171の陽電子中間磁気体に集まり、176のリサイクルプラス電気として、もう一つの17の圧電素子4電子磁気分割装置の171のプラス磁気の陽電子中間磁気体を介して173のフロン固形窒素内蔵シリコンプラスチックカバーシート冷却装置へ、熱プラス磁気電気が流れ、177の再利用プラス電気を得る事が出来る装置で有り、17の圧電素子4電子磁気分割装置のマイナス圧電素子4電子磁気分割装置とマイナス圧電素子磁石体のマイナス磁気部分を、170の陰電子磁気体のマイナス磁気の一番強い部分と172の陰電子中間磁気体のマイナス磁気の一番弱い部分に区別したマイナス圧電素子4電子磁気分割装置に区別する事で、168の通常マイナス電気を、172マイナス陰電子中間磁気体に電気配線を介して、168の通常マイナス電気を通す事で、168の通常プラス電気は、圧電素子磁石体に瞬間にマイナス磁気化すると同時に磁気の強いマイナス磁気電気と磁気の一番弱いマイナス磁気電気に、瞬間に区別され、熱抵抗の多いマイナス磁気電気は、172の陰電子中間磁気体に集まり、176のリサイクル電気として、もう一つの17の圧電素子4電子磁気分割装置の172のマイナス磁気の陰電子中間磁気体を介して173のフロン固形窒素内蔵シリコンプラスチックカバーシート冷却装置へ熱マイナス磁気電気が流れ178のマイナス再利用電気を得る事が出来る装置で有る。
【０１１３】
図25に於いて、新2連振子型機械式発電機に積載する電気循環発電回路発電型の軽水素ニッケルバッテリーは、181のプラス極活ニッケルブロック物質と182のマイナス極活ニッケルブロック物質と189のプラスニッケル粒子入り液体マグネシウム軽水素トリチウム電子溶液と152のマイナスニッケル酸バリウム軽水素溶液を、183の真空冷却物質仕切り複数冷却合成物質重ねパネル仕切り板によって、プラスバッテリー溶液とマイナスバッテリー溶液が仕切られている構造に成る。
更に、153の熱吸収発電体の184の軽水素トリチウム電子入り圧電素子磁石体粒子内蔵シリコン熱発電パネルは、バッテリーの内側にはめ込められている構造に成って下り、186のフロンガス混合固形窒素材入りプラスチック溶液固形化冷却アタッチメント装置を、円柱バッテリーの外側の一部に交換はめ込み式として内蔵され、185の軽水素トリチウム電子入り圧電素子磁石体内側パネル電気熱分離瞬間発電装置を内蔵させ、187の圧電素子磁石体粒子内蔵シリコン熱発電型アタッチメント装置で有る。
コメント
2010年6月26日pm19時8分夕食と風呂を終え、再び書き始める千葉県の墫野和夫で有る。
【０１１４】
図26に於いて、新2連振子型機械式発電機に積載する液晶及びデーターを蓄積する233の通常シリコン半導体素子の新技術シリコン半導体は、世界最新技術の軽水素トリチウム電子入りの235の軽水素トリチウム電子入りマグネシウムシリコン半導体素子技術で有り、レーザー熱の溶解調整の為の、236の軽水素トリチウム電子入りシリコン半導体素子に、冷却シート(別名フロンガス入り固形窒素カバープラスチックシート)を貼り付ける事でレーザー熱の軽水素トリチウム電子入りマグネシウムシリコン溶解スピードを抑た235の軽水素トリチウム電子入りマグネシウムシリコン半導体装置で有る。
【０１１５】
図27に於いて、新2連振子型機械式発電機に積載する5の燃料電池水感知センサーに積載する発酵熱発電パネルは、192の液体マグネシウム内蔵軽水素トリチウム電子入り圧電素子磁石体複数針穴カバー水蒸気連続無休憩発電パネルの5の燃料電池水感知センサーの水を水蒸気化させる為の、193の発酵竹粉粒子入り圧電素子磁石体網入り軽水素トリチウム電子入り発酵熱発電カードパネルの取り外しはめ込み方式のカード装置をはめ込み、191の軽水素トリチウム電子入り圧電素子磁石体粒子内蔵シリコン充電池熱発電シートカバーによって、5の燃料電池水感知センサーの熱エネルギーの持続保護をした装置に、190の真空冷却シート防護絶縁シートカバー装置によって、他の機器に熱伝導を防ぐ構造の装置に成って入る5の燃料電池水感知センサーは、床水を感知出来る装置で有る。
【０１１６】
図28に於いて、新2連振子型機械式発電機に積載する乾燥竹微粒子入り発酵パネル交換用無休憩発電池は、202のレンズ接合軽水素トリチウム電子入り圧電素子粒子内蔵シリコン銅粒子配線は、201の複数穴空き銅平板配線を200の超薄型レンズ内蔵型ソーラーパネルクリスタル二枚合わせソーラーパネル増幅発電パネルクリスタルガラスを、内蔵した199の超薄型軽水素トリチウム電子入り圧電素子磁石体内蔵発電パネルに取り付けた328の発電池(別名連続発酵材発電池)の緊急充電用の超薄型ソーラーパネルで有る。
更に、328の発電池の内部には、193の発酵竹粒子入り軽水素トリチウム電子入り発酵熱発電カードパネルと191の軽水素トリチウム電子入り圧電素子磁石体粒子内蔵シリコン充電池熱発電シートカバーを内蔵した194のプラス電極電気取り出し口と195のマイナス電極電気取り出し口が付いて入る装置で有る。
従って、328の発電池を、内蔵する192の液体マグネシウム内蔵圧電素子磁石体複数針穴カバー水蒸気連続無休憩発電パネルの328の発電池の取り出し口には、197のゴムシリコン取り付け場所に196のビニールゴムＯリング取り付け場所構造に対して198の熱発生用発酵パネルアダプタカバー装置構造に成っている世界初の燃料電池の液体マグネシウムを使った水の連続気化発電装置を使用した5の燃料電池水感知センサーで有る。
【０１１７】
図29に於いて、新2連振子型機械式発電機に積載する液晶画像の3のデーター表示液晶パネルのデーターストック用の、203のEMカード(多情報カード)は、木材灰入りプラスチック絶縁カバーの中に211の多機能圧電素子メモチェック磁気複数ICと210の圧電素子粒子入りアルミニウム回路配線取り付け構造と205の多情報IC型軽水素トリチウム電子入りでイオードスイッチ回路によって、複数層の圧電素子磁気カードを自動選択出来る構造で有る。
その上で、208の超薄型木材灰入りプラスチック絶縁体を、被せて209の軽水素トリチウム電子入り圧電素子磁石体磁気粒子内蔵電気熱発電シリコンシートを被せる事で、カード熱の瞬間磁気電子電気変換吸収出来る新技術の熱瞬間吸収発電出来る技術を内蔵したシート装置を内蔵して、213のシリコンゴム防水装置を施し、215の暗号確認記録部分の取り付けられた203のEMカードカバーの木材灰入りプラスチック絶縁カバーを214の接着用突起物収納場所の取り付けられたカードカバーを重ねて防水接着した203のEMカードカバーで有り、他社と異なる216の多色順認識絵記号を、203のEMカードカバーに取り付ける事によって、誰のカードかを、認識確認出来る装置と204の多情報カードのデーター録音録画防止カードデザインとして、カードの入れる部分に、直線を止め円ライン状に、凹凸の有るカード読み込み装置にする事で、他の機種では、データーを読み取るのを不可能にしている装置で有る。
【０１１８】
図30に於いて、新2連振子型機械式発電機に積載する液晶画像の3のデーター表示液晶パネルの回路に使用積載される222の多層構造ICの構造は、216の多配列ICは、211の多機能圧電素子メモチェック磁気複数ICを積載内蔵した構造に対して、223の回路冷却シートの220のフロンガス入り固形窒素内蔵牧草灰入りビニール回路冷却絶縁シートを、222の多層構造ICは、208の超薄型木材灰入り絶縁体と221の石粒子入りガラスビニール絶縁体との間に209の軽水素トリチウム電子入り圧電素子磁気粒子内蔵電気熱発電シリコンシートを内蔵させる事で、222の多層構造ICの熱を利用した熱発電シートを内蔵した新技術の222の多層構造ICで有り、219の多配列IC絶縁ライン付き配線と218の軽水素トリチウム電子入り圧電素子粒子混合銅アルミ合金配線を内蔵積載した217のダブルポルト固定金具を取り付けた222の多層構造ICを積載内蔵した3のデーター表示液晶パネルの回路で有る。
【０１１９】
図31に於いて、新2連振子型機械式発電機に積載する液晶画像の3のデーター表示液晶パネルの回路に積載する329のハイスピードCPUは、228のダイ複数ユニットは、224の軽水素トリチウム電子入りシリコンマグネシウム冷却シート内蔵基盤によって、トランジスタ回路が設置され、230の木材灰入りプラスチック絶縁体付きパッケージ回路配線構造に生っている329のハイスピードCPUで有り、329のハイスピードCPU裏面には、226のタンタル炭個体の炭素入り軽水素トリチウム電子内蔵コンデーサーと新技術の電気消費を少なくして、CPUスピードを、速くする為の、17の圧電素子4電子磁気分割装置を積載内蔵すると同時に、229のフロンガス固形窒素石灰綿液体ビニール凝固パネルのヒートスプレッダを取り付けた225のCPU固定金具付きの227のピン端子構造の329のハイスピードCPUを、3のデーター表示液晶パネル回路に内蔵した装置。
【０１２０】
図32に於いて、新2連振子型機械式発電機に積載する液晶画像の3のデーター表示パネルの回路に積載する330の省電気消費メモリ-RAMは、224の軽水素トリチウム電子入りシリコンマグネシウム冷却シート内蔵基盤回路に圧電素子磁石体磁気超微粒子カードを重ねたメモリーチップカードに17の圧電素子4電子磁気分割装置を内蔵した209の軽水素トリチウム電子入り圧電素子磁気粒子内蔵電気熱発電シリコンシートを、330の省電気消費メモリRAMに貼り付けた230の部材固定用溶剤注入穴構造の330の省電気消費メモリ-RAM装置で有る。
【０１２１】
図33に於いて、新2連振子型機械式発電機に積載する液晶画像に積載する331のLED発電回路チップは、241の高電圧用軽水素トリチウム電子入り複数針穴空きバリウムシート内蔵圧電素子に247のプラス配線と248マイナス配線を取りつけた構造で有り、高電圧(高出力)発電回路に積載内蔵した331のLED発電回路チップは、243のLEDチップの242の銀シートチップと252のガリウムリンの253のガリウムリンシートチップと331の軽水素トリチウム電子入りダイオードLEDチップを内蔵したLEDライトは、241の高電圧用軽水素トリチウム電子入り複数針穴空きバリームシート内蔵圧電素子に250のフロン固形窒素入りシリコンプラスチックカバーシート冷却シートを内蔵した高出力発電回路付きLEDライトを使用積載した3のデーター表示液晶パネル装置。
【０１２２】
図34に於いて、新2連振子型機械式発電機に積載する液晶画像の3のデーター表示パネルの映像回路に積載する257の映像波ノイズ修正回路チップは、プラス映像波回路配線には軽水素トリチウム電子入り圧電素子磁石体の258のプラスノイズ映像波回路配線を軽水素トリチウム電子入り圧電素子磁石体のプラス圧電素子磁気磁石体のプラス磁気の一番弱い部分に、262のプラス整流映像波キャッチ体に、258のプラスノイズ映像波回路配線を取り付けて、260のプラス整流映像波を、軽水素トリチウム電子入りの圧電素子磁石体の磁気の一番強い部分から、プラス映像波ノイズを取り除いて、プラス映像波を、圧電素子磁石体の磁界線によって、全自動修正した映像回路のプラス映像回路ノイズ修正回路チップ構造で有り、259のマイナスノイズ映像波回路配線は、軽水素トリチウム電子入りの圧電素子磁石体の磁気の一番弱い部分の263のマイナス整流映像波キャッチ体を、軽水素トリチウム電子入りの圧電素子磁石体のマイナス磁気の一番弱い部分に取り付けた構造で有り、マイナス映像波ノイズを、軽水素トリチウム電子入り圧電素子磁石体粒子入りマイナス磁界線に通す事で、マイナス映像波ノイズを磁界線修正した261のマイナス整流映像波に成る。
更に、264のセラミック絶縁体の(ガラス石英石粒子混合合成接着のりで固めた絶縁体)で絶縁処理した257の映像波ノイズ修正回路チップで有る。
【０１２３】
図35に於いて、新2連振子型機械式発電機に積載する液晶画像の3のデーター表示パネルの269の映像波ノイズ高速修正回路電気熱発電チップは、273のプラスノイズ映像波は軽水素トリチウム電子入り圧電素子磁石体に、325の軽水素ネオンガス入りバリウムシートを軽水素トリチウム電子入り圧電素子磁石体超薄パネルと交互に重ねた軽水素トリチウム電子とネオンガス又はアルゴンガス入りバリウムシートを、交互に重ねる事によって、軽水素トリチウム電子と映像ガスのアルゴンガスなどが、多く入った圧電素子磁石体を使い、273のプラスノイズ映像波は、軽水素トリチウム電子磁気のプラス磁界線とアルゴンガス磁気のプラス磁界線に通す事で、273の乱れたプラスノイズ映像波は、磁界線効果によって、280のノイズ無しプラス映像波を得る事が出来て、274のマイナスノイズ映像波は、軽水素トリチウム電子入り圧電素子磁石体に、325の軽水素ネオンガス入りバリウムシートを軽水素トリチウム電子入り圧電素子磁石体超薄パネルと交互に重ねる事によって、軽水素トリチウム電子と映像ガスのアルゴンガス等が多く入った圧電素子磁石体を使い274のマイナスノイズ映像波は、軽水素トリチウム電子磁気のマイナス磁界線とアルゴンガス磁気のマイナス磁界線に通す事で274の乱れたマイナスノイズ映像波は、圧電素子磁界線効果によって、281のノイズ無しマイナス映像波を得る事が出来て、276の発電シートの279の軽水素トリチウム電子入り圧電素子磁石体粒子内蔵シリコン熱発電チップと275の二枚合わせセラミックカバーを接着加工する事によって269の映像波ノイズ高速修正回路電気熱発電チップの構造施策実施内容に成る。
【０１２４】
図36に於いて、新2連振子型機械式発電機に積載する282の映像波ノイズ取り除き補正充電池回路チップは、289のプラス圧電素子磁石体の内部に、287の軽水素バリューム溶液と286の軽水素入りチタン酸バリウムシートで仕切り293のオキシ水酸化ニッケルの軽水素ニッケル充電池構造に対して、圧電素子磁石体カバー構造にした装置に294のプラス映像波ノイズ無の映像波を、283のプラス映像波ノイズ電波を、289のプラス圧電素子磁石体の磁気の弱い部分から通して、圧電素子磁石体の磁気の強い部分から、294のプラス映像波ノイズ無し電波を得る事が出来る。
更に、282の映像波ノイズ取り除き補正充電池回路チップは、290のマイナス圧電素子磁石体の内部に、288の軽水素液体マグネシウムネオン溶液と286のチタン酸バリウムシートで仕切り、292の亜鉛酸混合バリウム溶液の軽水素ニッケル充電池構造に対して、圧電素子磁石体カバー構造にした装置に295のマイナス映像波ノイズ無しの映像波を、284のマイナス映像波ノイズ電波を、290のマイナス圧電素子磁石体の磁気の弱い部分から通して、圧電素子磁石体の磁気の強い部分から、295のマイナス映像波ノイズの無い電波を得る事が、出来る装置は、軽水素トリチウム電子入り圧電素子磁石体の中央部分に、291の圧電素子磁石シートを内蔵させた282の映像波ノイズ取り除き補正充電池回路チップの構造の実施形態説明で有る。
【０１２５】
図37と図38に於いて、297の新2連振子型機械式発電機本体の財産と木造家屋の地震崩壊から人の命を地震災害の木造家屋崩壊に伴って、新2連振子型機械式発電機財産を地震ら守るための、296の地震対応防災防人保護パネルは、298の樹脂網入りセラミック粒子内蔵グラスファイバーパネルを、299の防護パネル固定金具は、ポルトナット止め構造になり、299の防護パネルの他に、300のＬ型パネル固定金具と301の三角固定金具と302平板固定金具を296の低価格地震対応型防災保護パネルは、297の新2連振子型機械式発電機を設置する事で、地震の木造崩壊から人の命を守る為の地震対策の防護パネルで有る。
【０１２６】
図39に於いて、新2連振子型機械式発電機に積載する304の新映像波の三大原色は元々の303の映像波三大原色の赤色ダイオードと黄色ダイオードと青色ダイオードに新技術として、軽水素トリチウム電子の赤色ダイオードと軽水素トリチウム電子入りの黄色ダイオードと軽水素トリチウム電子入りの青色ダイオードは、色の確認認識スピードを、速くする事が出来て、映像を、有機EL画像及びハイビジョン画像に近い画像を、図4と図9と図24と図26と図29と図30と図31と図32と図33と図34と図35と図36と図39と図40の電熱発電コンデンサーの組合せによって、電気を、3のデーター表示パネル液晶テレビに電気を通しただけで24の発電回路よって、電気増幅する装置とテレビ回路部品それぞれに軽水素を入れる新技術によって、ハイビジョンに近い美しい映像と世界で一番電気消費の少ない省電気消費の3のデーター表示出来る液晶テレビの回路の実施形態説明で有る。
【０１２７】
図40に於いて、新2連振子型機械式発電機に積載する液晶画像の3のデーター表示パネルの回路に内蔵設置する307の電気熱発電コンデンサーは、新技術として、電気を蓄える充電池を、コンデンサー代わりに積載使用した、他社に無い新技術によって、コンデンサー中央部分に、312のセラミック粒子入り軽水素トリチウム電子内蔵オキシ水酸化亜鉛液を内部構造とした314のプラスチック綿網入り絶縁シートと313の絶縁樹脂シートに311の炭素を挟んだ絶縁シートに308のコンデンサー配線を取り付けた構造に対して315の軽水素トリチウム電子入り圧電素子磁石体粒子内蔵電気熱発電シリコンシートを、308のコンデンサー配線に被せて電気熱発電を可能にする事で、309の電気熱発電プラス電気を得る事が出来て、310の電気熱発電マイナス電気を得る事が出来る、世界初のコンデンサーの放出する電気熱を瞬間に電子磁気電気に変える事を可能にした充電池を、コンデンサーの内部構造にした307の電気熱発電コンデンサーで有る。
【０１２８】
図41に於いて、新2連振子型機械式発電機に積載する324の高出力マグネトロン装置は、通常の圧電素子磁石体のみのマグネトロン構造とは異なる323のＣ板の322の鋼鉄磁石体上下二枚の間に319のA板の318の軽水素トリチウム電子入り圧電素子磁石体超薄型マグネトロン板と321のＢ板の320の軽水素入りチタン酸バリウム薄膜シートを交互に重ねる事で、317の圧電素子磁石体マグネトロン板内部に軽水素トリチウム電子量を、多く内蔵する為の二つの異なったシートの交互の貼り合わせによって、324の高出力マグネトロン装置で有る。
【符号の説明】
【０１２９】
1   新2連振子型機械式発電機         →特願2006ー140535号公報の改良型。
2   高出力発電ソーラーパネル      →特願2006ー140535号公報の改良型→特願2010ー82号の国の900兆円越えの借金全額返済の為の世界最新の公共事業対策装置の改良型。
3   デkーター表示液晶発電パネル    →特願2009ー271665号公報の多機能携帯電話。 
4   液晶一体型ソーラーパネル      →特願2031909ー271665号公報のソーラーパネル付き液晶パネルの改良型デザイン。 
5   燃料電池水感知センサー        →特願2009ー271665号公報の軽水素酸素水蒸気の燃料電池発電パネルの応用型。
6   防犯用カメラ                  →放射線入りシリコンパネル内蔵カメラ。
7   威嚇スピーカー                →特願2009ー271665号公報の多機能携帯電話のグラスファイバー高出力スピーカーの防水スピーカーの応用型。
8   温度計                        →実用新案登録第314590号の手続き補正図面と文章の応用型カラー光ライン水銀遮断ダイオードスイッチの応用型。
9   湿度計
10  地震計                        →実用新案登録第314590号の手続き補正図面と文章の公開文書財産の改良型。
11  磁波計測計
12  格納型取っ手(電動仕切り弁)    →特開2003ー328925号公報の水発電機に積載使用した電動モーター仕切り弁の改良型の高出力電動モーター仕切り弁。
13  送受信アンテナ                →実用新案登録第314590号の手続き補正図面の改良型。
14  格納型ポルトナット止め装置    →特開2003ー328925号公報の水発電機の防犯装置の改良型。
15  第1機械式発電機               →特開2003ー328925号公報の機械式発電機の改良型。
16  第2機械式発電機               →特開2003ー328925号公報の機械式発電機の改良型。
17  圧電素子4電子磁気分割装置 →特開2004ー304992号公報の手続き補正文章説明に従っての装置使用。
18  高出力卍形状DCブラシレスインバータ制御モーター    →特願2010-82号公報の国の900兆円越えの借金全額返済の為の世界最新の公共事業対策の世界初の電気消費の一番少ないモーターの応用型。
19  インバータ制御装置        →高出力卍形状インバータ制御モーターと高出力DCブラシレスレールインバータ制御モーターなどの微調整モーターに使用する装置で有り、新幹線の通常モーターのインバータ制御とは異なり、磁極切換えモーター作動を目的としたモーター説明で有る。ちなみに、発明は、本田技研より先の著作権先技術発明で有る。
20  高出力電動モーター仕切り弁→特願2010-82号公報の高出力電磁石と銅筒官配線を使用した世界で一番電気消費の少ない高出力モーター積載の電動モーター仕切り弁装置。
21  ドリル＆ボルトＷ止めナット→新技術。
22  クリスタルガラス          → 特願2009ー271665号公報の改良型の発電回路内蔵型の圧電素子4電子磁気分割装置も、内蔵に生っている装置。
23  軽水素トリチウム電子入り圧電素子磁石粒子内蔵シリコンソーラーパネル→特願2004ー135480号公報の自動電池ソーラーパネル付き携帯電話の改良型。
24  発電回路                  →プラス発電回路とマイナス発電回路に成る高圧電気打撃の軽水素トリチウム電子入りの圧電素子磁石体の電気打撃発電装置。
25  圧電素子映像波全自動修正チッププラス回路     →特願2009ー271665号公報の液晶パネルの回路の一部を応用。
26  圧電素子映像波全自動修正チップマイナス回路   →特願2009ー271665号公報の液晶パネルの回路の一部を応用。
27  軽水素ニッケル充電池映像波チッププラス回路   →特願2009ー271665号公報の液晶パネルの回路の一部を応用。
28  軽水素ニッケル充電池映像波チップマイナス回路 →特願2009ー271665号公報の液晶パネルの回路の一部を応用。
29  軽水素トリチウム電子入り超透明シリコン発電シート内蔵二枚合わせクリスタル発電ガラス→特願2009ー271665号公報の応用型。
30  軽水素トリチウム電子入りダイオード発電カラー色のフイルターシート  →特願2009ー271665号公報の応用型。
31  発電網シート内蔵偏光板。
32  発電網シート内蔵配向膜。
33  軽水素トリチウム電子入り発光ダイオードLED発電複数バックライト    →特願2009ー271665号公報の応用型。
34  軽水素トリチウム電子入り圧電素子磁石体粒子内蔵電気熱磁気変換シリコン熱発電パネル    →特願2009ー271665号公報の応用型。
35  テングステン内蔵ニクロム電熱線入り取っ手      →特願2009ー271665号公報の応用型。    
36  滑り止め殺菌ゴム  →塩粒子入り。
37  防水石粒子入りグラスファイバー紙スピーカー    →特願2009ー271665号公報の応用(グラスファイバー紙を使用)。
38  人工永久磁石      →特願2009ー271665号公報の応用技術。
39  複数穴空き鋼鉄板磁石   →特願2009ー271665号公報の応用技術。
40  軽水素トリチウム電子入り圧電素子磁石体パネル4    →特願2009ー271665号公報の高出力バイブレイションモーターの電磁石応用技術。
41  高出力銅筒官配線      →特願2009ー271665号公報の高出力バイブレイションモーターのコイル応用技術。
42  電磁波キャッチ送受信装置    →携帯波送受信装置を応用したゲルマニウムラジオを応用した技術。
43  ゲルマニウムラジオ波計測装置。
44  軽水素トリチウム電子入り圧電素子磁石体粒子内蔵鉄粉合成磁波キャッチ体    →新技術。
45  ゲルマニウムラジオ回路。
46  軽水素トリチウム電子入り発光ダイオードLEDライト玉装置。
47  カラー色光ラインキャッチ軽水素トリチウム電子入りダイオード装置。
48  カラー色ライン絶縁体。
49  温度連絡軽水素トリチウム電子入り圧電素子磁石体内蔵シリコン光感知センサー。
50  複数空間合わせガラス反射板(光冷却ガラス)。
51  軽水素トリチウム電子入り銅筒官プラス発電回路コイル。
52  軽水素トリチウム電子入り銅筒官マイナス発電回路コイル。
53  複数穴空き銅筒官コイル。
54  複数穴空き銅板増幅電気引き込み板。
55  軽水素トリチウム電子入り圧電素子磁石体プラス部分。
56  軽水素トリチウム電子入り圧電素子磁石体マイナス部分。
57  プラス増幅電気引き込み配線。
58  マイナス増幅電気引き込み配線。
59  通常プラス電気。
60  通常マイナス電気。
61  圧電素子粒子内蔵合成金属アンテナ。
62  電波受信棒。
63  配線入り絶縁体。
64  電波受信金属。
65  圧電素子磁石体。
66  大レンズ。
67  とつレンズ。
68  クリスタルガラス。
69  放射線内蔵シリコンクリスタルガラスパネル装置。
70  軽水素トリチウム電子入りカメラ光画像ダイオード色認識区別データー作成装置(CCD装置)。
71  多層圧電素子磁石体カード。
72  圧電素子磁石部分。
73  凹凸階段データー入出力部分。
74  カメラ被写体。
75  カメラレンズ。
76  カメラ被写体認識装置。
77  カメラ被写体軽水素入りダイオード認識装置。
78  カメラ被写体ダイオード色電波変換装置。
79  カメラ被写体ゴースト取り除き圧電素子チップ装置。
80  カメラ被写体ダイオードカラー色調整充電池素子チップ装置。
81  圧電素子アルミニウム合成回路配線→デジタル回路配線及びノーマル回線配線。
82  発電パネル液晶カメラ用。
83  他社に無い美しい画像カメラ画像。
84  複数針穴空き軽水素トリチウム入り圧電素子粒子混合液体マグネシウム合成発電パネル。
85  複数針穴空き軽水素トリチウム入り圧電素子粒子合成発電パネル。
86  燃料電池水及び水蒸気感知センサー。
87  液体マグネシウム。
88  硝酸入りプラスチックセラミック。
89  軽水素トリチウム電子入り発酵木材チップ粉粒子入り発電パネル。
90  振動吸収電磁石反発ゴム内蔵装置。
91  振動吸収圧電素子磁石合成ゴム。
92  コイルを巻いた構造。
93  複数穴空き鋼鉄板。
94  軽水素トリチウム電子入り圧電素子磁石体粒子入り強化磁石ゴム。
95  ワイヤ鋼入り強化ゴム。
96  軽水素トリチウム電子入り圧電素子磁石体粒子入り強化磁石ゴム。
97  複数穴空き鋼鉄板。
98  プラスチック粒子木材粒子及び石の粒子合成板。
99  地震球電気連絡金属パネル。
100 絶縁カバー。
101 振子球電気接触スイッチ。
102 振子球。
103 地震振り子装置。
104 電気スイッチ。
105 振れスピード地震波計測装置。
106 地震波電波送受信装置
107 第1機械式発電機
108 第2機械式発電機
109 第1発電回路
110 第2発電回路
111 第3発電回路
112 第4発電回路
113 第5発電回路
114 第6発電回路
115 高出力電気電子増幅第1装置
116 高出力電気電子増幅第2装置
117 第1バッテリー
118 第2バッテリー
119 第3バッテリー
120 高出力ダイナモ
121 大型ワイヤ入りゼンマイ装置
122 高出力DCブラシレスインバータ制御モーター
123 振子装置
124 左側高出力電磁石
125 右側高出力電磁石
126 ダイナモ軸
127 歯車ギア                
128 ダイナモ端子
129 ダイナモカバー
130 軽水素トリチウム電子入り圧電素子
131 通常ダイナモ本体
132 全自動巻き取り型ワイヤ入り大型ゼンマイ装置
133 ワイヤ入り大型ゼンマイ軸装置
134 ワイヤ大型ゼンマイストッパー
135 ワイヤ
136 ワイヤ入り切れ防止ゼンマイ板装置
137 軽水素トリチウム電子入り圧電素子磁石体配線
138 複数穴空き銅筒官配線
139 軽水素トリチウム電子入り圧電素子磁気粒子パネル合成電磁誘導発電歯車1装置
140 電磁誘導発電歯車
141 軽水素トリチウム電子入り圧電素子磁石体歯車打撃発電装置
142 歯車電気配線内蔵歯車軸
143 軽水素トリチウム電子入り圧電素子磁石体
144 電磁石吸引接着スイッチ作動振子軸
145 交換用充電池振子重り装置
146 左合成永久磁石
147 右合成永久磁石
148 振り子軸
149 新型軽水素ニッケルバッテリー
150 電極棒
151 ナットネジ止め方式    →組立て解体方式
152 ニッケル酸バリウム軽水素溶液  →プラス溶液
153 熱吸収発電体   →別名軽水素トリチウム電子入り圧電素子磁石体粒子内蔵シリコン発電体
154 液体マグネシウム溶液  →マイナス溶液
155 軽水素給油口
156 圧電素子磁石体内蔵複数針穴空き電極棒
157 圧電素子磁石体内蔵複数穴空きニッケル
158 シリコン溶液軽水素侵入防止装置
159 チタン酸バリュームシリコンシート
160 ニッケル金属カバー
161 プラスのみの圧電素子を使用
162 絶縁仕切り壁
163 横付けプラス電極
164 横付けマイナス電極
165 軽水素マイナスバリューム溶液
166 軽水素プラスバリューム溶液
167 通常プラス電気
168 通常マイナス電気
169 陽電子磁石体
170 陰電子磁石体
171 陽電子中間電子磁気体
172 陰電子中間電子磁気体
173 フロン固形窒素内蔵シリコンプラスチックカバーシート冷却装置
174 圧電素子プラス磁気の一番強い磁気電気
175 圧電素子マイナス磁気の一番強い磁気電気
176 リサイクル電気
177 再利用プラス電気
178 再利用マイナス電気
179 ナット型プラス電極棒
180 ナット型マイナス電極棒
181 プラス極活ニッケルブロック物質
182 マイナス極活ニッケルブロック物質
183 真空冷却物質仕切り複数冷却物質重ねパネル仕切り板
184 軽水素トリチウム電子入り圧電素子磁石体粒子内蔵シリコン熱発電パネル
185 軽水素トリチウム電子入り圧電素子磁石体内蔵シリコンパネル電気熱発電装置
186 フロンガス混合固形窒素材入りプラスチック溶液固形化冷却アタッチメント装置
187 圧電素子磁石体粒子内蔵シリコン発電型アタッチメント
188 軽水素注入弁口
189 ニッケル粒子入り液体マグネシウム軽水素溶液
190 真空冷却シート防護5層絶縁シートカバー
191 軽水素トリチウム電子入り圧電素子磁石体粒子内蔵シリコン充電池熱発電シートカバー装置
192 液体マグネシウム内蔵軽水素トリチウム電子入り圧電素子磁石体複数針穴カバー水蒸気連続無休憩発電パネル
193 発酵竹粉粒子入り竹粉粒子圧電素子磁石体網入り軽水素トリチウム電子入り発酵熱発電カードパネル
194 プラス電極電気取り出し口
195 マイナス電極電気取り出し口
196 ビニールゴム0リング
197 ゴムシリコン取り付け場所
198 熱発生用発酵パネルアダプタカバー
199 超薄型軽水素トリチウム電子入り圧電素子磁石体内蔵発電パネル
200 超薄型レンズ内蔵型ソーラーパネルクリスタル二枚合わせ発電ガラス
201 複数穴空き銅平板配線
202 レンズ接合軽水素トリチウム電子入り圧電素子粒子内蔵シリコン銅粒子配線
203 EMカードカバー   →木炭灰入りプラスチック絶縁カバー付きのインホメイション情報カードの略名をEMカードで有る。
204 他情報カードデータ録音録画防止カードデザイン
205 他情報IC型軽水素トリチウム電子入りダイオードスイッチ回路
206 絶縁体
207 下部接続端子
208 超薄型木材灰入りプラスチック絶縁体
209 軽水素トリチウム電子入り圧電素子磁気粒子内蔵電気熱発電シリコンシート
210 圧電素子超微粒子入りアルミニウム回路配線
211 多機能圧電素子メモチェック磁気複数IC
212 接着用突起物収納場所
213 シリコンゴム防水装置
214 接着用突起物収納場所
215 暗号認識記録部分 →同一カード合ってもカラーバーコード暗号等の配列等が同じで無ければ、カード入力出来ない世界最新技術のカードシステム構造。
216 多色順認識絵暗号
217 ダブル固定金具
218 軽水素トリチウム電子入り圧電素子粒子混合銅アルミ合金配線
219 多配列IC絶縁ライン付き配線
220 フロンガス入り固形窒素内蔵牧草灰入りビニール回路冷却絶縁シート
221 石粉粒子入りガラスビニール絶縁体
222 多層構造IC
223 回路冷却シート
224 軽水素トリチウム電子入りシリコンマグネシウム冷却シート内蔵基板
225 CPU固定金具
226 タンタル個体炭素入り軽水素トリチウム電子内蔵コンデーサー
227 ピン端子
228 ダイ複数ユニット
229 フロンガス固形窒素入り炭素石灰綿液体ビニール凝固冷却パネル→ヒートスプレッダ
230 木材灰入りプラスチック絶縁体パッケージ回路配線
231 部材固定用溶剤注入穴
232 省電気消費メモリRAM
233 通常シリコン半導体
234 世界最新技術の発明発明
235 軽水素トリチウム電子入りシリコン半導体素子
236 軽水素トリチウム電子入りシリコン冷却シート接着方式反動体
237 ダイナモ軸固定ガード筋金属
238 ダイナモ増幅発電装置滑落防止ポルト
239 ダイナモ増幅発電装置滑落防止カバー
240 熱瞬間吸収発電シート→軽水素トリチウム電子入り圧電素子磁石体内蔵シリコン発電シート
241 高電圧用軽水素トリチウム電子入り複数針穴空きバリウムシート内蔵圧電素子
242 銀シート
243 LEDチップ
244 磁気絶縁膜
245 プラス通常電気
246 マイナス通常電気
247 軽水素入り圧電素子磁石体内蔵LEDチッププラス配線
248 軽水素入り圧電素子磁石体内蔵LEDチップマイス配線
249 通常圧電素子
250 冷却シート→フロン固形窒素入りシリコンプラスチックカバーシート
251 圧電素子ライン
252 ガリウムリン→緑色
253 ガリウムリンシートチップ
254 軽水素トリチウム電子入りチタン酸バリウムシート
255 絶縁体
256 カラー発電回路チップ
257 映像波ノイズ修正回路チップ
258 プラスノイズ映像波回路配線
259 マイナスノイズ映像波回路配線
260 プラス整流映像波
261 マイナス整流映像波
262 プラス整流映像波キャッチ体
263 マイナス整流映像波キャッチ体
264 セラミック絶縁体
265 マイナス圧電素子磁石体
266 プラス圧電素子磁石体
267 冷却シート→フロン固形窒素入りシリコンビニールカバーシート
268 固定金具
269 映像波ノイズ高速修正回路電気熱発電チップ
270 マイナス軽水素トリチウム電子入り圧電素子磁石体
271 プラス軽水素トリチウム電子入り圧電素子磁石体
272 セラミック絶縁体
273 プラスノイズ映像波
274 マイナスノイズ映像波
275 二枚合わせ冷却シート入りセラミックカバー
276 発電シート
277 プラス軽水素トリチウム電子入り圧電素子磁石体
278 マイナス軽水素トリチウム電子入り圧電素子磁石体
279 軽水素トリチウム電子入り圧電素子磁石体粒子内蔵シリコン熱発電チップ
280 ノイズ無プラス映像波
281 ノイズ無マイナス映像波
282 映像波ノイズ取り除き補正充電池回路チップ
283 プラス映像波ノイズ電波
284 マイナス映像波ノイズ電波
285 セラミックプラスチック絶縁体
286 軽水素入りチタン酸バリウムシート
287 軽水素バリウムネオン溶液
288 軽水素液体マグネシウムネオン溶液
289 プラス圧電素子磁石体
290 マイナス圧電素子磁石体
291 圧電素子磁石体シート
292 軽水素亜鉛酸バリウム
293 オキシ水酸化ニッケル
294 プラス映像波ノイズ無電波
295 マイナス映像波ノイズ無電波
296 低価格地震対応防災保護パネル
297 新2連振子型機械式発電機
298 樹脂網入りセラミック粒子内蔵グラスファイバー
299 防護パネル固定金具
300 Ｌ型パネル固定金具
301 三角固定金具
302 開板固定金具
303 映像波三大原色
304 新映像波三大原色
305 ダイオードスイッチ代用品
306 軽水素入り液晶
307 電気熱発電コンデンサー
308 コンデンサー配線
309 電気熱発電プラス電気
310 電気熱発電マイナス電気
311 炭素
312 セラミック粒子入り軽水素内蔵オキシ水酸化亜鉛溶液
313 絶縁樹脂シート
314 プラスチック綿網入り絶縁シート→石灰油入り綿網絶縁シート→石灰粘土入り綿網絶縁シート
315 軽水素トリチウム電子入り圧電素子磁石体粒子内蔵電気熱発電シリコンシート
316 陶器粒子入り綿ゴム網絶縁シート
317 マグネトロン板
318 軽水素トリチウム電子入り圧電素子磁石マグネトロン板
319 Ａ板
320 軽水素入りチタン酸パリームシート薄膜
321 Ｂ板
322 鋼鉄磁石板
323 Ｃ板
324 高出力マグネトロン装置
325 軽水素ネオンガス入りバリウムシート
326 圧電素子映像波全自動修正チッププラス回路
327 熱瞬間吸収発電シート    →(別名軽水素トリチウム電子入り圧電素子磁石体内蔵シリコン発電シート)
328 発電池(別名連続発酵材発電池)
329 ハイスピードCPU
330 省電気消費メモリ-RAM
331 LED発電回路チップ(軽水素トリチウム電子入りダイオードLEDチップ)
【図１】
2012187001.tif 000003
【図２】
2012187001.tif 000004
【図３】
2012187001.tif 000005
【図４】
2012187001.tif 000006
【図５】
2012187001.tif 000007
【図６】
2012187001.tif 000008
【図７】
2012187001.tif 000009
【図８】
2012187001.tif 000010
【図９】
2012187001.tif 000011
【図１０】
2012187001.tif 000012
【図１１】
2012187001.tif 000013
【図１２】
2012187001.tif 000014
【図１３】
2012187001.tif 000015
【図１４】
2012187001.tif 000016
【図１５】
2012187001.tif 000017
【図１６】
2012187001.tif 000018
【図１７】
2012187001.tif 000019
【図１８】
2012187001.tif 000020
【図１９】
2012187001.tif 000021
【図２０】
2012187001.tif 000022
【図２１】
2012187001.tif 000023
【図２２】
2012187001.tif 000024
【図２３】
2012187001.tif 000025
【図２４】
2012187001.tif 000026
【図２５】
2012187001.tif 000027
【図２６】
2012187001.tif 000028
【図２７】
2012187001.tif 000029
【図２８】
2012187001.tif 000030
【図２９】
2012187001.tif 000031
【図３０】
2012187001.tif 000032
【図３１】
2012187001.tif 000033
【図３２】
2012187001.tif 000034
【図３３】
2012187001.tif 000035
【図３４】
2012187001.tif 000036
【図３５】
2012187001.tif 000037
【図３６】
2012187001.tif 000038
【図３７】
2012187001.tif 000039
【図３８】
2012187001.tif 000040
【図３９】
2012187001.tif 000041
【図４０】
2012187001.tif 000042
【図４１】
2012187001.tif 000043